【事件の表示】
　特許第３４６８２４０号「ネットワークコピーファイル管理システム、コピーシステム、コピーサーバ、ネットワークコピーファイル管理方法、コンピュータ可読媒体」の請求項１ないし２０に係る特許に対する特許異議の申立てについて、次のとおり決定する。
【結　論】
　訂正を認める。
　特許第３４６８２４０号の請求項１ないし１５、１７、１９ないし２０に係る特許を取り消す。
　同請求項１６、１８に係る特許を維持する。
【理　由】
１．手続の経緯
　本件特許第３４６８２４０号に係る出願は、平成１１年５月６日に出願された特願平１１−１２６０７５号の一部を、平成１４年１０月２４日に新たな特許出願としたものであって、平成１５年９月５日に特許の設定登録がされ、その後特許異議申立人小牧常松によりその特許請求の範囲における請求項１−２０に係る発明について特許異議の申立てがなされ、そして取消しの理由が通知され、その指定期間内である平成１６年１２月２８日に訂正請求がなされたものである。
２．訂正の適否についての判断
（１）訂正の内容
　平成１６年１２月２８日付けの訂正請求書による訂正事項は、
　
ア．特許請求の範囲の請求項１の記載
　「【請求項１】共通のネットワークを介して互いに接続されたコピーシステムと端末と第３のネットワーク装置とからなるネットワークコピーファイル管理システムにおいて、
　前記コピーシステムは、
　原稿を読み取って画像データを得る画像読取部と、
　この画像読取部によって得られた画像データを画像ファイルのフォーマットに変換してディスクに保存する画像ファイル保存部と、
　端末からの要求に応じて、要求された所定範囲の複数の画像ファイルの管理情報を、前記ネットワークを通じて前記端末へ送信する管理情報応答部と、
　端末からの要求に応じて、要求された画像ファイルを前記ディスクから読み出して、端末によって特定された第３のネットワーク装置へ前記ネットワークを通じて送信する画像ファイル送信部とを備え、
　前記端末は、
　所定範囲の画像ファイルの管理情報を、前記ネットワークを通じて前記コピーシステムに対して要求する管理情報要求部と、
　要求に応じて前記コピーシステムが送信して来た複数の管理情報を表示する表示部と、
　この表示部に表示された複数の管理情報が夫々示す画像ファイルのうちの何れかを特定する旨のオペレータによるデータ入力，及び、画像ファイルの送信先としての第３のネットワーク装置を特定する旨のオペレータによるデータ入力を受け付ける入力部と、
　前記表示部に表示された複数の管理情報が夫々示す画像ファイルのうち、前記入力部によって受け付けられたデータ入力によって特定された何れかの画像ファイルを前記特定された第３のネットワーク装置へ送信する事を、前記ネットワークを通じて前記コピーシステムに対して要求する画像ファイル送信要求部とを備えることを特徴とするネットワークコピーファイル管理システム。」
を、
　「【請求項１】共通のネットワークを介して互いに接続された
第１の
第２のコピーシステム
　前記
各
　原稿を読み取って画像データを得る画像読取部と、
　この画像読取部によって得られた画像データを画像ファイルのフォーマットに変換してディスクに保存する画像ファイル保存部と、
　端末からの要求に応じて、要求された所定範囲の複数の画像ファイルの管理情報を、前記ネットワークを通じて前記端末へ送信する管理情報応答部と、
　端末からの要求に応じて、要求された画像ファイルを前記ディスクから読み出して、端末によ
る
に応じて予めそのアドレスが自己に登録されている他のコピーシステム又は前記端末へ
　前記端末は、
　所定範囲の画像ファイルの管理情報を、前記ネットワークを通じて前記コピーシステムに対して要求する管理情報要求部と、
　要求に応じて前記コピーシステムが送信して来た複数の管理情報を表示する表示部と、
　この表示部に表示された複数の管理情報が夫々示す画像ファイルのうちの何れかを特定する旨のオペレータによるデータ入力，及び、画像ファイルの送信先としての
他のコピーシステム又は自端末
　前記表示部に表示された複数の管理情報が夫々示す画像ファイルのうち、前記入力部によって受け付けられたデータ入力によって特定された何れかの画像ファイルを前記特定された
他のコピーシステム又は自端末
と訂正し、
　
ロ．特許請求の範囲の請求項１７の記載
　「【請求項１７】原稿を読み取るスキャナ及びこのスキャナによって読み出された画像データに基づいて印字を行うプリンタを有するとともに、共通のネットワークを介して端末及び第３のネットワーク装置と通信可能なコピーシステムであって、
　前記スキャナが原稿を読み取ることによって得られた画像データを画像ファイルのフォーマットに変換してディスクに保存する画像ファイル保存部と、
　前記端末が前記ディスク内に格納されている所定範囲の画像ファイルの管理情報を要求して来た場合には、要求された所定範囲の複数の画像ファイルの管理情報を、前記ネットワークを通じて前記端末へ送信する管理情報応答部と、
　前記端末へ送信された複数の管理情報のうちの何れかに対応する画像ファイルを第３のネットワーク装置へ送信する事を前記端末が要求して来た場合には、要求された画像ファイルを前記ディスクから読み出して、端末によって特定された前記第３のネットワーク装置へ前記ネットワークを通じて送信する画像ファイル送信部と、
　前記端末を構成するコンピュータに対して、所定範囲の画像ファイルの管理情報を前記ネットワークを通じて前記管理情報応答部に要求させ、この要求に応じて前記管理情報応答部が送信した複数の管理情報を表示させ、表示されている複数の管理情報のうちの何れかが前記端末のオペレータによって特定されるとともに画像ファイルの送信先としての第３のネットワーク装置が前記端末のオペレータによって特定された場合には、当該特定された管理情報に対応する画像ファイルを当該特定された第３のネットワーク装置へ送信する事を前記ネットワークを通じて前記画像ファイル送信部へ要求させるプログラムを格納したコンピュータ可読媒体と、
　前記端末からの要求に応じて、前記コンピュータ可読媒体に格納されている前記プログラムを、前記ネットワークを通じて前記端末へ送信するプログラム送信部とを備えることを特徴とするコピーシステム。」
を、
　「【請求項１７】原稿を読み取るスキャナ及びこのスキャナによって読み出された画像データに基づいて印字を行うプリンタを有するとともに、共通のネットワークを介して端末及び
他の同構成のコピーシステム
　前記スキャナが原稿を読み取ることによって得られた画像データを画像ファイルのフォーマットに変換してディスクに保存する画像ファイル保存部と、
　前記端末が前記ディスク内に格納されている所定範囲の画像ファイルの管理情報を要求して来た場合には、要求された所定範囲の複数の画像ファイルの管理情報を、前記ネットワークを通じて前記端末へ送信する管理情報応答部と、
　前記端末へ送信された複数の管理情報のうちの何れかに対応する画像ファイルを
予めそのアドレスが自己に登録されている他のコピーシステム又は前記端末へ
他のコピーシステム又は前記端末
　前記端末を構成するコンピュータに対して、所定範囲の画像ファイルの管理情報を前記ネットワークを通じて前記管理情報応答部に要求させ、この要求に応じて前記管理情報応答部が送信した複数の管理情報を表示させ、表示されている複数の管理情報のうちの何れかが前記端末のオペレータによって特定されるとともに画像ファイルの送信先としての
他のコピーシステム又は前記端末
他のコピーシステム又は前記端末
　前記端末からの要求に応じて、前記コンピュータ可読媒体に格納されている前記プログラムを、前記ネットワークを通じて前記端末へ送信するプログラム送信部とを備えることを特徴とするコピーシステム。」
と訂正し、
　
ハ．特許請求の範囲の請求項１８の記載
　「【請求項１８】原稿を読み取るスキャナ及びこのスキャナによって読み出された画像データに基づいて印字を行うプリンタに夫々接続されることによってコピーシステムを構成するとともに、共通のネットワークを介して端末及び第３のネットワーク装置と通信可能なコピーサーバであって、
　前記スキャナが原稿を読み取ることによって得られた画像データを画像ファイルのフォーマットに変換してディスクに保存する画像ファイル保存部と、
　前記端末が前記ディスク内に格納されている所定範囲の画像ファイルの管理情報を要求して来た場合には、要求された所定範囲の複数の画像ファイルの管理情報を前記ネットワークを通じて前記端末へ送信する管理情報応答部と、
　前記端末へ送信された複数の管理情報のうちの何れかに対応する画像ファイルを第３のネットワーク装置へ送信する事を前記端末が要求して来た場合には、要求された画像ファイルを前記ディスクから読み出して、端末によって特定された前記第３のネットワーク装置へ前記ネットワークを通じて送信する画像ファイル送信部と、
　前記端末を構成するコンピュータに対して、所定範囲の画像ファイルの管理情報を前記ネットワークを通じて前記管理情報応答部に要求させ、この要求に応じて前記管理情報応答部が送信した複数の管理情報を表示させ、表示されている複数の管理情報のうちの何れかが前記端末のオペレータによって特定されるとともに画像ファイルの送信先としての第３のネットワーク装置が前記端末のオペレータによって特定された場合には、当該特定された管理情報に対応する画像ファイルを当該特定された第３のネットワーク装置へ送信する事を前記ネットワークを通じて前記画像ファイル送信部へ要求させるプログラムを格納したコンピュータ可読媒体と、
　前記端末からの要求に応じて、前記コンピュータ可読媒体に格納されている前記プログラムを、前記ネットワークを通じて前記端末へ送信するプログラム送信部とを備えることを特徴とするコピーサーバ。」
を、
　「【請求項１８】原稿を読み取るスキャナ及びこのスキャナによって読み出された画像データに基づいて印字を行うプリンタに夫々接続されることによってコピーシステムを構成するとともに、共通のネットワークを介して端末及び
他の同構成のコピーシステム
　前記スキャナが原稿を読み取ることによって得られた画像データを画像ファイルのフォーマットに変換してディスクに保存する画像ファイル保存部と
、
他のコピーシステム又は前記端末自身
他のコピーシステム又は前記端末自身
　
前記端末と夫々通信するために複数併存し、夫々、
とともに、前記端末が前記ディスク内に格納されている所定範囲の画像ファイルの管理情報を要求して来た場合には、要求された所定範囲の複数の画像ファイルの管理情報を前記ネットワークを通じて前記端末へ送信
、
予めそのアドレスが自己に登録されている他のコピーシステム又は前記端末
他のコピーシステム又は前記端末
制御部
と訂正し、
　
ニ．特許請求の範囲の請求項１９の記載
　「【請求項１９】共通のネットワークを介して互いに接続されたコピーシステムと端末と第３のネットワーク装置とからなるネットワークコピーシステムにおいて、前記コピーシステムが原稿を読み取ることによって得られた画像ファイルを管理するネットワークコピーファイル管理方法であって、
　所定範囲の画像ファイルの管理情報を、前記ネットワークを通じて前記端末が前記コピーシステムに対して要求し、
　要求された所定範囲の複数の画像ファイルの管理情報を、前記ネットワークを通じて前記コピーシステムが前記端末に対して送信し、
　送信された複数の管理情報を前記端末が表示し、
　表示された複数の管理情報のうちオペレータによって特定された管理情報に対応する画像ファイルをオペレータによって特定された第３のネットワーク装置へ送信する事を、前記ネットワークを通じて前記端末が前記コピーシステムに対し
て要求し、
　端末によって要求された画像ファイルを、端末によって特定された第３のネットワーク装置に対して前記ネットワークを通じて前記コピーシステムが送信することを特徴とするネットワークコピーファイル管理方法。」
を、
　「【請求項１９】共通のネットワークを介して互いに接続された
第１の
前記第１のコピーシステムと同構成を有する第２のコピーシステム
第１の
　所定範囲の画像ファイルの管理情報を、前記ネットワークを通じて前記端末が前記
第１の
　要求された所定範囲の複数の画像ファイルの管理情報を、前記ネットワークを通じて前記
第１の
　送信された複数の管理情報を前記端末が表示し、
　表示された複数の管理情報のうちオペレータによって特定された管理情報に対応する画像ファイルをオペレータによって特定された
第２のコピーシステム又は前記端末自身
第１の
　端末によって要求された画像ファイルを、端末によって特定され
且つ予めそのアドレスが自己に登録されている第２のコピーシステム又は前記端末
第１の
と訂正し、
　
ホ．特許請求の範囲の請求項２０の記載
　「【請求項２０】原稿を読み取るスキャナ及びこのスキャナによって読み出された画像データに基づいて印字を行うプリンタに夫々接続されることによってコピーシステムを構成するとともに、共通のネットワークを介して端末及び第３のネットワーク装置と通信可能なコンピュータに対して、
　前記スキャナが原稿を読み取ることによって得られた画像データを画像ファイルのフォーマットに変換してディスクに保存させ、
　前記端末が前記ディスク内に格納されている所定範囲の画像ファイルの管理情報を要求して来た場合には、要求された所定範囲の複数の画像ファイルの管理情報を前記ネットワークを通じて前記端末へ送信させ、
　前記端末へ送信された複数の管理情報のうちの何れかに対応する画像ファイルを特定の第３のネットワークへ送信する事を前記端末が要求して来た場合には、要求された画像ファイルを前記ディスクから読み出して、前記ネットワークを通じて前記第３のネットワーク装置へ送信させ、
  前記端末を構成するコンピュータに対して、所定範囲の画像ファイルの管理情報を前記ネットワークを通じて前記コピーシステムを構成するコンピュータに要求させ、この要求に応じて前記コピーシステムを構成するコンピュータが送信した複数の管理情報を表示させ、表示されている複数の管理情報のうちの何れかが前記端末のオペレータによって特定されるとともに画像ファイルの送信先としての第３のネットワーク装置が前記端末のオペレータによって特定された場合には、当該特定された管理情報に対応する画像ファイルを当該特定された第３のネットワーク装置へ送信する事を前記ネットワークを通じて前記コピーシステムを構成するコンピュータへ要求させるアプレットプログラムを、前記端末からの要求に応じて前記端末へ送信させるプログラムを格納したコンピュータ可読媒体。」
を、
　「【請求項２０】原稿を読み取るスキャナ及びこのスキャナによって読み出された画像データに基づいて印字を行うプリンタに夫々接続されることによってコピーシステムを構成するとともに、共通のネットワークを介して端末及び
前記コピーシステムと同構成を有する他のコピーシステム
　前記スキャナが原稿を読み取ることによって得られた画像データを画像ファイルのフォーマットに変換してディスクに保存させ、
　前記端末が前記ディスク内に格納されている所定範囲の画像ファイルの管理情報を要求して来た場合には、要求された所定範囲の複数の画像ファイルの管理情報を前記ネットワークを通じて前記端末へ送信させ、
　前記端末へ送信された複数の管理情報のうちの何れかに対応する画像ファイルを
予めそのアドレスが自己に登録されている他のコピーシステム又は前記端末
前記他のコピーシステム又は前記端末
  前記端末を構成するコンピュータに対して、所定範囲の画像ファイルの管理情報を前記ネットワークを通じて前記コピーシステムを構成するコンピュータに要求させ、この要求に応じて前記コピーシステムを構成するコンピュータが送信した複数の管理情報を表示させ、表示されている複数の管理情報のうちの何れかが前記端末のオペレータによって特定されるとともに画像ファイルの送信先としての
他のコピーシステム又は前記端末自身
他のコピーシステム又は前記端末自身
と訂正し、
　
ヘ．特許請求の範囲の請求項１，１７，１８，１９，２０の記載の訂正に伴い、明細書の段落【０００８】、【０００９】、【００２８】、【００３０】、【００３２】、及び【００３３】における対応する記載を訂正するものである。
　
（２）訂正の目的の適否、新規事項の有無及び拡張・変更の存否
　上記訂正事項（イ）〜（ホ）は、第３のネットワーク装置が、第１のコピーシステムと同構成を有する第２のコピーシステムであると限定するものであり、また、コピーシステムの画像ファイル送信部の送信先が、予めそのアドレスが登録されている他のコピーシステムであると限定するものであり、そして、コピーシステムの画像ファイル送信部が、端末による特定に応じて、他のコピーシステム又は端末自身に画像ファイルを送信すると限定するものであって、この限定内容は、明細書の記載から読み取れるものであるから、願書に添付した明細書に記載された事項の範囲内において訂正するものであり、特許請求の範囲の減縮に該当し、新規事項の追加に該当しない。
　上記訂正事項（ヘ）は、願書に添付した明細書に記載された事項の範囲内において訂正するものであり、明りょうでない記載の釈明に該当し新規事項の追加に該当しない。
　そして、上記訂正は、実質上特許請求の範囲を拡張し、変更するものでもない。
　
（３）以上のとおりであるから、上記訂正は、特許法第１２０条の４第２項及び同条第３項において準用する特許法第１２６条第２項から第４項までの規定に適合するので、当該訂正を認める。
　　
３．特許異議申立て理由の概要
　異議申立人小牧常松は、証拠として
甲第１号証：特開平１１−１０３３６７号公報
甲第２号証：特開平０３−１１０６４２号公報
甲第３号証：特開平０９−１０２８４０号公報
甲第４号証：特開平１０−１４５５４３号公報
甲第５号証：「秘伝ＨＴＭＬ，ＣＧＩ，ＰｅｒｌによるＷｅｂプログラミング」，ＢＮＮ社，平成９年８月２２日頒布）
を提出し、請求項１−２０に係る発明は、甲第１−５号証に記載された発明に基いて当業者が容易に発明し得るものであるから、特許法第２９条第２項の規定に違反してなされたものであり、したがって、請求項１−２０に係る発明の特許は、同法第１１３条第１項第２号の規定により取り消すべき旨主張している。
　
４．本件発明
　本件請求項１−２０に係る発明は、前述のとおり訂正が認められたのでその特許請求の範囲の請求項１−２０に記載された次のとおりのものである。
　
　「【請求項１】共通のネットワークを介して互いに接続された第１のコピーシステムと端末と第２のコピーシステムとからなるネットワークコピーファイル管理システムにおいて、
　前記各コピーシステムは、
　原稿を読み取って画像データを得る画像読取部と、
　この画像読取部によって得られた画像データを画像ファイルのフォーマットに変換してディスクに保存する画像ファイル保存部と、
　端末からの要求に応じて、要求された所定範囲の複数の画像ファイルの管理情報を、前記ネットワークを通じて前記端末へ送信する管理情報応答部と、
　端末からの要求に応じて、要求された画像ファイルを前記ディスクから読み出して、端末による特定に応じて予めそのアドレスが自己に登録されている他のコピーシステム又は前記端末へ、前記ネットワークを通じて送信する画像ファイル送信部とを備え、
　前記端末は、
　所定範囲の画像ファイルの管理情報を、前記ネットワークを通じて前記コピーシステムに対して要求する管理情報要求部と、
　要求に応じて前記コピーシステムが送信して来た複数の管理情報を表示する表示部と、
　この表示部に表示された複数の管理情報が夫々示す画像ファイルのうちの何れかを特定する旨のオペレータによるデータ入力，及び、画像ファイルの送信先としての他のコピーシステム又は自端末を特定する旨のオペレータによるデータ入力を受け付ける入力部と、
　前記表示部に表示された複数の管理情報が夫々示す画像ファイルのうち、前記入力部によって受け付けられたデータ入力によって特定された何れかの画像ファイルを前記特定された他のコピーシステム又は自端末へ送信する事を、前記ネットワークを通じて前記コピーシステムに対して要求する画像ファイル送信要求部とを備えることを特徴とするネットワークコピーファイル管理システム。
　
【請求項２】前記ディスクには多数のディレクトリが定義されており、前記画像ファイルは何れかのディレクトリに格納されていることを特徴とする請求項１記載のネットワークコピーファイル管理システム。
　
【請求項３】前記所定範囲は前記ディレクトリの範囲であることを特徴とする請求項２記載のネットワークコピーファイル管理システム。
　
【請求項４】前記管理情報応答部は、前記所定範囲内に下階層のディレクトリが定義されている場合には、当該下階層のディレクトリの管理情報をも前記端末へ送信し、
　前記表示部は、前記ディレクトリの管理情報に基づいてディレクトリ構造を表示することを特徴とする請求項３記載のネットワークコピーファイル管理システム。
　
【請求項５】前記表示部は、前記コピーシステムと通信可能な第３のネットワーク装置の管理情報をも表示することを特徴とする請求項１又は４記載のネットワークコピーファイル管理システム。
　
【請求項６】前記入力部は、前記表示部に表示された前記第３のネットワーク装置の管理情報のうちの何れかを特定する旨のオペレータによるデータ入力を受け付け、
　前記画像ファイル要求部は、この入力部によって受け付けられたデータ入力によって特定された何れか第３のネットワーク装置への画像ファイルの送信を前記コピーシステムに対して要求することを特徴とする請求項５記載のネットワークコピーファイル管理システム。
　
【請求項７】前記入力部は、ポインティングデバイスを含むことを特徴とする請求項６記載のネットワークコピーファイル管理システム。
　
【請求項８】前記画像ファイルはＪＰＥＧファイルであり、前記画像ファイル保存部は、前記画像データをＪＰＥＧ圧縮することによってＪＰＥＧデータを生成し、このＪＰＥＧデータを前記ＪＰＥＧファイルに格納することを特徴とする請求項１記載のネットワークコピーファイル管理システム。
　
【請求項９】前記画像ファイル保存部は、前記画像データをＪＰＥＧ圧縮することによって詳細画像用ＪＰＥＧデータを生成するとともに、前記画像データの解像度を落としてからＪＰＥＧ圧縮することによって概略画像用ＪＰＥＧデータを生成し、これら詳細画像用ＪＰＥＧデータ及び前記概略画像用ＪＰＥＧデータを結合して一つのＪＰＥＧファイルに格納することを特徴とする請求項１記載のネットワークコピーファイル管理システム。
　
【請求項１０】前記画像ファイル保存部は、原稿が複数頁からなる場合には、各頁についてそれぞれ生成された各詳細画像用ＪＰＥＧデータ及び各概略画像用ＪＰＥＧデータを結合して一つのＪＰＥＧファイルに格納することを特徴とする請求項９記載のネットワークコピーファイル管理システム。
　
【請求項１１】前記画像ファイルはＴＩＦＦファイルであり、前記画像ファイル保存部は、前記画像データを前記ＴＩＦＦファイルに格納することを特徴とする請求項１記載のネットワークコピーファイル管理システム。
　
【請求項１２】前記画像ファイル保存部は、前記画像データの解像度を落としてからＪＰＥＧ圧縮することによって概略画像用ＪＰＥＧデータを生成し、前記画像データ及び前記概略画像用ＪＰＥＧデータを結合して一つのＴＩＦＦファイルに格納することを特徴とする請求項１１記載のネットワークコピーファイル管理システム。
　
【請求項１３】前記画像ファイル保存部は、原稿が複数頁からなる場合には、各頁の画像データ及び各頁についてそれぞれ生成された各概略画像用ＪＰＥＧデータを結合して一つのＴＩＦＦファイルに格納することを特徴とする請求項１２記載のネットワークコピーファイル管理システム。
　
【請求項１４】前記管理情報応答部によって前記端末へ送信される前記画像ファイルの管理情報は、前記画像ファイルのファイル名であることを特徴とする請求項１記載のネットワークコピーファイル管理システム。
　
【請求項１５】前記コピーシステムは、前記端末からの要求に応じて、要求された画像ファイルから前記概略画像用ＪＰＥＧデータを抽出して、この前記概略画像用ＪＰＥＧデータを概略画像用ＪＰＥＧファイルに格納して前記端末へ送信する概略画像用ＪＰＥＧファイル応答部を、更に備え、
　前記端末は、所定範囲の画像ファイルに関する前記概略画像用ＪＰＥＧファイルを前記コピーシステムに対して要求する概略画像用ＪＰＥＧファイル要求部を、更に備え、
　前記表示部は、要求に応じて前記コピーシステムが送信して来た前記概略画像用ＪＰＥＧファイル中の前記概略画像用ＪＰＥＧデータに基づいて、概略画像を表示することを特徴とする請求項９又は１２記載のネットワークコピーファイル管理システム。
　
【請求項１６】前記コピーシステムは、前記端末からの要求に応じて、要求された画像ファイルから要求された頁用の前記概略画像用ＪＰＥＧデータを抽出して、この前記概略画像用ＪＰＥＧデータを概略画像用ＪＰＥＧファイルに格納して前記端末へ送信する概略画像用ＪＰＥＧファイル応答部を、更に備え、
　前記端末は、前記入力部によって受け付けられたデータ入力によって特定された何れかの画像ファイルに関する何れかの頁用の前記概略画像用ＪＰＥＧファイルを前記コピーシステムに対して要求する概略画像用ＪＰＥＧファイル要求部を、更に備え、
　前記表示部は、要求に応じて前記コピーシステムが送信して来た前記概略画像用ＪＰＥＧファイル中の前記概略画像用ＪＰＥＧデータに基づいて、概略画像を表示することを特徴とする請求項１０又は１３記載のネットワークコピーファイル管理システム。
　
【請求項１７】原稿を読み取るスキャナ及びこのスキャナによって読み出された画像データに基づいて印字を行うプリンタを有するとともに、共通のネットワークを介して端末及び他の同構成のコピーシステムと通信可能なコピーシステムであって、
　前記スキャナが原稿を読み取ることによって得られた画像データを画像ファイルのフォーマットに変換してディスクに保存する画像ファイル保存部と、
　前記端末が前記ディスク内に格納されている所定範囲の画像ファイルの管理情報を要求して来た場合には、要求された所定範囲の複数の画像ファイルの管理情報を、前記ネットワークを通じて前記端末へ送信する管理情報応答部と、
　前記端末へ送信された複数の管理情報のうちの何れかに対応する画像ファイルを予めそのアドレスが自己に登録されている他のコピーシステム又は前記端末へ送信する事を前記端末が要求して来た場合には、要求された画像ファイルを前記ディスクから読み出して、端末によって特定された前記他のコピーシステム又は前記端末へ前記ネットワークを通じて送信する画像ファイル送信部と、
　前記端末を構成するコンピュータに対して、所定範囲の画像ファイルの管理情報を前記ネットワークを通じて前記管理情報応答部に要求させ、この要求に応じて前記管理情報応答部が送信した複数の管理情報を表示させ、表示されている複数の管理情報のうちの何れかが前記端末のオペレータによって特定されるとともに画像ファイルの送信先としての他のコピーシステム又は前記端末が前記端末のオペレータによって特定された場合には、当該特定された管理情報に対応する画像ファイルを当該特定された他のコピーシステム又は前記端末へ送信する事を前記ネットワークを通じて前記画像ファイル送信部へ要求させるプログラムを格納したコンピュータ可読媒体と、
　前記端末からの要求に応じて、前記コンピュータ可読媒体に格納されている前記プログラムを、前記ネットワークを通じて前記端末へ送信するプログラム送信部とを備えることを特徴とするコピーシステム。
　
【請求項１８】原稿を読み取るスキャナ及びこのスキャナによって読み出された画像データに基づいて印字を行うプリンタに夫々接続されることによってコピーシステムを構成するとともに、共通のネットワークを介して端末及び他の同構成のコピーシステムと通信可能なコピーサーバであって、
　前記スキャナが原稿を読み取ることによって得られた画像データを画像ファイルのフォーマットに変換してディスクに保存する画像ファイル保存部と、
　前記端末を構成するコンピュータに対して、所定範囲の画像ファイルの管理情報を前記ネットワークを通じて前記管理情報応答部に要求させ、この要求に応じて前記管理情報応答部が送信した複数の管理情報を表示させ、表示されている複数の管理情報のうちの何れかが前記端末のオペレータによって特定されるとともに画像ファイルの送信先としての他のコピーシステム又は前記端末自身が前記端末のオペレータによって特定された場合には、当該特定された管理情報に対応する画像ファイルを当該特定された他のコピーシステム又は前記端末自身へ送信する事を前記ネットワークを通じて前記画像ファイル送信部へ要求させるプログラムを格納したコンピュータ可読媒体と、
　前記端末と夫々通信するために複数併存し、夫々、前記端末からの要求に応じて、前記コンピュータ可読媒体に格納されている前記プログラムを、前記ネットワークを通じて前記端末へ送信するとともに、前記端末が前記ディスク内に格納されている所定範囲の画像ファイルの管理情報を要求して来た場合には、要求された所定範囲の複数の画像ファイルの管理情報を前記ネットワークを通じて前記端末へ送信し、前記端末へ送信された複数の管理情報のうちの何れかに対応する画像ファイルを予めそのアドレスが自己に登録されている他のコピーシステム又は前記端末へ送信する事を前記端末が要求して来た場合には、要求された画像ファイルを前記ディスクから読み出して、端末によって特定された前記他のコピーシステム又は前記端末へ前記ネットワークを通じて送信する制御部とを備えることを特徴とするコピーサーバ。
　
【請求項１９】共通のネットワークを介して互いに接続された第１のコピーシステムと端末と前記第１のコピーシステムと同構成を有する第２のコピーシステムとからなるネットワークコピーシステムにおいて、前記第１のコピーシステムが原稿を読み取ることによって得られた画像ファイルを管理するネットワークコピーファイル管理方法であって、
　所定範囲の画像ファイルの管理情報を、前記ネットワークを通じて前記端末が前記第１のコピーシステムに対して要求し、
　要求された所定範囲の複数の画像ファイルの管理情報を、前記ネットワークを通じて前記第１のコピーシステムが前記端末に対して送信し、
　送信された複数の管理情報を前記端末が表示し、
　表示された複数の管理情報のうちオペレータによって特定された管理情報に対応する画像ファイルをオペレータによって特定された第２のコピーシステム又は前記端末自身へ送信する事を、前記ネットワークを通じて前記端末が前記第１のコピーシステムに対して要求し、
　端末によって要求された画像ファイルを、端末によって特定され且つ予めそのアドレスが自己に登録されている第２のコピーシステム又は前記端末に対して前記ネットワークを通じて前記第１のコピーシステムが送信することを特徴とするネットワークコピーファイル管理方法。
　
【請求項２０】原稿を読み取るスキャナ及びこのスキャナによって読み出された画像データに基づいて印字を行うプリンタに夫々接続されることによってコピーシステムを構成するとともに、共通のネットワークを介して端末及び前記コピーシステムと同構成を有する他のコピーシステムと通信可能なコンピュータに対して、
　前記スキャナが原稿を読み取ることによって得られた画像データを画像ファイルのフォーマットに変換してディスクに保存させ、
　前記端末が前記ディスク内に格納されている所定範囲の画像ファイルの管理情報を要求して来た場合には、要求された所定範囲の複数の画像ファイルの管理情報を前記ネットワークを通じて前記端末へ送信させ、
　前記端末へ送信された複数の管理情報のうちの何れかに対応する画像ファイルを予めそのアドレスが自己に登録されている他のコピーシステム又は前記端末へ送信する事を前記端末が要求して来た場合には、要求された画像ファイルを前記ディスクから読み出して、前記ネットワークを通じて前記他のコピーシステム又は前記端末へ送信させ、
  前記端末を構成するコンピュータに対して、所定範囲の画像ファイルの管理情報を前記ネットワークを通じて前記コピーシステムを構成するコンピュータに要求させ、この要求に応じて前記コピーシステムを構成するコンピュータが送信した複数の管理情報を表示させ、表示されている複数の管理情報のうちの何れかが前記端末のオペレータによって特定されるとともに画像ファイルの送信先としての他のコピーシステム又は前記端末自身が前記端末のオペレータによって特定された場合には、当該特定された管理情報に対応する画像ファイルを当該特定された他のコピーシステム又は前記端末自身へ送信する事を前記ネットワークを通じて前記コピーシステムを構成するコンピュータへ要求させるアプレットプログラムを、前記端末からの要求に応じて前記端末へ送信させるプログラムを格納したコンピュータ可読媒体。」
　
５．引用刊行物記載の発明
（刊行物１）
　当審が通知した取消理由に引用した特開平１１−１０３３６７号公報（平成１１年４月１３日出願公開。以下、「刊行物１」という。）（甲第１号証）には、図面と共に次の各記載がある。
　
（ア）「【０００６】
【発明の実施の形態】以下、画像入力装置を備えたデジタル複写機の場合について、図面により本発明の実施の形態を詳細に説明する。図２は本発明が実施されるデジタル複写機を含んだＬＡＮシステムのシステム構成図である。図示したように、このＬＡＮシステムは、本発明が実施される複数のデジタル複写機１，各種ファイルが格納されるファイルサーバ31，端末装置としての複数のワークステーション32，端末装置としての複数のパーソナルコンピュータ（以下、パソコンと略す）33，公衆電話網に接続され外部のファクシミリ装置との間でファクシミリ送受信を行うファクシミリサーバ34，画像情報を含んだ文書などが格納される光ファイリング装置35などから構成されている。なお、デジタル複写機１，ファイルサーバ31，ファクシミリサーバ34，光ファイリング装置35は、ワークステーション32，パソコン33など端末装置によって共用される。
このようなシステム構成により、デジタル複写機１はそれぞれの端末装置によりプリンタまたは画像入力装置として共用される
【０００７】また、図１は本発明の第１の実施例を示すデジタル複写機の構成ブロック図である。図示したように、この実施例のデジタル複写機１は、機器全体の制御・管理などを行う主制御部２，キーや表示部などから構成された操作部３，原稿上の画像を読み取るスキャナ４，記録紙上に文字や画像などを出力するプロッタ５，ＲＡＭや不揮発性メモリなどから構成されたメモリ６，画像情報を符号化してデータ量を圧縮したり符号化された画像情報を復号化したりする圧縮伸長部７，画像情報などを格納しておくハードディスク装置など補助記憶装置10，上記補助記憶装置10に画像情報などを格納したりする格納部８，補助記憶装置10内に格納された情報を検索したり読み出したりする検索部９，ＬＡＮを介した端末装置３２、３３との通信を制御するＬＡＮ通信制御部11などを備えている。」
　
（イ）「【０００８】図３にこの実施例の画像入力時の動作フロー、図４にコマンド受信時の動作フロー、図５に画像格納状況問い合わせがあったときの動作フロー、図６にリスト送信時の動作フローを示す。以下、図３〜図６などにより、この実施例の動作を説明する。
（中略）
【０００９】グループ内アクセス可能が指示されると（Ｓ４で、はい）、
格納部８はメモリ６内に設けたファイル情報格納部内の図８に示すようなファイル管理テーブル中の共用フラグを１（共用可を示す）に設定し（Ｓ５）
画像情報の格納場所、例えば格納するフォルダを手動で指定するか、自動的に決めるかを操作部３により選択させる
格納部８は図９に示すようなディレクトリ・リストを表示させ、利用者に格納する場所の指定を行わせる。そして、指定された内容を取得し、メモリ６内のファイル情報格納部に記憶する（Ｓ８）
上記自動割り当てでは、例えばユーザ名（ユーザＩＤ）単位に設けられたフォルダに割り当てる
格納部８はファイル管理テーブルに格納日やページ数などファイル情報を書き込む（Ｓ14）。なお、ファイル管理テーブル（図８）はフォルダ毎（例えばユーザＩＤ毎）に分けて作成してもよい
【００１０】次に、この実施例のデジタル複写機１は、アイドル状態のとき、図４のステップＳ21に示したように、端末装置からのコマンドがＬＡＮを介してパケットとして受信されるのを待つ状態になっている（Ｓ21）。そして、パケットが受信されると、そのパケットがこの発明に係わるフォーマットのパケットか否かがＬＡＮ通信制御部11において解析され（Ｓ22）、上記フォーマットのパケットの場合、主制御部２の対応するプロセスを起動する。こうして、パケット内の情報を取得した主制御部２内の上記プロセスは、上記情報を構成しているサービス番号やファンクション番号をチェックする（Ｓ23）。さらに、パスワードチェックなど認証チェックやユーザＩＤチェックを含むユーザ関連情報のチェックを行い（Ｓ24）、それぞれのチェック結果がＯＫであれば（Ｓ25で、はい）上記サービス番号に対応した処理へと進む（Ｓ26）。それに対して、いずれかのチェック結果がＯＫでなければ（Ｓ25で、いいえ）、受信したパケットを無視し、ステップＳ21へ戻る。
【００１１】
各端末装置は、格納状況問い合わせを行う
各デジタル複写機１では、格納状況問い合わせコマンドを受けると
検索部９はメモリ６内のファイル情報格納部のファイル管理テーブルを参照し、コマンドで指定されたユーザのデータ（画像情報）が格納されているか否かをチェックする（Ｓ31）
当該画像情報が格納されていれば
レスポンスパケットを作成し（Ｓ34）、そのパケットを相手端末装置へ送信する
当該画像情報が格納されていなければ（Ｓ32で、いいえ）、エラーレスポンスパケットを作成し（Ｓ35）、そのパケットを相手端末装置へ送信する（Ｓ36
上記端末装置は、通信許可ＩＤを送ってきたデジタル複写機１に対し、上記通信許可ＩＤ付きのユーザデータリスト要求コマンドを送信する
デジタル複写機１の検索部９は図６の動作フローに示すように、ファイル情報格納部内のファイル管理テーブルを参照し、ユーザデータ格納リストを作成する（Ｓ41）。そして、ＬＡＮ通信制御部11は作成された上記リストをパケット化し（Ｓ42）、そのパケットを上記端末装置へ送信する（Ｓ43）
【００１２】またここで、
各端末装置からグループ識別符号を指定した格納状況問い合わせがあった時
共用フラグが設定されている画像情報があれば、この画像情報も格納画像情報として通知される
端末装置では、上記ユーザデータ格納リストを受け取ると、それを送ってきたデジタル複写機１のアドレスおよび通信許可ＩＤと対応付けて上記リスト情報を保持すると共に上記リストを表示装置に表示させ、利用者の指示を待つ（図10b 照）。利用者は表示されたリストを見て、一部の所望の画像情報またはリストアップされた全ての画像情報を上記通信許可ＩＤを用いて格納されているデジタル複写機から引き取る（図10c 参照）
　
（ウ）「【００１３】図11は、本発明の第２の実施例を示すデジタル複写機要部のブロック図である。図示したように、この実施例の
デジタル複写機は
ユーザデータ格納リストに縮小（低解像度）画像を添付して送信することができる
（中略）
妥当な解像度であると判定されたならば（Ｓ52で、はい）、
ファイル情報格納部内のファイル管理テーブルを参照して受信したコマンドに設定されたユーザＩＤに対応したユーザデータ格納リストを作成する（Ｓ53）
上記コマンドにフォルダが指定されていた場合は指定のフォルダに対応した格納リストが作成される
ユーザＩＤ毎のファイル管理テーブルが既に作成されている場合は、ユーザデータ格納リストを新たに作成する必要はないし、このテーブル内の各テーブルにフォルダ番号を設定しておくことによりフォルダ対応のユーザデータ格納リストも容易に作成することができる
【００１４】続いて、検索部９は、上記格納リスト記載順に、補助記憶装置10からファイル番号に基づいて対応する画像情報を読み出し（Ｓ54）、その画像情報を圧縮伸長部７において伸長（復号化）し、さらに、解像度変換部12において解像度変換（線密度変換）を行う（Ｓ55）。例えば
解像度を２分の１
画像の大きさは４分の１になる
ＬＡＮ通信制御部11は、格納リストに続いて、解像度変換された画像情報をパケット化してレスポンスパケットを作成し（Ｓ56）、そのパケットを相手端末装置へ送信する（Ｓ57）
格納リストに記載された全ての画像情報の縮小画像を送り終えると（Ｓ58で、いいえ）このフローを終了させる
【００１５】こうして、この実施例によれば、
格納リストだけでなく、縮小画像も添付されるので
取り出したい画像が容易にわかる
（中略）
【００１９】また、端末装置から
縮小画像付きグループデータ格納リストコマンド
妥当な解像度であると判定されたならば（Ｓ112 で、はい）、ファイル情報格納部内のファイル管理テーブルを参照して受信したコマンドに設定されたグループＩＤに対応したグループデータ格納リストを作成する（Ｓ113 ）
解像度を２分の１にする場合は
画像の大きさは４分の１
【００２０】
この後、ＬＡＮ通信制御部11は、格納リストに続いて、解像度変換された画像情報をパケット化してレスポンスパケットを作成し（Ｓ116 ）、そのパケットを相手端末装置へ送信する（Ｓ117 
なお、格納リストに次の画像が記載されておれば（Ｓ118 で、はい）ステップＳ114 からくり返し、格納リストに記載された全ての画像情報の縮小画像を送り終えると（Ｓ118 で、いいえ）このフローを終了させる
（中略）
こうして、この実施例によれば、
個人の画像格納リスト
グループの画像格納リスト
多数の画像情報を端末装置へ取り込む
画像格納リストに縮小画像も添付することもできるので、取り出したい画像が容易にわかる
【００２１】
【発明の効果】
（前略）
また、請求項３記載の発明では、端末装置からユーザ識別符号および解像度を指定した縮小画像送信要求を受けると、一つまたは複数の当該縮小画像情報が送信されるので、どのような画像情報かを簡単に確認することができる
（中略）
また、請求項６記載の発明では、１回の問い合わせで複数の画像入力装置に格納されている画像格納状況を知り、画像情報が格納された画像入力装置から画像情報を取り込むことができる。」
（下線は審決において付した。以下、同じ。）
　
　以上の記載から見て、刊行物１には、次のような発明が記載されているものと認められる。
　
　「デジタル複写機１が、ネットワーク（ＬＡＮ）を介して、ファイルサーバ３１、ＷＳ３２、パソコン３３、ＦＡＸサーバ３４、光ファイリング装置３５、及び他のデジタル複写機１'と通信可能に結ばれているシステムであって、このシステムのデジタル複写機１は、スキャナ４及びプロッタ５を有し、スキャナ４は、原稿を読み取って画像データを出力し、そしてデジタル複写機１の格納部８は、指定された格納場所をメモり６内のディレクトリにあるファイル情報格納部に記憶し、スキャナ４が読み取った画像データを画像ファイルのフォーマットに変換し補助記憶装置１０に保存し、またプロッタ５は、スキャナ４が読み取ることによって得られた画像データに基づいて印字を行い、
　そして、各端末装置は、デジタル複写機１を含む複数の画像入力装置に対して画像データ格納状況についての問い合わせを行い、各デジタル複写機１は、この格納状況問い合わせを受けると、その検索部９が、メモり６内のディレクトリに設けられているファイル情報格納部のファイル管理テーブルを参照し、問い合わせで指定されたユーザの画像情報が格納されているか否かをチェックし、
　画像情報が格納されていれば、相手端末に対し通信許可ＩＤを与え、そしてデジタル複写機１のＬＡＮ通信制御部１１は、通信許可ＩＤが書き込まれたレスポンスパケットを作成して相手端末装置へ送信し、
　画像情報が格納されていなければ、エラーレスポンスパケットを作成し、相手端末装置へ送信し、
　次に、レスポンスパケットを受信した端末装置は、通信許可ＩＤを送ってきたデジタル複写機１に対して、通信許可ＩＤ付きのユーザリスト要求コマンドを送信し、
　該コマンドを受信したデジタル複写機１の検索部９は、ファイル情報格納部内のファイル管理テーブルを参照し、ユーザデータ格納リストを作成し、該リストに縮小画像を添付して、要求元の端末装置へ送信し、
　ユーザデータ格納リスト及び添付された縮小画像とを受信した端末装置の利用者は、ユーザデータ格納リスト及び縮小画像とを表示し、該リストの中から所望の又は全部の画像情報を選択し、通信許可ＩＤを用いてデジタル複写機１に対し送信要求をし、
　該要求を受けたデジタル複写機１は、格納している画像情報の中から要求された画像情報を選択し送信するシステム。」
　
（刊行物２）
　当審が通知した取消理由に引用した特開平３−１１０６４２号公報（平成３年５月１０日出願公開。以下、「刊行物２」という。）（甲第２号証）には、図面と共に次の各記載がある。
　
（２のア）「［課題を解決するための手段］
　この発明では、前記ネットワーク上の複数のファイル保存装置（場合によっては文書作成装置に内蔵若しくは接続されているファイル装置なども含まれる）に分散して保存された複数の文書ファイルに基づいて、１つの新たな構造を有する文書を構築するに、
（ａ）適宜の入力装置、例えば特定の文書作成装置を通じた所定の指示操作に基づき、
前記ネットワークに接続された各ファイル保存装置からその存在する文書ファイルのファイルリストを読み込み、この読み込んだファイルリストを、当該文書作成装置のモニタ画面上に可視表示せしめる第１の制御手段
（ｂ）このファイルリストとして表示された文書ファイルの、同文書作成装置を通じた所定の指示操作に応じて、この指示された文書ファイル及びその保存先を認識し、
該認識した文書ファイル保存先に対して当該文書ファイルのファイル属性を示す情報の転送を要求する第２の制御手段
（ｃ）この要求に応じて
転送される前記ファイル属性を示す情報を、所定に順序付けして、所定の記憶領域に自動登録する第３の制御手段
を少なくとも具え、前記登録されるファイル属性を示す情報の組合せに基づいて、仮想的に、新たな文書構造を構築するようにする。
［作用］
　分散ファイルシステムにあっては通常、どのファイル保存装置に如何なる種類の文書ファイルが保存されているかといったようなことは予め管理されている。
　上記
第１の制御手段は
指示されたファイル保存装置をアクセスし、これに保存されている文書ファイルのファイルリストをユーザに提示するものであり、これによってユーザは、上記新たな文書を構築する上で必要とされる文書ファイルが何であるかを確認でき、また選択することができる
　上記
第２の制御手段は
その該当する保存先に、その該当する文書ファイルについてのファイル属性を示す情報の転送を指令するものである
このファイル属性を示す情報とは、例えばその該当する文書ファイルのファイル名を示す情報、及び同文書ファイルのファイル形式を示す情報、及び同文書ファイルの保存先を示す情報、及び同文書ファイルのバージョン番号を示す情報、等々からなるいわば参照情報であり、これに、当該文書ファイルとしての文書データそのものである実体ファイルは含まれない
　そして上記
第３の制御手段では、こうして転送されるファイル属性を示す情報にポインタ配列を施すなど、これを所定に順位付けしつつ、実際に、仮想文書の構築を行っていく。
　なお、こうして構築される文書の実体ファイル（文書データ）を、上記モニタ画面上に可視表示させたり、或いはプリンタを通じて印刷したりするには、
（ｄ）前記登録される
全てのファイル属性を示す情報に基づき
ファイル名を示す情報を
モニタ画面上に一覧表示せしめる第４の制御手段
（ｅ）この
一覧表示された情報の
指示された文書ファイル及びその保存先を認識し
該認識した文書ファイル保存先に対して該認識した文書ファイルについての実体ファイルの転送を要求する第５の制御手段
（ｆ）
この要求に応じて転送される実体ファイルを
所定の記憶領域に自動転記する第６の制御手段
等々を更に具え、
こうして転記される実体ファイルを、上記モニタ画面、或いはプリンタ等に出力するようにすればよい
　
（２のイ）「［実施例］
　第１０図は、以下に説明するこの発明の実施例が適用されるような分散ファイル・分散処理システムについて、その概念を示したものである。
（中略）
　なおこうした分散ファイル・分散処理システムにあっては通常、例えば前記各種マニュアルの構成要素となる各々の文書ファイルなどが、種類別或いは機能別に整理、分散されて、上記各ファイルサーバに保存されている。したがって、上記ネットワークのユーザが、上記文書作成装置を通じてその各々割り当てられた作業を行うに、必要に応じて上記資源管理装置１８或いは２８に問い合わせを行って、これら資源情報管理装置１８或いは２８から例えばファイルサーバに関するその管理情報が得られさえすれば、どのファイルサーバにどのような種類或いは機能の文書ファイルが保管されているかといったようなことも自ずと明らかになるのが普通である。
　また、上記
各ファイルサーバは
上記文書作成装置を通じたユーザの要求に応じて、各々管理する文書ファイル等のリスト等は勿論、これら「属性を示す情報」であれ、或いは「実体ファイル」であれ、その必要とされる情報を自由に提供できるようになっている
　
（２のウ）「また、上記
リンク情報として
ファイル属性情報については
　すなわちこの実施例では、この第２図に示すように、上記
リンク情報
ファイル名
ファイルタイプ
サービス名（保存先名）
ファイルパス名（探索経路）
ファイル容量
バージョン番号
ファイル属性情報
　
（２のエ）「そしてこの文書構築装置１０において、ネットワーク制御部１１４は、先のネットワーク（この例ではネットワークＮＷ１）と文書構築制御部１０２との間に介在されて、文書構築制御部１０２からの指令に基づき、主に
（１）前記資源情報管理装置１７（或いは２７）に対する所望情報（主には、各ファイルサーバの文書保管割り当て等が示されるとする
ファイルサーバリスト）の問い合わせ、並びにその回答情報の取り込み
（２）前記ファイルサーバ１１、１２（或いは２１、２２）に対する
保管ファイルリストの転送要求、並びにその転送リストの取り込み
（３）前記ファイルサーバ１１、１２（或いは２１、２２）に対する
所望文書ファイルについてのリンク情報の転送要求、並びにその転送情報の取り込み
（４）前記ファイルサーバ１１、１２（或いは２１、２２）に対する
所望文書ファイルについての実体ファイルの転送要求、並びにその転送ファイルの取り込み
（５）前記プリントサーバ１５（或いは２５）に対する
所望文書の印刷要求
等々、を実行する部分である。」（第７頁下右欄第１行〜第８頁上左欄第４行）
　
（２のオ）「以下、文書構築制御部１０２が実行するこれら各モードでの具体的な処理内容について、順に列記する。
（中略）
(A-3)また、上記選択されたリンクフォルダーが未使用のものであって、前記ファイルサーバの内の特定のものに対するファイルリストの転送を要求する操作（所望のファイルサーバを特定できない場合には、前記資源情報管理装置１７に対する前記ファイルサーバリストの転送が前もって行われる）が、ユーザによってなされた場合には（第３図Ｂステップ１３１０）、
その認知のもとに、ネットワーク制御部１１４を通じて所望の文書ファイルが保管されている上記特定のファイルサーバをアクセスし、このファイルサーバが保管している文書ファイルについてのファイルリストを転送するように要求するとともに、この要求に応じて転送された文書ファイルリストを、上記デスクトップに表示する
(A-4)ここで、上記「操作終了」を指定することなく、上記表示された文書ファイルリストから特定の文書ファイルを選択し（例えばマウス１１２により、リスト中のファイル名などをクリックする）このファイルををリンクフォルダーに転記することによって行う登録操作が、ユーザによってなされた場合には（第３図Ｂステップ１３２０）、
その認知のもとに、ネットワーク制御部１１４を通じて当該ファイルサーバをアクセスし、この選択された文書ファイルについてのリンク情報を転送するよう要求するとともに、この要求に応じて転送されたリンク情報を作業エリアに書き込む
（中略）
(A-12)また、同じく第５図に例示したような登録ファイルリストが表示されている状態で、特定の１乃至複数の文書ファイルを指定し、その対応する実体ファイルの転記を要求する操作（例えばマウス１１２により、リスト中のファイル名などをクリックした後、「転記」を指定する旨の適宜のキー操作を行う）が、ユーザによってなされた場合には（第３図Ｃステップ１３９０ｂ）、
ネットワーク制御部１１４を通じて、当該リンクフォルダーによって保持されている上記指定された文書ファイルを保管しているファイルサーバに対して所定のアクセスを行って、該ファイルサーバに、上記指定された文書ファイルについての実体ファイルを転送するよう要求するとともに、この要求に応じて転送された実体ファイルを、前記実体ファイルエリア１０３ｂに転記（コピー）する
　
（刊行物３）
　当審が通知した取消理由に引用した特開平９−１０２８４０号公報（平成９年４月１５日出願公開。以下、「刊行物３」という。）（甲第３号証）には、図面と共に次の各記載がある。
　
（３のア）「【００５２】図１１において、１１０１は読み取った原稿の画像を表示するプレビュー枠、
１１０２はアクセスしたコンピュータで管理しているディレクトリのリスト
読み取った画像データをアクセスしたコンピュータに転送する
【００５３】原稿を原稿台にセットし、Ｓ１００８でプレビューボタン１１０４が押されると、Ｓ１００９で原稿台にセットされた原稿をスキャナ１１５で読み取る。そして、読み取った画像データはＳ１０１０で画像メモリ１１３に蓄積し、その画像データをＳ１０１１でプレビュー枠１１０１に表示する。そして、Ｓ１０１２では必要に応じてプレビュー枠１１０１の２点を指定することにより、この２点を結ぶ直線を対角線とする矩形領域をトリミングする。尚、この選択した領域のアドレス情報をＲＡＭ１０３に記憶しておく。そしてＳ１０１３では、
ディレクトリリスト１１０２に表示された中から読み取った画像データを格納したいディレクトリの位置を押すことにより選択する
ファイル名を文字パレット１１０７から入力する
読み取った画像データのＳ１０１２で選択した領域をＲＡＭ１０３に記憶したアドレス情報に基づき画像メモリ１１３から読み出し、Ｓ１０１４で入力したファイル名とともにアクセスしたコンピュータに転送し、コンピュータのメモリ内の選択したディレクトリに格納させる
　
（刊行物４）
　当審が通知した取消理由に引用した特開平１０−１４５５４３号公報（平成１０年５月２９日出願公開。以下、「刊行物４」という。）（甲第４号証）には、図面と共に次の各記載がある。
　
（４のア）「【００４３】（前略）
画像セット信号のフォーマットは、
ＴＩＦＦ
ＪＦＩＦ
ＢＭＰ
ＰＩＣＴ
ＧＩＦ
フォトＣＤ
フラッシュピックス
(FlashPix)フォーマット等の
いかなる適切なもの
【００４４】
フラッシュピックスファイルは、完全な画像に加えていくつかの解像度のより低いコピーの階層を同じファイル内に含む
　
（刊行物５）
　当審が通知した取消理由に引用した『「秘伝ＨＴＭＬ，ＣＧＩ，ＰｅｒｌによるＷｅｂプログラミング」，ＢＮＮ社，平成９年８月２２日頒布』（以下、「刊行物５」という。）（甲第５号証）には、
　「ファックスデータの配信を実行するＣＧＩプログラムを用い、コンピュータを介してＷｅｂベースでファックスの送受信を実行することが記載されており、このコンピュータによるファックス通信は、以下（１）〜（４）に示されるプログラム、すなわち、
（１）ファックスの受信に必要なプログラム「ＭＧＥＴＴＹ」（第２９９頁参照。）
（２）ファックスの変換に必要なプログラム「Ｇ３ｔｏＧＩＦ．ＰＬ」、「ｇ３ｔｏｐｂｍ」、「ｐｎｍｔｏｐｓ」、「Ｇｈｏｓｔｓｃｒｉｐｔ」（第２９９頁、第３００頁参照。）
（３）ファックス管理画面に必要なプログラム「ＧＥＴ＿ＦＡＸ．ＰＬ」（第３０３〜３０４頁参照。）
（４）管理画面のバックエンド処理プログラム「ＶＩＥＷ＿ＦＡＸ．ＰＬ」（第３０７頁、第３１２頁参照。）
等を、ネットを介してＷｅｂブラウザーにより、ＷｅｂサーバやＷｅｂサイト等からダウンロードして、コンピュータにインストールし、ソフトウエア的にＷｅｂベースでファックス通信が可能なコンピュータとすること」が記載されている。
　　
６．対比・判断
（６．１）請求項１に係る発明について
　請求項１に係る発明と刊行物１に記載された発明を対比すると、刊行物１に記載された発明の「デジタル複写機１」、「スキャナ４」、「プロッタ５」、「格納部８」、「端末装置３２，３３」、「ＦＡＸサーバ３４、光ファイリング装置３５、他のデジタル複写機１'」、及び「ファイル管理テーブル、ファイル管理テーブルから作成されたユーザデータ格納リスト」は、それぞれ、請求項１に係る発明の「コピーシステム」、「スキャナ」、「プリンタ」、「画像ファイル保存部」、「端末装置」、「第２のコピーシステム」及び「画像ファイルの管理情報」に相当することは、明らかである。
　そして、刊行物１には、デジタル複写機１、ファイルサーバ３１、ＷＳ３２、パソコン３３、ＦＡＸサーバ３４、光ファイリング装置３５、及び他のデジタル複写機１'が、共通のネットワーク（ＬＡＮ）を介して通信可能に結ばれていることが記載されている（前記（ア）参照。）から、請求項１に係る発明と刊行物１に記載された発明とは、
　「共通のネットワークを介して互いに接続された第１のコピーシステムと端末と第２のコピーシステムとからなるネットワークコピーファイル管理システム」
である点において差異はない。
　また、刊行物１には、各デジタル複写機１は、スキャナ４及びプロッタ５を有し、スキャナ４は、原稿を読み取って画像データを出力し、そしてデジタル複写機１の格納部８は、指定された格納場所をメモり６内のディレクトリにあるファイル情報格納部に記憶し、スキャナ４が読み取った画像データを画像ファイルのフォーマットに変換し補助記憶装置１０に保存し、またプロッタ５は、スキャナ４が読み取ることによって得られた画像データに基づいて印字を行うことが記載されている（前記（ア）参照。）から、請求項１に係る発明と刊行物１に記載された発明とは、
　「前記各コピーシステムは、
原稿を読み取って画像データを得る画像読取部と、
　この画像読取部によって得られた画像データを画像ファイルのフォーマットに変換してディスクに保存する画像ファイル保存部」
を有する点で差異はない。
　また、刊行物１には、各端末装置が、デジタル複写機１を含む複数の画像入力装置に対して画像データ格納状況についての問い合わせを行い、各デジタル複写機１は、この格納状況問い合わせを受けると、その検索部９が、メモり６内のディレクトリに設けられているファイル情報格納部のファイル管理テーブルを参照し、問い合わせで指定されたユーザの画像情報が格納されているか否かをチェックし、画像情報が格納されていれば、相手端末に対し通信許可ＩＤを与え、デジタル複写機１のＬＡＮ通信制御部１１は、通信許可ＩＤが書き込まれたレスポンスパケットを作成して相手端末装置へ送信し、画像情報が格納されていなければ、エラーレスポンスパケットを作成して相手端末装置へ送信し、次に、レスポンスパケットを受信した端末装置は、通信許可ＩＤを送ってきたデジタル複写機１に対して、ユーザリスト要求コマンドを送信し、該コマンドを受信したデジタル複写機１の検索部９は、ファイル情報格納部内のファイル管理テーブルを参照し、ユーザデータ格納リストを作成し、該リストを、要求元の端末装置へ送信することが記載されている（前記（イ）参照。）から、請求項１に係る発明と刊行物１に記載された発明とは、
　「前記各コピーシステムは、
　端末からの要求に応じて、要求された所定範囲の複数の画像ファイルの管理情報を、前記ネットワークを通じて前記端末へ送信する管理情報応答部」
を有する点で差異はない。
　また、刊行物１には、ユーザデータ格納リストを受信した端末装置の利用者は、表示されたユーザデータ格納リストを見て、該リストの中から所望の又は全部の画像情報を選択し、通信許可ＩＤを用いてデジタル複写機１に対し送信要求をし、該要求を受けたデジタル複写機１は、格納している画像情報の中から要求された画像情報を選択し送信することが記載されている（前記（イ）参照。）から、請求項１に係る発明と刊行物１に記載された発明とは、
　「前記各コピーシステムは、
　端末からの要求に応じて、要求された画像ファイルを、前記ディスクから読み出して、端末による特定に応じて他のコピーシステム又は前記端末へ、前記ネットワークを通じて送信する画像ファイル送信部」
を備えている点で差異はない。
　また、刊行物１には、各端末装置が、デジタル複写機１を含む複数の画像入力装置に対して画像データ格納状況についての問い合わせを行い、その後、レスポンスパケットを受信した端末装置は、通信許可ＩＤを送ってきたデジタル複写機１に対して、通信許可ＩＤ付きのユーザリスト要求コマンドを送信することが記載されている（前記（イ）参照。）から、請求項１に係る発明と刊行物１に記載された発明とは、
　「前記端末は、
　所定範囲の画像ファイルの管理情報を、上記ネットワークを通じて前記コピーシステムに対して要求する管理情報要求部」
を有する点で差異はない。
　また、刊行物１には、ユーザデータ格納リスト及び添付された縮小画像とを受信した端末装置の利用者は、ユーザデータ格納リスト及び縮小画像とを表示し、該リストの中から所望の又は全部の画像情報を選択し、通信許可ＩＤを用いてデジタル複写機１に対し送信要求をすることが記載されている（前記（イ）参照。）から、請求項１に係る発明と刊行物１に記載された発明とは、
　「前記端末は、
　要求に応じて前記システムが送信して来た複数の管理情報を表示する表示部と、
　この表示部に表示された複数の管理情報が夫々示す画像ファイルのうちの何れかを特定する旨のオペレータによるデータ入力を受け付ける入力部と、
　前記表示部に表示された複数の管理情報が夫々示す画像ファイルのうち、前記入力部によって受け付けられたデータ入力によって特定された何れかの画像ファイルを前記特定された他のコピーシステム又は自端末へ送信する事を、前記ネットワークを通じて前記コピーシステムに対して要求する画像ファイル送信部」
を有する点で差異はない。
　
　そうすると、請求項１に係る発明と引用例１に記載された発明とは、
（一致点）
　「共通のネットワークを介して互いに接続された第１のコピーシステムと端末と第２のコピーシステムとからなるネットワークコピーファイル管理システムにおいて、
　前記各コピーシステムは、
　原稿を読み取って画像データを得る画像読取部と、
　この画像読取部によって得られた画像データを画像ファイルのフォーマットに変換してディスクに保存する画像ファイル保存部と、
　端末からの要求に応じて、要求された所定範囲の複数の画像ファイルの管理情報を、前記ネットワークを通じて前記端末へ送信する管理情報応答部と、
　端末からの要求に応じて、要求された画像ファイルを前記ディスクから読み出して、端末による特定に応じて他のコピーシステム又は前記端末へ、前記ネットワークを通じて送信する画像ファイル送信部とを備え、
　前記端末は、
　所定範囲の画像ファイルの管理情報を、前記ネットワークを通じて前記コピーシステムに対して要求する管理情報要求部と、
　要求に応じて前記コピーシステムが送信して来た複数の管理情報を表示する表示部と、
　この表示部に表示された複数の管理情報が夫々示す画像ファイルのうちの何れかを特定する旨のオペレータによるデータ入力を受け付ける入力部と、
　前記表示部に表示された複数の管理情報が夫々示す画像ファイルのうち、前記入力部によって受け付けられたデータ入力によって特定された何れかの画像ファイルを前記特定された他のコピーシステム又は自端末へ送信する事を、前記ネットワークを通じて前記コピーシステムに対して要求する画像ファイル送信要求部とを備えることを特徴とするネットワークコピーファイル管理システム。」
である点で一致し、次の点で相違する。
　
（相違点１）
　請求項１に係る発明は、送信先装置の複数のアドレスが、予めコピーシステム自身に登録されているのに対して、刊行物１に記載された発明は、端末装置が、ネットワークに接続されている他の装置に対しブロードキャスト問い合わせを行い、送信先装置の複数のアドレスを取得している点。
（相違点２）
　請求項１に係る発明は、画像ファイルの送信先としての他のコピーシステム又は自端末を特定する旨のオペレータによるデータ入力を受け付けているのに対し、刊行物１に記載された発明は、オペレータが、送信先を特定するためのデータ入力を行うことについて明記しない点。
　
（判断）
（相違点１について）
　インターネット等による通信網により通信を行うとき、送信元の端末装置自身に予め送信先となる装置のアドレス（例えばメールアドレス等）を登録しておき、その内の所望のアドレスを選択することにより、送信先装置へファイル等を転送することは、当業者ならずともパーソナルコンピュータのユーザが、日常的に行っている周知技術事項である。該周知技術事項を刊行物１に記載された発明に転用し、請求項１に係る発明の如く、予め送信先装置のアドレスをコピーシステムに登録しておくことは、当業者が適宜なし得ることである。
　
（相違点２について）
　前記相違点２について判断するに、
　一般に、端末側が、ファイルを格納している装置に対しファイル転送を指示するときには、送信すべきファイル名及び送信先アドレスとを共に指定する必要がある。そして、送信先アドレスとして自端末を指示すれば自己に、送信先アドレスとして他の端末装置を指定すればその端末装置に要求されたファイルが送信されることは自明なことである。例えば、この点については、
特開平１１−１０３３６７号公報（甲第１号証）の次の(i),(ii)の記載
(i)「特開平７−２７１５３５号公報に示されたスキャナプリンタサーバでは、まず、端末装置側で上記プリンタサーバに対し自端末装置を読み込んだ画像情報の転送先として指定」（段落【０００２】）
(ii)「スキャナプリンタサーバで原稿を読ませる際には必ず端末装置側で転送先を指定しておかねばならないという煩わしさがある」（段落【０００３】）
を参照のこと、更に又、
特開平０３−１１０６４２号公報（甲第２号証）の次の(iii)の記載
(iii)「ところで、この実施例においては、上記のように、実体文書を印刷する場合でも、実体ファイルエリア１０３ｂにその全部或は一部を一旦転記してから、これをプリントサーバ１５等に送り出すようにしているが、他に例えば、特にこの印刷などに関しては、その対象となる実体ファイルを、その保管先のファイルサーバから直接、プリントサーバ１５等に対して転送させる。といったような制御を、文書構築制御部１０２及びネットワーク制御部１１４を通じて行うようにしてもよい。」（第１４頁下左欄第１９行〜同頁下右欄第４行）
をも、参照のこと。
　したがって、刊行物１に記載された発明に上記周知技術事項を適用して、請求項１に係る発明の如く、送信先アドレスをオペレータが入力するようにすることは、当業者が適宜なし得ることである。
　
（６．２）請求項２に係る発明について
　請求項１に係る発明を引用する請求項２に係る発明は、画像ファイルをディスクに定義されているディレクトリに格納する発明であるが、
　ディスク等の補助記憶装置に多数のディレクトリを定義し該ディレクトリのいずれかにファイルを格納することは、MS-DOSやUNIX等の例を挙げるまでもなく当業者のみならずパーソナルコンピュータのユーザも通常行っている技術常識である。例えば、この点については、
特開平１１−１０３３６７号公報（甲第１号証）の次の記載
「格納部８は図９に示すようなディレクトリ・リストを表示させ、利用者に格納する場所の指定を行わせる。
（中略）
格納部８はファイル管理テーブルに格納日やページ数などファイル情報を書き込む（S14)。なお、ファイル管理テーブル（図８）はフォルダ毎（例えば）ユーザＩＤ毎）に分けて作成してもよい。」（段落【０００９】）
及び、
特開平９−１０２８４０号公報（甲第３号証）（段落【００３４】，【００３５】、【００５２】，【００５３】）
における記載を参照のこと。
　したがって、刊行物１に記載された発明に上記周知技術事項を転用して、請求項２に係る発明の如く、画像ファイルをディスクに定義されているディレクトリに格納するようにすることは、当業者が適宜なし得ることである。
　
（６．３）請求項３に係る発明について
　請求項２に係る発明を引用する請求項３に係る発明は、複数の画像ファイルの所定範囲がディレクトリの範囲であるとする発明であるが、そもそも対象である複数の画像ファイル及びその管理情報がディレクトリに格納されているのであるから、対象がディレクトリの範囲であることは明白なことである。
　したがって、請求項３に係る発明の如く、所定範囲をディレクトリの範囲とすることは、当業者が適宜なし得ることである。
　
（６．４）請求項４に係る発明について
　請求項３に係る発明を引用する請求項４に係る発明は、複数の画像ファイルの管理情報がディレクトリとそのディレクトリの下階層のディレクトリ、すなわちサブディレクトリにも格納されているとき、サブディレクトリに格納されている管理情報をも要求端末へ送信し、そして端末の表示部はディレクトリの管理情報に基づいてディレクトリ構造を表示するものであるが、
(i)ディレクトリの階層を問わず指定したディレクトリに格納されている情報（ファイル）を送信先装置へ送信することは、当業者のみならずパーソナルコンピュータのユーザが常時行っている周知技術事項であり、また、ディレクトリに格納されている管理情報を要求端末へ送信することも、先に項目（６．１）で述べたように当業者には周知である。
る。
(ii)MS-DOSには、TREEというコマンド（命令）があり、このコマンドを発行すると、端末の表示部にディレクトリ構造及び各ディレクトリ部分に格納されているファイルを樹状の階層構造で表示することは、パーソナルコンピュータのユーザには良く知られていることである。
(iii)更に述べるに、格納されているファイルの相互関連をディレクトリツリーで表示することは、特開平１１−９６１９４号公報の段落【０００２】、【００２０】、【０１３３】、【０１４６】にその旨の記載があるように当業者には周知な技術事項であり、また、ファイルリストをディレクトリ構造で表示することも、特開平９−１０２８４０号公報（甲第３号証）の段落【００３４】及び【００３５】にその旨の記載があるように、当業者には、周知な技術事項である。
  以上(i)及び(iii)に示される事項に鑑みると、刊行物１に記載された発明に、上記周知技術を適用して、請求項４に係る発明の如く構成することは、当業者が適宜なし得ることである。
　
（６．５）請求項５に係る発明について
　請求項１又は４に係る発明を引用する請求項５に係る発明は、端末の表示部が、コピーシステムと第３のネットワーク装置の管理情報をも表示するものであるが、
(i)ネットワークに接続され端末と通信可能であり、かつ、管理情報を有する装置であるならば、端末がこの装置の管理情報を取得し表示部に表示することができることは、当然のことである。
(ii)特開平１１−１０３３６７号公報（甲第１号証）には、
「以上、画像入力装置を備えたデジタル複写機の場合で説明したが、本発明は、ＬＡＮなどに直接接続された画像入力装置およびＬＡＮなどに接続されたデジタル複写機や複合機能装置などの画像入力装置に実施することが可能である。」（段落【００２０】）
との記載があり、この記載は、上記(i)を裏付けるものである。
　したがって、刊行物１に記載された発明に上記周知技術事項を適用して、請求項５に係る発明の如く、端末の表示部が第３のネットワーク装置の管理情報をも表示するようにすることは、当業者が適宜なし得ることである。
　
（６．６）請求項６に係る発明について
　請求項５に係る発明を引用する請求項６に係る発明は、表示部に表示された第３のネットワーク装置の管理情報のうちの何れかを特定する旨のオペレータによるデータ入力を受け付け、該特定された第３のネットワーク装置へ画像ファイルの送信を要求するものであるが、
(i)先ず、項目（６．１）で述べたように、刊行物１には、各ディジタル複写機１のユーザデータ格納リストを受信した端末装置の利用者は、表示されたユーザデータ格納リスト（管理情報に相当）を見て、該リストの中から所望の又は全部の画像情報を選択し、通信許可ＩＤを用いてデジタル複写機１に対し送信要求をし、該要求を受けたデジタル複写機１は、格納している画像情報の中から要求された画像情報を選択し送信することが記載されている（前記（イ）参照。）。
(ii)次に、項目（６．１）の（相違点２について）で述べたように、端末側が、ファイルを格納している装置に対しファイル転送を指示するときには、送信すべきファイル名及び送信先アドレスとを共に指定する必要がある。そして、送信先アドレスとして自端末を指示すれば自己に、送信先アドレスとして他の端末装置を指定すればその端末装置に要求されたファイルが送信されることは自明なことであり、この点は、
特開平１１−１０３３６７号公報（段落【０００２】、【０００３】）
特開平　３−１１０６４２号公報（第１４頁下左欄第１９行〜同頁下右欄第４行）
に開示されている。
(iii)更に、項目（６．５）で述べたように、デジタル複写機１のみならずネットワークに接続されている第３のネットワーク装置に対しても、ディジタル複写機１に対すると同様の操作を行うことが刊行物１に記載されている。
　以上のことに鑑みると、刊行物１に記載した発明に上記周知技術事項を適用して請求項６に係る発明の如く、構成することは、当業者が適宜なし得ることである。
　
（６．７）請求項７に係る発明について
　請求項６に係る発明を引用する請求項７に係る発明は、入力部がポインティングデバイスを含むとする発明であるが、入力部にマウスやタッチパネル等のポインティングデバイスを設けることは、日常的に行われている技術常識であるから、刊行物１に記載された発明に該周知技術事項を転用する程度のことは、当業者が適宜なし得ることである。
　
（６．８）請求項８に係る発明について
　請求項１に係る発明を引用する請求項８に係る発明は、画像ファイルをＪＰＥＧ圧縮し、圧縮後のデータをファイルとして格納するものである。
　然るに、画像処理のハンドブック及び辞書によれば、ＪＰＥＧは、ＩＳＯにより設置された専門家組織(Joint Photographic Experts Group)が定めた静画像データの圧縮方式の一つであり、その圧縮率は概ね1/10〜1/100程度のものであり、そしてこの圧縮方式は当業者には周知のものである。
　したがって、刊行物１に記載された発明に該周知の圧縮技術を適用して、請求項８に係る発明の如く、画像データをＪＰＥＧ圧縮した後それを格納することは、当業者が適宜なし得ることである。
　
（６．９）請求項９に係る発明について
　請求項１に係る発明を引用する請求項９に係る発明は、画像データをＪＰＥＧ圧縮して詳細画像用ＪＰＥＧデータを生成するとともに、画像データの解像度を落としてからＪＰＥＧ圧縮することによって概略用画像ＪＰＥＧデータを生成し、これら詳細画像データ並びに概略画像用データを結合して一つのファイルに格納するものであるが、
(i)先ず、項目（６．８）で述べたように、画像データをＪＰＥＧ圧縮した後に格納すること、すなわち詳細画像用ＪＰＥＧデータを作りファイルに格納することは、当業者には周知である。
(ii)次に、画像データから解像度を落とした概略画像データを生成することは、
特開平１１−９６１９４号公報
特開平１１−１０３３６７号公報（刊行物１）
（段落【０００５】、【００１４】、【００１５】参照。）
特開平１０−２３３８６０号公報
（特許請求の範囲の請求項２及び３参照。）
特開平１０−３４１４１１号公報
（段落【００１０】、【００２２】〜【００２６】参照。）
にその旨の記載のあるとおり当業者には、周知である。
(iii)更に、原画像データを縮小した画像データに対しＪＰＥＧ圧縮を施すことも、
特開平１０−２８５５０２号公報
（段落【０００８】〜【００１１】、【００４２】〜【００４６】参照。）
にその旨の記載のあるとおり当業者には周知である。
(iv)２つの画像データを結合することは、画像処理の技術分野においては当業者には周知な画像編集技術の１つにすぎない。そして、編集後の画像データを一つのファイルに格納する程度のことは、当業者のみならずパーソナルコンピュータのユーザが通常行っている技術常識である。
　以上のことに鑑みれば、刊行物１に記載された発明に上記周知事項を適用して、請求項９に係る発明の如く構成することは、当業者が適宜なし得ることである。
　
（６．１０）請求項１０に係る発明について
　請求項９に係る発明を引用する請求項１０に係る発明は、原稿が複数頁からなる場合、各頁についてそれぞれ生成された各詳細画像用ＪＰＥＧデータ及び各概略用ＪＰＥＧデータを結合して一つのＪＰＥＧファイルに格納するものであるが、
　項目（６．９）で述べたように、１頁の画像データについて詳細画像用ＪＰＥＧデータと概略画像用ＪＰＥＧデータとを結合して一つのファイルに格納することは当業者の設計事項程度のことであるから、複数頁の原稿についても、同様の処理を繰り返し、一つのＪＰＥＧファイルとして格納することは、当業者が適宜なし得ることである。
　
（６．１１）請求項１１に係る発明について
　請求項１に係る発明を引用する請求項１１に係る発明は、画像ファイルをＴＩＦＦファイルとして格納するものであるが、
　画像処理のハンドブック及び辞書によれば、ＴＩＦＦファイルとは、Aldus社とMicrosoft社によって開発されたTagged Image File Formatと呼ばれる画像データのフォーマットのことであり、このフォーマットに従えば、アプリケーションに比較的依存せずに、画像データを、解像度や色数、符号化方式の異なるいろいろな形式で一つのファイルにまとめて格納できるという効果が有り、当業者には周知なファイルフォーマットである。
　そして、ＴＩＦＦ、フラッシュピックス等のフォーマットを用い、完全な画像に加えていくつかの解像度のより低いコピーの階層を同じファイル内に格納することが、特開平１０−１４５５４３号公報（甲第４号証）（段落【００４３】、【００４４】）に開示されている。
　したがって、刊行物１に記載された発明に上記周知技術事項を適用して、請求項１１に係る発明の如く、画像ファイルをＴＩＦＦファイルとして格納することは、当業者が適宜なし得ることである。
　
（６．１２）請求項１２に係る発明について
　請求項１１に係る発明を引用する請求項１２に係る発明は、画像データの解像度を落としてからＪＰＥＧ圧縮することにより概略画像用ＪＰＥＧデータを生成し、画像データ及び概略画像用ＪＰＥＧデータを結合して一つのＴＩＦＦファイルとして格納するものであるが、
(i)項目（６．９）及び（６．１０）で述べたように、画像データ及び概略画像用ＪＰＥＧデータを結合して一つのＴＩＦＦファイルとして格納することは、当業者の設計事項程度のことである。　　　　　　
(ii)ＴＩＦＦファイルは、項目（６．１１）で述べたように、符号化形式の異なる複数のデータを一つのファイルにまとめて格納できるファイルフォーマットであり、当業者には周知されているものである。
　したがって、画像データと概略画像用ＪＰＥＧデータを結合して一つのＴＩＦＦファイルに格納することは、当業者が適宜なし得ることである。
　
（６．１３）請求項１３に係る発明について
　請求項１２に係る発明を引用する請求項１３に係る発明は、原稿が複数頁からなる場合には、各頁の画像データ及び各頁についてそれぞれ生成された各概略画像用ＪＰＥＧデータを結合して一つのＴＩＦＦファイルに格納するものであるが、
　項目（６．１２）で述べたように、１頁の画像データについて画像データと概略画像用ＪＰＥＧデータとを結合して一つのファイルとして格納することは、当業者の設計事項程度のことであるから、複数頁の原稿についても、同様の処理を繰り返し、一つのＴＩＦＦファイルとして格納することは当業者が適宜なし得ることである。
　
（６．１４）請求項１４に係る発明について
　請求項１に係る発明を引用する請求項１４に係る発明は、画像ファイルの管理情報は、画像ファイル名であるとするものであるが、
　画像ファイルの管理情報をファイル名とすることは、
特開平３−１１０６４２号公報（甲第２号証）
（第６頁下右欄第２行〜第７頁上左欄第１２行を参照。）
特開平１０−１７３８９７号公報（段落【００４５】を参照。）
にその旨の記載のあるとおり、当業者には周知である。
　したがって、刊行物１に記載された発明に、上記周知事項を適用することにより、請求項１４に係る発明の如く、管理情報をファイル名とすることは、当業者が適宜なし得るものである。
　
（６．１５）請求項１５に係る発明について
　請求項９又は１２に係る発明を引用する請求項１５に係る発明は、端末からの要求に応じて、要求された画像ファイルから概略画像用ＪＰＥＧデータを抽出して、この概略画像用ＪＰＥＧデータを概略画像用ＪＰＥＧファイルに格納して端末へ送信する概略画像用ＪＰＥＧファイル応答部を、更に備え、端末は、所定範囲の画像ファイルに関する概略画像用ＪＰＥＧファイルをコピーシステムに対して要求する概略画像用ＪＰＥＧファイル要求部を、更に備え、表示部は、要求に応じてコピーシステムが送信して来た概略画像用ＪＰＥＧファイル中の概略画像用ＪＰＥＧデータに基づいて、概略画像を表示するものであるが、
(i)項目（６．１）で述べたように、刊行物１には、端末装置が、所定範囲の画像ファイルの管理情報すなわちユーザデータ格納リストを各デジタル複写機１に要求すると、各ディジタル複写機１は、ユーザデータ格納リスト（管理情報）と縮小画像（概略画像）とを要求元の端末装置へ送信し、端末装置は、受信したユーザデータ格納リスト（管理情報）及び縮小画像（概略画像）とを表示部に表示することが記載されている。
(ii)また、項目（６．９）で述べたように、詳細画像ファイルの送信に先立って概略画像ファイルを送信させ、それを表示部に表示し該ファイルに格納されている画像情報の大略を把握することや送信要求の必要性を判断すること等は、刊行物１の他にも次の刊行物
特開平１１−０９６１９４号公報
特開平１０−２３３８６０号公報
にその旨の記載がある。
(iii)また、項目（６．９）で述べたように、画像データから解像度を落とした概略画像（サムネイル画像）を生成し、該生成した概略画像をＭＰＥＧ圧縮することは、
特開平１０−２８５５０２号公報
にその旨が記載されているように当業者には、周知である。
(iv)そして、項目（６．２）画像データをディレクトリにファイルとして格納することは、当業者のみならずパーソナルコンピュータのユーザにも周知慣用されている技術事項である。
　以上のことに鑑みると、請求項１５に係る発明は、請求項１に係る発明の管理情報を概略画像用ＪＰＥＧデータとしただけものであるから、刊行物１に記載された発明に上記周知技術事項を適用することによって、請求項１５に係る発明の如く構成することは、当業者が適宜なし得ることである。
　
（６．１６）請求項１６に係る発明について
　請求項１６に係る発明と刊行物１〜５に記載された発明とを対比すると、刊行物１〜５に記載された発明はいずれも、請求項１６に記載された特許を受けようとする発明を特定する事項の一部である
　「前記コピーシステムは、前記端末からの要求に応じて、要求された画像ファイルから要求された頁用の前記概略画像用ＪＰＥＧデータを抽出して、この前記概略画像用ＪＰＥＧデータを概略画像用ＪＰＥＧファイルに格納して前記端末へ送信する概略画像用ＪＰＥＧファイル応答部を、更に備え、
　前記端末は、前記入力部によって受け付けられたデータ入力によって特定された何れかの画像ファイルに関する何れかの頁用の前記概略画像用ＪＰＥＧファイルを前記コピーシステムに対して要求する概略画像用ＪＰＥＧファイル要求部を、更に備える」ことについて開示しない。
　そして、請求項１６に係る発明は、上記特許を受けようとする発明を特定する事項を有することにより、明細書記載の効果を奏するものであるから、請求項１６に係る発明は、刊行物１〜５に記載された発明であるとも、刊行物１〜５に記載された発明に基いて当業者が容易に発明をすることができた発明であるともいえない。
　
（６．１７）請求項１７に係る発明について
　請求項１７に係る発明と刊行物１に記載された発明を対比すると、請求項１７に係る発明と刊行物１に記載された発明とは、
（一致点）
　「原稿を読み取るスキャナ及びこのスキャナによって読み出された画像データに基づいて印字を行うプリンタを有するとともに、共通のネットワークを介して端末及び他の同構成のコピーシステムと通信可能なコピーシステムであって、
　前記スキャナが原稿を読み取ることによって得られた画像データを画像ファイルのフォーマットに変換してディスクに保存する画像ファイル保存部と、
　前記端末が前記ディスク内に格納されている所定範囲の画像ファイルの管理情報を要求して来た場合には、要求された所定範囲の複数の画像ファイルの管理情報を、前記ネットワークを通じて前記端末へ送信する管理情報応答部と、
　前記端末へ送信された複数の管理情報のうちの何れかに対応する画像ファイルを（予めそのアドレスが自己に登録されている）他のコピーシステム又は前記端末へ送信する事を前記端末が要求して来た場合には、要求された画像ファイルを前記ディスクから読み出して、端末によって特定された前記他のコピーシステム又は前記端末へ前記ネットワークを通じて送信する画像ファイル送信部と、
　前記端末を構成するコンピュータに対して、所定範囲の画像ファイルの管理情報を前記ネットワークを通じて前記管理情報応答部に要求させ、この要求に応じて前記管理情報応答部が送信した複数の管理情報を表示させ、表示されている複数の管理情報のうちの何れかが前記端末のオペレータによって特定されるとともに画像ファイルの送信先としての他のコピーシステム又は前記端末が前記端末のオペレータによって特定された場合には、当該特定された管理情報に対応する画像ファイルを当該特定された他のコピーシステム又は前記端末へ送信する事を前記ネットワークを通じて前記画像ファイル送信部へ要求させる要求部（プログラムを格納したコンピュータ可読媒体）と、
　前記端末からの要求に応じて、前記コンピュータ可読媒体に格納されている前記プログラムを、前記ネットワークを通じて前記端末へ送信するプログラム送信部と）を備えることを特徴とするコピーシステム。」
である点で一致し、次の点で相違する。
　
（相違点１）
　請求項１７に係る発明は、送信先装置の複数のアドレスが、予めコピーシステム自身に登録されているのに対して、刊行物１に記載された発明は、端末装置が、ネットワークに接続されている他の装置に対しブロードキャスト問い合わせを行い、送信先装置の複数のアドレスを取得している点。
　
（相違点２）
　請求項１７に係る発明は、要求された画像ファイルを送信先へ送信する事を画像ファイル送信部へ要求させるプログラムを格納したコンピュータ可読媒体を備え、端末からの要求に応じて、コンピュータ可読媒体に格納されている前記プログラムを端末へ送信するのに対し、刊行物１に記載された発明は、そのような構成をとっていない点。
　
（判断）
（相違点１について）
　相違点１についての判断は、項目（６．１）で述べたと同じ理由により、当業者が適宜なし得ることである。
　
（相違点２について）
　請求項１７に係る発明は、画像ファイルを送信先へ送信する機能を実行するプログラムを端末へ送信し、端末がそのプログラムを受信しそれを実行して、送信先へ画像ファイルを送信するものであるが、
　端末に、所定の動作を実行するプログラム（例えば、ファイル送信又は受信用のプログラム等）が、予めインストールされていない場合、該プログラムを保持する他のコンピュータ又はサーバー等からそのプログラムを端末にダウンロードし、アプレットとして、端末が所定の動作を実行することは、当業者には、周知されていることである。例えば、この点については、
特開平１１−１２０１４８号公報（段落【００２２】〜【００２５】）
『「秘伝ＨＴＭＬ，ＣＧＩ，ＰｅｒｌによるＷｅｂプログラミング」，ＢＮＮ社，平成９年８月２２日頒布』を参照のこと。
　したがって、上記周知技術事項を、刊行物１に記載された発明に適用して、請求項１７に係る発明の如く構成することは、当業者が適宜なし得ることである。
　　
（６．１８）請求項１８に係る発明について
　請求項１８に係る発明と刊行物１〜５に記載された発明とを対比すると、刊行物１〜５に記載された発明はいずれも、請求項１８に記載された特許を受けようとする発明を特定する事項の一部である
　「前記端末と夫々通信するために複数併存し、夫々、前記端末からの要求に応じて、前記コンピュータ可読媒体に格納されている前記プログラムを、前記ネットワークを通じて前記端末へ送信するとともに、前記端末が前記ディスク内に格納されている所定範囲の画像ファイルの管理情報を要求して来た場合には、要求された所定範囲の複数の画像ファイルの管理情報を前記ネットワークを通じて前記端末へ送信し、前記端末へ送信された複数の管理情報のうちの何れかに対応する画像ファイルを予めそのアドレスが自己に登録されている他のコピーシステム又は前記端末へ送信する事を前記端末が要求して来た場合には、要求された画像ファイルを前記ディスクから読み出して、端末によって特定された前記他のコピーシステム又は前記端末へ前記ネットワークを通じて送信する制御部」
について開示しない。
　そして、請求項１８に係る発明は、上記特許を受けようとする発明を特定する事項を有することにより、明細書記載の効果を奏するものであるから、請求項１８に係る発明は、刊行物１〜５に記載された発明であるとも、刊行物１〜５に記載された発明に基いて当業者が容易に発明をすることができた発明であるともいえない。
　
　（６．１９）請求項１９に係る発明について
　請求項１９に係る発明と刊行物１に記載された発明を対比すると、請求項１９に係る発明と刊行物１に記載された発明とは、
（一致点）
　「共通のネットワークを介して互いに接続された第１のコピーシステムと端末と前記第１のコピーシステムと同構成を有する第２のコピーシステムとからなるネットワークコピーシステムにおいて、前記第１のコピーシステムが原稿を読み取ることによって得られた画像ファイルを管理するネットワークコピーファイル管理方法であって、
　所定範囲の画像ファイルの管理情報を、前記ネットワークを通じて前記端末が前記第１のコピーシステムに対して要求し、
　要求された所定範囲の複数の画像ファイルの管理情報を、前記ネットワークを通じて前記第１のコピーシステムが前記端末に対して送信し、
　送信された複数の管理情報を前記端末が表示し、
　表示された複数の管理情報のうちオペレータによって特定された管理情報に対応する画像ファイルをオペレータによって特定された第２のコピーシステム又は前記端末自身へ送信する事を、前記ネットワークを通じて前記端末が前記第１のコピーシステムに対して要求し、
　端末によって要求された画像ファイルを、端末によって特定された第２のコピーシステム又は前記端末に対して前記ネットワークを通じて前記第１のコピーシステムが送信することを特徴とするネットワークコピーファイル管理方法。」
である点で一致し、次の点で相違する。
　
（相違点１）
　請求項１９に係る発明は、送信先装置の複数のアドレスが、予めコピーシステム自身に登録されているのに対して、刊行物１に記載された発明は、端末装置が、ネットワークに接続されている他の装置に対しブロードキャスト問い合わせを行い、送信先装置の複数のアドレスを取得している点。
　
（相違点２）
　請求項１９に係る発明のカテゴリが、「方法発明」であるのに対し、刊行物１に記載された発明のカテゴリは、「装置発明」である点。
　
（判断）
（相違点１について）
　相違点１についての判断は、項目（６．１）の相違点の判断で述べたと同じ理由により、当業者が適宜なし得ることである。
　
（相違点２について）
　発明のカテゴリ名を書き換え、「装置発明」を「方法発明」とすることは、当業者が適宜なし得ることである。
　　
（６．２０）請求項２０に係る発明について
　請求項２０に係る発明と刊行物１に記載された発明を対比すると、請求項２０に係る発明と刊行物１に記載された発明とは、
（一致点）
　「原稿を読み取るスキャナ及びこのスキャナによって読み出された画像データに基づいて印字を行うプリンタに夫々接続されることによってコピーシステムを構成するとともに、共通のネットワークを介して端末及び前記コピーシステムと同構成を有する他のコピーシステムと通信可能なコンピュータに対して、
　前記スキャナが原稿を読み取ることによって得られた画像データを画像ファイルのフォーマットに変換してディスクに保存させ、
　前記端末が前記ディスク内に格納されている所定範囲の画像ファイルの管理情報を要求して来た場合には、要求された所定範囲の複数の画像ファイルの管理情報を前記ネットワークを通じて前記端末へ送信させ、
　前記端末へ送信された複数の管理情報のうちの何れかに対応する画像ファイルを他のコピーシステム又は前記端末へ送信する事を前記端末が要求して来た場合には、要求された画像ファイルを前記ディスクから読み出して、前記ネットワークを通じて前記他のコピーシステム又は前記端末へ送信させ、
  前記端末を構成するコンピュータに対して、所定範囲の画像ファイルの管理情報を前記ネットワークを通じて前記コピーシステムを構成するコンピュータに要求させ、この要求に応じて前記コピーシステムを構成するコンピュータが送信した複数の管理情報を表示させ、表示されている複数の管理情報のうちの何れかが前記端末のオペレータによって特定されるとともに画像ファイルの送信先としての他のコピーシステム又は前記端末自身が前記端末のオペレータによって特定された場合には、当該特定された管理情報に対応する画像ファイルを当該特定された他のコピーシステム又は前記端末自身へ送信する事を前記ネットワークを通じて前記コピーシステムを構成するコンピュータへ要求させるアプレットプログラムを、前記端末からの要求に応じて前記端末へ送信させるプログラムを格納したコンピュータ可読媒体。」
である点で一致し、次の点で相違する。
　
（相違点１）
　請求項２０に係る発明は、送信先装置の複数のアドレスが、予め端末自身に登録されているのに対して、刊行物１に記載された発明は、端末装置が、ネットワークに接続されている他の装置に対しブロードキャスト問い合わせを行い、送信先装置の複数のアドレスを取得している点。
　
（相違点２）
　請求項２０に係る発明は、画像ファイルを転送先へ送信する事をコピーシステムを構成するコンピュータへ要求させるアプレットプログラムを、端末からの要求に応じて端末へ送信させるプログラムを格納したコンピュータ可読媒体を有しているのに対し、刊行物１に記載された発明は、そのような構成をとっていない点。
　
（相違点３）
　請求項２０に係る発明のカテゴリは、「媒体発明」であるのに対し、刊行物１に記載された発明のカテゴリは「装置発明」である点。
　
（判断）
（相違点１について）
　相違点１についての判断は、項目（６．１）の相違点の判断で述べたと同じ理由による。
　
（相違点２について）
(i)先ず、端末に所定の機能を実行するアプレットプログラムを送信し、そのアプレットを受信した端末が、それを実行することにより所定の機能を発揮するようにさせることは、先に、項目（６．１７）に述べたように当業者には、周知のことである。この点については、例えば、特開平１１−１２０１４８号公報を参照のこと。
(ii)次に、所定の機能の実現をハードウエアで実現するか、又は、ソフトウエアで実現するかは、当業者の設計事項である。
(ii)次に、端末が所定の機能を発揮するハードウエアを有しない時、その機能を代わりに実行するプログラムを送信してもらい、所定の機能を発揮させるようにすることは、上記(i)に述べたように当業者には周知であるから、アプレットプログラムの送信を、ハードウエア（送信装置）で行うかソフトウエア（プログラム）で行うかは、当業者の設計事項にすぎない。
　したがって、刊行物１に記載された発明に、上記周知技術事項を適用して請求項２０に係る発明の如く、構成することは、当業者が適宜なし得ることである。
　
（相違点３について）
　発明のカテゴリ名を書き換え、「装置発明」を「媒体発明」とすることは、当業者が適宜なし得ることである。
　
７．むすび
　以上のとおりであるから、特許異議申立の理由及び証拠によっては、本件請求項１６及び１８に係る発明の特許を取り消すことができない。
　そして、他に本件請求項１６及び１８に係る発明の特許を取り消すべき理由を発見しない。
　また、本件請求項１−１５、１７、１９−２０に係る発明は、刊行物１に記載された発明及び周知技術とに基いて、当業者が容易に発明をすることができたものであるから、請求項１−１５、１７、１９−２０に係る発明の特許は、特許法第２９条第２項の規定に違反してなされたものである。
　したがって、本件請求項１−１５、１７、１９−２０に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年５月２５日（２００５．５．２５）
【訂正の要旨】
審決（決定）の【理由】欄参照。
（５４）【発明の名称】
ネットワークコピーファイル管理システム、コピーシステム、コピーサーバ、ネットワークコピーファイル管理方法、コンピュータ可読媒体
（５７）【特許請求の範囲】
　【請求項１】
　共通のネットワークを介して互いに接続された
第１の
第２のコピーシステム
　前記
各
　原稿を読み取って画像データを得る画像読取部と、
　この画像読取部によって得られた画像データを画像ファイルのフォーマットに変換してディスクに保存する画像ファイル保存部と、
　端末からの要求に応じて、要求された所定範囲の複数の画像ファイルの管理情報を、前記ネットワークを通じて前記端末へ送信する管理情報応答部と、
　端末からの要求に応じて、要求された画像ファイルを前記ディスクから読み出して、端末によ
る
予めそのアドレスが自己に登録されている他のコピーシステム又は前記端末へ、
　前記端末は、
　所定範囲の画像ファイルの管理情報を、前記ネットワークを通じて前記コピーシステムに対して要求する管理情報要求部と、
　要求に応じて前記コピーシステムが送信して来た複数の管理情報を表示する表示部と、
　この表示部に表示された複数の管理情報が夫々示す画像ファイルのうちの何れかを特定する旨のオペレータによるデータ入力，及び、画像ファイルの送信先としての
他のコピーシステム又は自端末
　前記表示部に表示された複数の管理情報が夫々示す画像ファイルのうち、前記入力部によって受け付けられたデータ入力によって特定された何れかの画像ファイルを前記特定された
他のコピーシステム又は自端末
ことを特徴とするネットワークコピーファイル管理システム。
　【請求項２】
　前記ディスクには多数のディレクトリが定義されており、前記画像ファイルは何れかのディレクトリに格納されている
ことを特徴とする請求項１記載のネットワークコピーファイル管理システム。
　【請求項３】
　前記所定範囲は前記ディレクトリの範囲である
ことを特徴とする請求項２記載のネットワークコピーファイル管理システム。
　【請求項４】
　前記管理情報応答部は、前記所定範囲内に下階層のディレクトリが定義されている場合には、当該下階層のディレクトリの管理情報をも前記端末へ送信し、
　前記表示部は、前記ディレクトリの管理情報に基づいてディレクトリ構造を表示する
ことを特徴とする請求項３記載のネットワークコピーファイル管理システム。
　【請求項５】
　前記表示部は、前記コピーシステムと通信可能な第３のネットワーク装置の管理情報をも表示する
ことを特徴とする請求項１又は４記載のネットワークコピーファイル管理システム。
　【請求項６】
　前記入力部は、前記表示部に表示された前記第３のネットワーク装置の管理情報のうちの何れかを特定する旨のオペレータによるデータ入力を受け付け、
　前記画像ファイル要求部は、この入力部によって受け付けられたデータ入力によって特定された何れか第３のネットワーク装置への画像ファイルの送信を前記コピーシステムに対して要求する
ことを特徴とする請求項５記載のネットワークコピーファイル管理システム。
　【請求項７】
　前記入力部は、ポインティングデバイスを含む
ことを特徴とする請求項６記載のネットワークコピーファイル管理システム。
　【請求項８】
　前記画像ファイルはＪＰＥＧファイルであり、前記画像ファイル保存部は、前記画像データをＪＰＥＧ圧縮することによってＪＰＥＧデータを生成し、このＪＰＥＧデータを前記ＪＰＥＧファイルに格納する
ことを特徴とする請求項１記載のネットワークコピーファイル管理システム。
　【請求項９】
　前記画像ファイル保存部は、前記画像データをＪＰＥＧ圧縮することによって詳細画像用ＪＰＥＧデータを生成するとともに、前記画像データの解像度を落としてからＪＰＥＧ圧縮することによって概略画像用ＪＰＥＧデータを生成し、これら詳細画像用ＪＰＥＧデータ及び前記概略画像用ＪＰＥＧデータを結合して一つのＪＰＥＧファイルに格納する
ことを特徴とする請求項１記載のネットワークコピーファイル管理システム。
　【請求項１０】
　前記画像ファイル保存部は、原稿が複数頁からなる場合には、各頁についてそれぞれ生成された各詳細画像用ＪＰＥＧデータ及び各概略画像用ＪＰＥＧデータを結合して一つのＪＰＥＧファイルに格納する
ことを特徴とする請求項９記載のネットワークコピーファイル管理システム。
　【請求項１１】
　前記画像ファイルはＴＩＦＦファイルであり、前記画像ファイル保存部は、前記画像データを前記ＴＩＦＦファイルに格納する
ことを特徴とする請求項１記載のネットワークコピーファイル管理システム。
　【請求項１２】
　前記画像ファイル保存部は、前記画像データの解像度を落としてからＪＰＥＧ圧縮することによって概略画像用ＪＰＥＧデータを生成し、前記画像データ及び前記概略画像用ＪＰＥＧデータを結合して一つのＴＩＦＦファイルに格納する
ことを特徴とする請求項１１記載のネットワークコピーファイル管理システム。
　【請求項１３】
　前記画像ファイル保存部は、原稿が複数頁からなる場合には、各頁の画像データ及び各頁についてそれぞれ生成された各概略画像用ＪＰＥＧデータを結合して一つのＴＩＦＦファイルに格納する
ことを特徴とする請求項１２記載のネットワークコピーファイル管理システム。
　【請求項１４】
　前記管理情報応答部によって前記端末へ送信される前記画像ファイルの管理情報は、前記画像ファイルのファイル名である
ことを特徴とする請求項１記載のネットワークコピーファイル管理システム。
　【請求項１５】
　前記コピーシステムは、前記端末からの要求に応じて、要求された画像ファイルから前記概略画像用ＪＰＥＧデータを抽出して、この前記概略画像用ＪＰＥＧデータを概略画像用ＪＰＥＧファイルに格納して前記端末へ送信する概略画像用ＪＰＥＧファイル応答部を、更に備え、
　前記端末は、所定範囲の画像ファイルに関する前記概略画像用ＪＰＥＧファイルを前記コピーシステムに対して要求する概略画像用ＪＰＥＧファイル要求部を、更に備え、
　前記表示部は、要求に応じて前記コピーシステムが送信して来た前記概略画像用ＪＰＥＧファイル中の前記概略画像用ＪＰＥＧデータに基づいて、概略画像を表示する
ことを特徴とする請求項９又は１２記載のネットワークコピーファイル管理システム。
　【請求項１６】
　前記コピーシステムは、前記端末からの要求に応じて、要求された画像ファイルから要求された頁用の前記概略画像用ＪＰＥＧデータを抽出して、この前記概略画像用ＪＰＥＧデータを概略画像用ＪＰＥＧファイルに格納して前記端末へ送信する概略画像用ＪＰＥＧファイル応答部を、更に備え、
　前記端末は、前記入力部によって受け付けられたデータ入力によって特定された何れかの画像ファイルに関する何れかの頁用の前記概略画像用ＪＰＥＧファイルを前記コピーシステムに対して要求する概略画像用ＪＰＥＧファイル要求部を、更に備え、
　前記表示部は、要求に応じて前記コピーシステムが送信して来た前記概略画像用ＪＰＥＧファイル中の前記概略画像用ＪＰＥＧデータに基づいて、概略画像を表示する
ことを特徴とする請求項１０又は１３記載のネットワークコピーファイル管理システム。
　【請求項１７】
　原稿を読み取るスキャナ及びこのスキャナによって読み出された画像データに基づいて印字を行うプリンタを有するとともに、共通のネットワークを介して端末及び
他の同構成のコピーシステム
　前記スキャナが原稿を読み取ることによって得られた画像データを画像ファイルのフォーマットに変換してディスクに保存する画像ファイル保存部と、
　前記端末が前記ディスク内に格納されている所定範囲の画像ファイルの管理情報を要求して来た場合には、要求された所定範囲の複数の画像ファイルの管理情報を、前記ネットワークを通じて前記端末へ送信する管理情報応答部と、
　前記端末へ送信された複数の管理情報のうちの何れかに対応する画像ファイルを
予めそのアドレスが自己に登録されている他のコピーシステム又は前記端末
他のコピーシステム又は前記端末
　前記端末を構成するコンピュータに対して、所定範囲の画像ファイルの管理情報を前記ネットワークを通じて前記管理情報応答部に要求させ、この要求に応じて前記管理情報応答部が送信した複数の管理情報を表示させ、表示されている複数の管理情報のうちの何れかが前記端末のオペレータによって特定されるとともに画像ファイルの送信先としての
他のコピーシステム又は前記端末自身
他のコピーシステム又は前記端末自身
　前記端末からの要求に応じて、前記コンピュータ可読媒体に格納されている前記プログラムを、前記ネットワークを通じて前記端末へ送信するプログラム送信部とを
備えることを特徴とするコピーシステム。
　【請求項１８】
　原稿を読み取るスキャナ及びこのスキャナによって読み出された画像データに基づいて印字を行うプリンタに夫々接続されることによってコピーシステムを構成するとともに、共通のネットワークを介して端末及び
他の同構成のコピーシステム
　前記スキャナが原稿を読み取ることによって得られた画像データを画像ファイルのフォーマットに変換してディスクに保存する画像ファイル保存部と
、
　前記端末を構成するコンピュータに対して、所定範囲の画像ファイルの管理情報を前記ネットワークを通じて前記管理情報応答部に要求させ、この要求に応じて前記管理情報応答部が送信した複数の管理情報を表示させ、表示されている複数の管理情報のうちの何れかが前記端末のオペレータによって特定されるとともに画像ファイルの送信先としての
他のコピーシステム又は前記端末自身
他のコピーシステム又は前記端末自身
　
前記各端末と夫々通信するために複数併存し、夫々、
とともに、前記端末が前記ディスク内に格納されている所定範囲の画像ファイルの管理情報を要求して来た場合には、要求された所定範囲の複数の画像ファイルの管理情報を前記ネットワークを通じて前記端末へ送信
、
予めそのアドレスが自己に登録されている他のコピーシステム又は前記端末
他のコピーシステム又は前記端末
制御部
　【請求項１９】
　共通のネットワークを介して互いに接続された
第１の
前記第１のコピーシステムと同構成を有する第２のコピーシステム
第１の
　所定範囲の画像ファイルの管理情報を、前記ネットワークを通じて前記端末が前記
第１の
　要求された所定範囲の複数の画像ファイルの管理情報を、前記ネットワークを通じて前記
第１の
　送信された複数の管理情報を前記端末が表示し、
　表示された複数の管理情報のうちオペレータによって特定された管理情報に対応する画像ファイルをオペレータによって特定された
第２のコピーシステム又は前記端末自身
第１の
　端末によって要求された画像ファイルを、端末によって特定され
且つ予めそのアドレスが自己に登録されている第２のコピーシステム又は前記端末
第１の
ことを特徴とするネットワークコピーファイル管理方法。
　【請求項２０】
　原稿を読み取るスキャナ及びこのスキャナによって読み出された画像データに基づいて印字を行うプリンタに夫々接続されることによってコピーシステムを構成するとともに、共通のネットワークを介して端末及び
前記コピーシステムと同構成を有する他のコピーシステム
　前記スキャナが原稿を読み取ることによって得られた画像データを画像ファイルのフォーマットに変換してディスクに保存させ、
　前記端末が前記ディスク内に格納されている所定範囲の画像ファイルの管理情報を要求して来た場合には、要求された所定範囲の複数の画像ファイルの管理情報を前記ネットワークを通じて前記端末へ送信させ、
　前記端末へ送信された複数の管理情報のうちの何れかに対応する画像ファイルを
予めそのアドレスが自己に登録されている他のコピーシステム又は前記端末
前記他のコピーシステム又は前記端末
　前記端末を構成するコンピュータに対して、所定範囲の画像ファイルの管理情報を前記ネットワークを通じて前記コピーシステムを構成するコンピュータに要求させ、この要求に応じて前記コピーシステムを構成するコンピュータが送信した複数の管理情報を表示させ、表示されている複数の管理情報のうちの何れかが前記端末のオペレータによって特定されるとともに画像ファイルの送信先としての
他のコピーシステム又は前記端末自身
他のコピーシステム又は前記端末自身
プログラムを格納したコンピュータ可読媒体。
【発明の詳細な説明】
　【０００１】
　【発明の属する技術分野】
　本発明は、コンピュータネットワークを介して相互に接続されたコピーシステムと端末と第３のネットワーク装置とからなり、コピーシステムにおいて原稿を読み取って得た画像データを端末からの指示に応じて第３のネットワーク装置へ送信するネットワークコピーファイル管理システム，このようなネットワークコピーファイル管理システムを構成するコピーシステム，このようなコピーシステムの中核をなすコピーサーバ，上述したようなネットワークコピーファイル管理システムによるネットワークコピーファイル管理方法，コンピュータを上述したようなコピーサーバとして機能させるためのプログラムを格納したコンピュータ可読媒体に、関する。
　【０００２】
　【従来の技術】
　かつてのコピーシステムは、原稿台に置かれた原稿の像を感光ドラム上に直接結像させ、電子写真プロセスを用いて用紙上に現像するいわゆるアナログ方式のものであった。ところが、近年におけるデジタル技術の発展に伴って、より高度な画像処理を可能とするために、原稿をデジタル画像データとして読み取った後に適宜画像処理を施した上で印刷するデジタル方式が、コピーシステムの方式の主流となってきた。
　【０００３】
　このようなデジタル方式のコピーシステムは、原稿を読み取る読取装置，印刷を行う印刷装置，及び、これらの装置を制御するとともに読取装置から受信した画像データを適宜処理して印刷装置に送信するコピーサーバから、構成される。このうち、読取装置及び印刷装置は、夫々、コンピュータシステムに用いられているスキャナ及びプリンタ装置と同じ原理で動作する。従って、コピーシステムのアーキテクチャーをＰＣ−ＡＴ等のコンピュータシステムのものと共通にすれば、読取装置及び印刷装置としてスキャナやプリンタが流用でき、コピーサーバとして印刷制御プログラムをインストールした汎用のパーソナルコンピュータ又は専用コンピュータを用いることができる。
　【０００４】
　【発明が解決しようとする課題】
　このようにコピー制御装置としてＰＣ−ＡＴ等のパーソナルコンピュータが用いられた場合には、このコピーサーバにＴＣＰ／ＩＰ，ＨＴＴＰＤ等の通信プロトコル及びネットワークハードウェアを持たせることで、インターネット，ＬＡＮ（ローカルエリアネットワーク）等のコンピュータネットワークを介してコピーシステムと端末とを相互に接続することができる。このようにコピーシステムと端末とを相互に接続して通信可能に構成すると、実行するプログラム次第で様々な処理が可能であるコンピュータを有する端末を用いることによって、コピーシステムを様々な形態で活用することができる。
　【０００５】
　たとえば、コピーシステムのスキャナで原稿を読み取って得た画像データをコピーサーバ内に格納しておくとともに、必要に応じて、このように格納されている画像データの一覧を端末に表示し、端末から指定された特定の画像データを第３のネットワーク装置に送信（移動，コピー）することができれば、必要な時に必要なネットワーク装置へ画像データを送信することが可能になるので、従来のＦＡＸメールサービスよりもはるかに高画質且つ高速に、また、パソコン通信にて画像データを送信する場合よりもはるかに簡単に、遠隔地にある単数又は複数の第３のネットワーク装置へ画像を送信することが可能となる。
　【０００６】
　このような点に鑑み、本発明の課題は、原稿を読み取ることによってコピーシステムが得た画像データを画像ファイルとしてコピーシステム内のディスクに保存するとともに、コンピュータネットワークを介してこのコピーシステムに接続された端末からの要求に応じて、要求された範囲内の複数の画像ファイルの管理情報を端末の画面上に表示させ、表示された複数の管理情報のうち端末のオペレータによって要求された特定の管理情報に対応する画像ファイルを端末のオペレータによって特定された第３のネットワーク装置へ送信させるネットワークコピーファイル管理システム，このようなネットワークコピーファイル管理システムを構成するコピーシステム，このようなコピーシステムの中核をなすコピーサーバ，上述したようなネットワークコピーファイル管理システムによるネットワークコピーファイル管理方法，コンピュータを上述したようなコピーシステムとして機能させるためのプログラムを格納したコンピュータ可読媒体を、提供することである。
　【０００７】
　【課題を解決するための手段】
　本発明は、上記課題を解決するために、以下の構成を採用した。
　【０００８】
　請求項１記載の発明は、共通のネットワークを介して互いに接続された
第１の
第２のコピーシステム
各
る
予めそのアドレスが自己に登録されている他のコピーシステム又は前記端末へ、
他のコピーシステム又は自端末
他のコピーシステム又は自端末
　【０００９】
　このように構成されると、
いずれかのコピーシステムの
その
その
他
コピーシステム又は自端末
特定された他
コピーシステム又は自端末
その
その
他
コピーシステム又は同端末
　【００１０】
　画像データは、モノクロの二値データであっても良いし、多階調グレースケールデータであっても良いし、ＲＧＢ多階調データであっても良いし、ＹＭＣＫ多階調データであっても良いし、カラーパレットデータであっても良い。画像ファイルは、ＪＰＥＧファイルであっても良いし、ＴＩＦＦファイルであっても良いし、ＧＩＦファイルであっても良い。画像ファイルの管理情報は、画像ファイルのファイル名，ファイルサイズ，ファイル属性，タイムスタンプ，その画像ファイルに格納されている画像データの頁数のうちの何れかであっても良いし、全部であっても良い。ネットワークは、ＬＡＮであっても良いし、電話網やパケット交換網のような公衆回線網であっても良いし、インターネットやイントラネットであっても良い。ディスクは、ハードディスクであっても良いし、ＲＡＭディスクであっても良いし、フロッピー（登録商標）ディスクや光磁気ディスクであっても良い。入力部は、キーボードを有していても良いし、マウスやタッチパネルのようなポインティングデバイスを有していても良い。第３のネットワーク装置は、コピーシステムと同じ構成の他のコピーシステムでも良いし、端末と同じ構成の他の端末であっても良い。
　【００１１】
　請求項２記載の発明は、請求項１のディスクには多数のディレクトリが定義されており、前記画像ファイルは何れかのディレクトリに格納されていることで、特定したものである。
　【００１２】
　請求項３記載の発明は、請求項２の所定範囲が前記ディレクトリの範囲であることで、特定したものである。
　【００１３】
　請求項４記載の発明は、請求項３の管理情報応答部が、前記所定範囲内に下階層のディレクトリが定義されている場合には、当該下階層のディレクトリの管理情報をも前記端末へ送信し、前記表示部が、前記ディレクトリの管理情報に基づいてディレクトリ構造を表示することで、特定したものである。このようにディレクトリの管理情報が表示されると、画像ファイルをディレクトリ毎に整理して格納しておくことができるので、端末のオペレータは、目的の画像ファイルを容易に探し出すことができる。
　【００１４】
　請求項５記載の発明は、請求項１又は４記載の表示部が、前記コピーシステムと通信可能な第３のネットワーク装置の管理情報をも表示することで、特定したものである。このように第３のネットワーク装置の管理情報が表示されると、端末のオペレータは、画像ファイルの送信先としての第３のネットワーク装置を容易に特定することができる。
　【００１５】
　請求項６記載の発明は、請求項５の入力部が、前記表示部に表示された前記第３のネットワーク装置の管理情報のうちの何れかを特定する旨のオペレータによるデータ入力を受け付け、前記画像ファイル要求部が、この入力部によって受け付けられたデータ入力によって特定された何れか第３のネットワーク装置への画像ファイルの送信を前記コピーシステムに対して要求することで、特定したものである。
　【００１６】
　請求項７記載の発明は、請求項６の入力部がポインティングデバイスを含むことで、特定したものである。
　【００１７】
　請求項８記載の発明は、請求項１の画像ファイルがＪＰＥＧファイルであり、前記画像ファイル保存部が、前記画像データをＪＰＥＧ圧縮することによってＪＰＥＧデータを生成し、このＪＰＥＧデータを前記ＪＰＥＧファイルに格納することで、特定したものである。
　【００１８】
　請求項９記載の発明は、請求項１の画像ファイル保存部が、前記画像データをＪＰＥＧ圧縮することによって詳細画像用ＪＰＥＧデータを生成するとともに、前記画像データの解像度を落としてからＪＰＥＧ圧縮することによって概略画像用ＪＰＥＧデータを生成し、これら詳細画像用ＪＰＥＧデータ及び前記概略画像用ＪＰＥＧデータを結合して一つのＪＰＥＧファイルに格納することで、特定したものである。
　【００１９】
　請求項１０記載の発明は、請求項９の画像ファイル保存部が、原稿が複数頁からなる場合には、各頁についてそれぞれ生成された各詳細画像用ＪＰＥＧデータ及び各概略画像用ＪＰＥＧデータを結合して一つのＪＰＥＧファイルに格納することで、特定したものである。
　【００２０】
　請求項１１記載の発明は、請求項１の画像ファイルがＴＩＦＦファイルであり、前記画像ファイル保存部が、前記画像データを前記ＴＩＦＦファイルに格納することで、特定したものである。
　【００２１】
　請求項１２記載の発明は、請求項１１の画像ファイル保存部が、前記画像データの解像度を落としてからＪＰＥＧ圧縮することによって概略画像用ＪＰＥＧデータを生成し、前記画像データ及び前記概略画像用ＪＰＥＧデータを結合して一つのＴＩＦＦファイルに格納することで、特定したものである。
　【００２２】
　請求項１３記載の発明は、請求項１２の画像ファイル保存部が、原稿が複数頁からなる場合には、各頁の画像データ及び各頁についてそれぞれ生成された各概略画像用ＪＰＥＧデータを結合して一つのＴＩＦＦファイルに格納することで、特定したものである。
　【００２３】
　請求項１４記載の発明は、請求項１の管理情報応答部によって前記端末へ送信される前記画像ファイルの管理情報が前記画像ファイルのファイル名であることで、特定したものである。
　【００２４】
　請求項１５記載の発明は、請求項９又は１２のコピーシステムが、前記端末からの要求に応じて要求された画像ファイルから前記概略画像用ＪＰＥＧデータを抽出してこの前記概略画像用ＪＰＥＧデータを概略画像用ＪＰＥＧファイルに格納して前記端末へ送信する概略画像用ＪＰＥＧファイル応答部を更に備え、前記端末が、所定範囲の画像ファイルに関する前記概略画像用ＪＰＥＧファイルを前記コピーシステムに対して要求する概略画像用ＪＰＥＧファイル要求部を更に備え、前記表示部が、要求に応じて前記コピーシステムが送信して来た前記概略画像用ＪＰＥＧファイル中の前記概略画像用ＪＰＥＧデータに基づいて概略画像を表示することで、特定したものである。
　【００２５】
　このように構成されると、端末の画面上には、コピーシステムのディスクに格納された画像ファイルの管理情報とともに、その画像ファイルの概略画像が表示されるので、端末のオペレータは、要求すべき画像ファイルを容易に特定することができる。
　【００２６】
　請求項１６記載の発明は、請求項１０又は１３のコピーシステムが、前記端末からの要求に応じて要求された画像ファイルから要求された頁用の前記概略画像用ＪＰＥＧデータを抽出してこの前記概略画像用ＪＰＥＧデータを概略画像用ＪＰＥＧファイルに格納して前記端末へ送信する概略画像用ＪＰＥＧファイル応答部を更に備え、前記端末は、前記入力部によって受け付けられたデータ入力によって特定された何れかの画像ファイルに関する何れかの頁用の前記概略画像用ＪＰＥＧファイルを前記コピーシステムに対して要求する概略画像用ＪＰＥＧファイル要求部を更に備え、前記表示部は、要求に応じて前記コピーシステムが送信して来た前記概略画像用ＪＰＥＧファイル中の前記概略画像用ＪＰＥＧデータに基づいて概略画像を表示することで、特定したものである。
　【００２７】
　このように構成されると、多数頁分の画像データを含む画像ファイルについては、この画像ファイルに格納されている各頁の概略画像を任意に表示することができるので、端末のオペレータは、要求すべき画像ファイルを容易に特定することができる。
　【００２８】
　請求項１７記載の発明は、原稿を読み取るスキャナ及びこのスキャナによって読み出された画像データに基づいて印字を行うプリンタを有するとともに、共通のネットワークを介して端末及び
他の同構成のコピーシステム
予めそのアドレスが自己に登録されている他のコピーシステム又は前記端末
他のコピーシステム又は前記端末
他のコピーシステム又は前記端末自身
他のコピーシステム又は前記端末自身
　【００２９】
　【００３０】
　請求項１８記載の発明は、原稿を読み取るスキャナ及びこのスキャナによって読み出された画像データに基づいて印字を行うプリンタに夫々接続されることによってコピーシステムを構成するとともに、共通のネットワークを介して端末及び
他の同構成のコピーシステム
、
他のコピーシステム又は前記端末自身
他のコピーシステム又は前記端末自身
前記各端末と夫々通信するために複数併存し、夫々、
とともに、前記端末が前記ディスク内に格納されている所定範囲の画像ファイルの管理情報を要求して来た場合には、要求された所定範囲の複数の画像ファイルの管理情報を前記ネットワークを通じて前記端末へ送信
、
予めそのアドレスが自己に登録されている他のコピーシステム又は前記端末
他のコピーシステム又は前記端末
制御部
　【００３１】
　【００３２】
　請求項１９記載の発明は、共通のネットワークを介して互いに接続された
第１の
前記第１のコピーシステムと同構成を有する第２のコピーシステム
第１の
第１の
第１の
第２のコピーシステム又は前記端末自身
第１の
且つ予めそのアドレスが自己に登録されている第２のコピーシステム又は前記端末
第１の
　【００３３】
　請求項２０記載の発明は、原稿を読み取るスキャナ及びこのスキャナによって読み出された画像データに基づいて印字を行うプリンタに夫々接続されることによってコピーシステムを構成するとともに、共通のネットワークを介して端末及び
前記コピーシステムと同構成を有する他のコピーシステム
予めそのアドレスが自己に登録されている他のコピーシステム又は前記端末
前記他のコピーシステム又は前記端末
他のコピーシステム又は前記端末自身
他のコピーシステム又は前記端末自身
　【００３４】
　【発明の実施の形態】
　以下に図面を参照し、本発明によるネットワークコピー制御システムの実施形態を説明する。
　【００３５】
（全体構成）図１は、本実施形態によるネットワークコピー制御システムの概略構成図を示す。本例のネットワークコピー制御システムは、例えばＬＡＮ又はインターネットのようなネットワークＮＷによって相互に接続された複数組のコピーシステム１，１’及び多数台（若しくは１台）のクライアント端末２から、構成される。各コピーシステム１，１’は互いに全く同じ構成を有しているので、以下、一方のコピーシステム１についてのみ詳細な構成の説明を行う。
　【００３６】
　コピーシステム１は、専用コンピュータ又は一般的なパーソナルコンピュータからなるコピーサーバ（ファイルサーバ）１０と、このコピーサーバ１０に夫々接続されたスキャナ２０及びプリンタ２１とから、構成される。
　【００３７】
　更に、このコピーサーバ１０は、バス（データバス及びシステムバス）Ｂによって互いに接続されたＣＰＵ１７，ＲＡＭ１１，入出力制御部１２，ハードディスク１３，通信デバイス１４，ＳＣＳＩインタフェース１５及びセントロニクスインタフェース１６と、入出力制御部１２に接続されたタッチパネル１８，ＬＣＤ（Ｌｉｑｕｉｄ　Ｃｒｙｓｔａｌ　Ｄｉｓｐｌａｙ）１９及びキーボード２３とから、構成されている。
　【００３８】
　これらのうち、ＣＰＵ１７は、このコピーサーバ１０全体の制御を行うプロセッサ（コンピュータ）であり、画像読取部，画像ファイル保存部，プログラム送信部，管理情報応答部，画像ファイル送信部，概略画像用ＪＰＥＧファイル応答部として機能する。ＲＡＭ１１は、このＣＰＵ１７による作業領域が展開されるランダムアクセスメモリである。
　【００３９】
　通信デバイス１４は、各クライアント端末２や他のコピーシステム１’との間で、パケットベースのデータ交換を行う。この通信インタフェース１４としては、ネットワークＮＷがＬＡＮ（Ｌｏｃａｌ　Ａｒｅａ　Ｎｅｔｗｏｒｋ）である場合にはＬＡＮカードが用いられ、ネットワークＮＷがインターネットである場合にはシリアルインタフェース及びモデム，ＬＡＮカード又はＤＳＵが用いられる。
　【００４０】
　ＳＣＳＩインタフェース１５には、スキャナ２０に接続されたＳＣＳＩケーブルが接続され、このスキャナ２０との間のデータ交換（スキャナ２０に対する各種情報や命令の送信，スキャナ２０からの各種情報やスキャンデータの受信）を制御する。また、セントロニクスインタフェース１６には、プリンタ２１に接続されたセントロニクスケーブルが接続され、このプリンタ２１との間のデータ交換（プリンタ２１に対する各種情報や命令や印刷用データの送信，プリンタ２１からの各種情報の受信）を制御する。
　【００４１】
　コンピュータ可読媒体としてのハードディスク１３は、ＣＰＵ１７によって読み取られて実行される制御プログラム（オペレーションシステムプログラムを含む）１３１，並びに、クライアント端末２からの要求に応じて配信される多数のハイパーテキストデータ（そのうちの一つが“ＷｅｂＥｘｐｌｏｒｅ．ｈｔｍｌ”１３２）及びＪａｖａ（登録商標）アプレットのクラスファイル１３３を、格納している。これら制御プログラム等は、図示せぬＣＤ−ＲＯＭドライブ等を介して、このハードディスク１３にダウンロードされたものである。さらに、ディスクとしてのハードディスク１３には、後述する各種画像ファイル（ＪＰＥＧファイル，ＴＩＦＦファイル）を格納するための画像ファイル領域１３４が、確保されている。
　【００４２】
　この画像ファイル領域１３４には固有のドライブ名が与えられており、その内部は、論理的に、ツリー構造となっている。即ち、その全体がルートディレクトリとして定義されているとともに、当該ルートディレクトリの領域の全部又は一部が０個乃至複数個の下階層のサブディレクトリとして定義され、更に、各サブディレクトリの領域の全部又は一部が０個乃至複数個の下階層のサブディレクトリとして定義されているのである。そして、各サブディレクトリには、夫々ディレクトリ名が付与されているので、全てのサブディレクトリは、ルートからツリー状に枝分かれした各サブディレクトリのディレクトリ名を辿ることによって特定される。このようにルートから目的とするサブディレクトリに到る一連のサブディレクトリに付されたディレクトリ名の連なりを、「パス名」と称する。また、ルート及び各サブディレクトリを総称して、「ディレクトリ」と称するものとする。上述した各画像ファイルは、画像ファイル領域１３４内に定義された何れのディレクトリにも格納可能である。そして、何れかのディレクトリに格納された画像ファイルは、そのファイル名，及び、格納されたディレクトリのパス名により、特定される。
　【００４３】
　画像ファイル領域１３４に格納される画像ファイルは、ＪＰＥＧファイルとＴＩＦＦファイルに大別される。但し、本実施形態においては、本来のＪＰＥＧ（Ｊｏｉｎｔ　Ｐｈｏｔｏｇｒａｐｈｉｃ　Ｃｏｄｉｎｇ　Ｅｘｐｅｒｔｓ　Ｇｒｏｕｐ）ファイル及びＴＩＦＦ（Ｔａｇｇｅｄ　Ｉｍａｇｅ　Ｆｉｌｅ　Ｆｏｒｍａｔ）ファイルのフォーマットに、独自の改変を加えて用いている。即ち、本来のＪＰＥＧの規格では、一つのＪＰＥＧファイルは、ヘッダ及び１頁分のＪＰＥＧデータのみから構成されることになっているが、本実施形態では、一つのＪＰＥＧファイル内に、複数頁分のＪＰＥＧデータ（詳細画像用ＪＰＥＧデータ）と各頁に対応したＪＰＥＧサムネイルデータ（本来のＪＰＥＧデータの概略画像を表示するために解像度を落として生成された概略画像用ＪＰＥＧデータ）とが格納されるように、ＪＰＥＧファイルのフォーマットを改変している。また、本来のＴＩＦＦの規格では、一つのＴＩＦＦファイルは、一つのヘッダと１又は複数頁分のビットマップデータから構成されることになっているが、本実施形態では、一つのＴＩＦＦファイル内に、複数頁分のビットマップデータと各頁に対応したＪＰＥＧサムネイルデータ（概略画像用ＪＰＥＧデータ）とが格納されるように、ＴＩＦＦファイルのフォーマットを改変している。
　【００４４】
　図３７は、本実施例において使用されるＪＰＥＧファイル（１頁分のＪＰＥＧデータを格納するＪＰＥＧシングルページファイル）のフォーマット図である。この場合、ＪＰＥＧシングルページファイルは、先頭から順に、Ｔｏｔａｌ　ＪＰＥＧ　ｄａｔａ領域６０，Ｓｉｚｅ　ｏｆ　ＪＰＥＧ　ｔｈｕｍｎａｉｌ領域６１，ＪＰＥＧ　ｔｈｕｍｎａｉｌ領域６２，Ｏｆｆｓｅｔｏｆ　Ｔｏｔａｌ　ＪＰＥＧ　Ｄａｔａ領域６３，Ｏｆｆｓｅｔ　ｏｆ　ＪＰＥＧ　Ｔｈｕｍｎａｉｌ領域６４，Ｎｏ．ｏｆ　ｐａｇｅｓ領域６５，及び、Ｍａｋｅｒ領域６６から、構成される。このうち、Ｔｏｔａｌ　ＪＰＥＧ　ｄａｔａ領域６０は、ＪＰＥＧによって規定された本来のＪＰＥＧファイルに相当する領域であるので、ヘッダと１ページ分のＪＰＥＧデータを格納している。このＴｏｔａｌ　ＪＰＥＧ　ｄａｔａ領域６０のサイズは、ＪＰＥＧ圧縮前の画像のサイズや圧縮比如何に依るが、ここでは、一例として１００Ｋバイトであるとする。次のＳｉｚｅ　ｏｆＪＰＥＧ　ｔｈｕｍｎａｉｌ領域６１は、それに続くＪＰＥＧ　ｔｈｕｍｎａｉｌ領域６２のサイズを４バイトで示す領域であるが、ＪＰＥＧ　ｔｈｕｍｎａｉｌ領域６２のサイズは１０２４バイトに固定されているので、その値は“１０２４”である。次のＪＰＥＧ　ｔｈｕｍｎａｉｌ領域６２は、Ｔｏｔａｌ　ＪＰＥＧ　ｄａｔａ領域６０に格納されているＪＰＥＧデータの概略画像を示すＪＰＥＧサムネイルデータを格納する領域である。次のＯｆｆｓｅｔ　ｏｆ　Ｔｏｔａｌ　ＪＰＥＧＤａｔａ領域６３は、Ｔｏｔａｌ　ＪＰＥＧ　ｄａｔａ領域６０の当該ＪＰＥＧファイルの先頭からのオフセット量を示す領域であるが、ＪＰＥＧシングルページファイルにおいてＴｏｔａｌ　ＪＰＥＧ　ｄａｔａ領域６０は一個のみであるので、その値は“０”である。次のＯｆｆｓｅｔ　ｏｆ　ＪＰＥＧ　Ｔｈｕｍｎａｉｌ領域６４は、ＪＰＥＧ　ｔｈｕｍｎａｉｌ領域６２の当該ＪＰＥＧファイルの先頭からのオフセット量を示す領域であるが、ＪＰＥＧシングルページファイルにおいてＪＰＥＧ　ｔｈｕｍｎａｉｌ領域６２は一個のみであるので、その値は“１００Ｋ＋４”である。次のＮｏ．ｏｆ　ｐａｇｅｓ領域６５は、当該ＪＰＥＧファイルに含まれるＴｏｔａｌ　ＪＰＥＧ　ｄａｔａ領域６０の数を示す領域であるが、ＪＰＥＧシングルページファイルにおいてＴｏｔａｌ　ＪＰＥＧ　ｄａｔａ領域６０は一個のみであるので、その値は“１”である。次のＭａｋｅｒ領域６６は、当該ＪＰＥＧファイルが独自フォーマットによるものである事を示す領域であり、当該コピーサーバ１０の機種名である“Ｃｏｌｏｒ　Ｃｏｐｙ　Ｓｔａｔｉｏｎ”が記載されている。
　【００４５】
　図３８は、本実施例において使用されるＪＰＥＧファイル（Ｘ頁分のＪＰＥＧデータを格納するＪＰＥＧマルチページファイル）のフォーマット図である。このＪＰＥＧマルチページファイルでは、図３７のＪＰＥＧシングルページファイルの場合と比較して、Ｔｏｔａｌ　ＪＰＥＧ　ｄａｔａ領域６０，Ｓｉｚｅ　ｏｆ　ＪＰＥＧ　ｔｈｕｍｎａｉｌ領域６１，及びＪＰＥＧ　ｔｈｕｍｎａｉｌ領域６２のセットがＸ回繰り返して配置されているとともに、Ｏｆｆｓｅｔ　ｏｆ　Ｔｏｔａｌ　ＪＰＥＧ　Ｄａｔａ領域６３及びＯｆｆｓｅｔ　ｏｆ　ＪＰＥＧ　Ｔｈｕｍｎａｉｌ領域６４が夫々Ｘ個づつ配置されている。従って、或るページ（ｎ　ｐａｇｅ）についてのＯｆｆｓｅｔ　ｏｆ　Ｔｏｔａｌ　ＪＰＥＧ　Ｄａｔａ領域６３−ｎの値は、ｎページ目に対応するＴｏｔａｌ　ＪＰＥＧ　ｄａｔａ領域６０−ｎの当該ＪＰＥＧファイルの先頭からのオフセット量，即ち“（ｎ−１）×（１００Ｋ＋４＋１０２４）”である。また、或るページ（ｎ　ｐａｇｅ）についてのＯｆｆｓｅｔ　ｏｆ　ＪＰＥＧ　Ｔｈｕｍｎａｉｌ領域６４−ｎの値は、ｎページ目に対応するＪＰＥＧ　ｔｈｕｍｎａｉｌ領域６２−ｎの当該ＪＰＥＧファイルの先頭からのオフセット量，即ち“（ｎ−１）×（１００Ｋ＋４＋１０２４）＋１００Ｋ＋４”である。また、Ｎｏ．ｏｆ　ｐａｇｅｓ領域６５の値は、当該ＪＰＥＧファイルに含まれるＴｏｔａｌ　ＪＰＥＧ　ｄａｔａ領域６０の数，即ち“Ｘ”である。
　【００４６】
　図３９は、本実施例において使用されるＴＩＦＦファイル（１頁分のビットマップデータを格納するシングルページＴＩＦＦファイル）のフォーマット図である。この場合、シングルページＴＩＦＦファイルは、先頭から順に、ＴＩＦＦ　Ｈｅａｄｅｒ＋Ｄａｔａ領域７０，Ｓｉｚｅ　ｏｆ　ＪＰＥＧ　ｔｈｕｍｎａｉｌ領域７１，ＪＰＥＧ　ｔｈｕｍｎａｉｌ領域７２，Ｏｆｆｓｅｔ　ｏｆ　ＴＩＦＦ　Ｄａｔａ領域７３，Ｏｆｆｓｅｔ　ｏｆ　ＪＰＥＧ　Ｔｈｕｍｎａｉｌ領域７４，Ｎｏ．ｏｆ　ｐａｇｅｓ領域７５，及び、Ｍａｋｅｒ領域７６から、構成される。このうち、ＴＩＦＦ　Ｈｅａｄｅｒ＋Ｄａｔａ領域７０は、本来のＴＩＦＦファイルにおける１ページ目のデータを格納する領域に相当するので、ヘッダと１ページ分のビットマップデータを格納している。次のＳｉｚｅ　ｏｆ　ＪＰＥＧ　ｔｈｕｍｎａｉｌ領域７１は、それに続くＪＰＥＧ　ｔｈｕｍｎａｉｌ領域７２のサイズを示す領域である。次のＪＰＥＧ　ｔｈｕｍｎａｉｌ領域７２は、ＴＩＦＦ　Ｈｅａｄｅｒ＋Ｄａｔａ領域７０に格納されているビットマップデータの概略画像を示すＪＰＥＧサムネイルデータを格納する領域である。次のＯｆｆｓｅｔ　ｏｆ　ＴＩＦＦ　Ｄａｔａ領域７３は、ＴＩＦＦ　Ｈｅａｄｅｒ＋Ｄａｔａ領域７０内に格納されているビットマップデータの当該ＴＩＦＦファイルの先頭からのオフセット量を示す領域である。次のＯｆｆｓｅｔ　ｏｆ　ＪＰＥＧ　Ｔｈｕｍｎａｉｌ領域７４は、ＪＰＥＧ　ｔｈｕｍｎａｉｌ領域７２の当該ＴＩＦＦファイルの先頭からのオフセット量を示す領域である。次のＮｏ．ｏｆ　ｐａｇｅｓ領域７５は、当該ＴＩＦＦファイルに含まれるビットマップデータの数を示す領域であり、その値は“１”である。次のＭａｋｅｒ領域７６は、当該ＴＩＦＦファイルが独自フォーマットによるものである事を示す領域であり、当該コピーサーバ１０の機種名である“Ｃｏｌｏｒ　ＣｏｐｙＳｔａｔｉｏｎ”が記載されている。
　【００４７】
　図４０は、本実施例において使用されるＴＩＦＦファイル（Ｘ頁分のビットマップデータを格納するマルチページＴＩＦＦファイル）のフォーマット図である。このマルチページＴＩＦＦファイルは、先頭から順に、１ページ目のビットマップデータ用のＴＩＦＦ　Ｈｅａｄｅｒ＋Ｐａｇｅ１Ｄａｔａ領域７０−１，Ｓｉｚｅ　ｏｆ　Ｐａｇｅ１ＪＰＥＧ　ｔｈｕｍｎａｉｌ領域７１−１，及びＪＰＥＧ　ｔｈｕｍｎａｉｌ　ｆｏｒ　Ｐａｇｅ１領域７２−１，２〜Ｘ頁目のビットマップデータ用にＸ−１回繰り返して配置されるＴＩＦＦ　Ｐａｇｅ　ｎ　Ｄａｔａ領域７０−ｎ，Ｓｉｚｅ　ｏｆ　Ｐａｇｅ　ｎ　ＪＰＥＧ　ｔｈｕｍｎａｉｌ領域７１−ｎ，及びＪＰＥＧ　ｔｈｕｍｎａｉｌｆｏｒ　Ｐａｇｅ　ｎ領域７２−ｎのセット，Ｘ個のＯｆｆｓｅｔ　ｏｆ　ＴＩＦＦ　ｐａｇｅ　ｎ　Ｄａｔａ領域７３−ｎ，Ｘ個のＯｆｆｓｅｔ　ｏｆ　ＪＰＥＧ　Ｔｈｕｍｎａｉｌ　ｐａｇｅ　ｎ領域７４−ｎ，Ｎｏ．ｏｆ　ｐａｇｅｓ領域７５，並びに、Ｍａｋｅｒ領域７６から、構成される。このうち、ＴＩＦＦ　Ｈｅａｄｅｒ＋Ｐａｇｅ１Ｄａｔａ領域７０−１は、本来のＴＩＦＦファイルにおける１ページ目のデータを格納する領域に相当するので、ヘッダと１ページ目のビットマップデータを格納している。次のＳｉｚｅ　ｏｆ　Ｐａｇｅ１ＪＰＥＧ　ｔｈｕｍｎａｉｌ領域７１−１は、それに続くＪＰＥＧｔｈｕｍｎａｉｌ　ｆｏｒ　Ｐａｇｅ１領域７２−１のサイズを示す領域である。次のＪＰＥＧ　ｔｈｕｍｎａｉｌ　ｆｏｒ　Ｐａｇｅ１領域７２−１は、ＴＩＦＦ　Ｈｅａｄｅｒ＋Ｐａｇｅ１Ｄａｔａ領域７０−１に格納されているビットマップデータの概略画像を示すＪＰＥＧサムネイルデータを格納する領域である。ＴＩＦＦ　Ｐａｇｅ　ｎ　Ｄａｔａ領域７０−ｎは、本来のＴＩＦＦファイルにおけるｎページ目のデータを格納する領域に相当するので、ｎページ目のビットマップデータを格納している。次のＳｉｚｅ　ｏｆ　Ｐａｇｅ　ｎ　ＪＰＥＧ　ｔｈｕｍｎａｉｌ領域７１−ｎは、それに続くＪＰＥＧ　ｔｈｕｍｎａｉｌ　ｆｏｒ　Ｐａｇｅ　ｎ領域７２−ｎのサイズを示す領域である。次のＪＰＥＧ　ｔｈｕｍｎａｉｌ　ｆｏｒ　Ｐａｇｅ　ｎ領域７２−ｎは、ＴＩＦＦ　Ｈｅａｄｅｒ＋Ｐａｇｅ　ｎ　Ｄａｔａ領域７０−ｎに格納されているビットマップデータの概略画像を示すＪＰＥＧサムネイルデータを格納する領域である。各Ｏｆｆｓｅｔ　ｏｆ　ＴＩＦＦ　Ｄａｔａ領域７３−１〜Ｘは、対応する頁のビットマップデータの当該ＴＩＦＦファイルの先頭からのオフセット量を示す領域である。Ｏｆｆｓｅｔ　ｏｆ　ＪＰＥＧ　Ｔｈｕｍｎａｉｌ　ｐａｇｅ　ｎ領域７４ｎは、対応する頁用ＪＰＥＧ　ｔｈｕｍｎａｉｌ　ｆｏｒ　ｐａｇｅ　ｎ領域７２−ｎの当該ＴＩＦＦファイルの先頭からのオフセット量を示す領域である。次のＮｏ．ｏｆ　ｐａｇｅｓ領域７５は、当該ＴＩＦＦファイルに含まれるビットマップデータの数を示す領域であり、その値は“Ｘ”である。次のＭａｋｅｒ領域７６は、当該ＴＩＦＦファイルが独自フォーマットによるものである事を示す領域であり、当該コピーサーバ１０の機種名である“Ｃｏｌｏｒ　Ｃｏｐｙ　Ｓｔａｔｉｏｎ”が記載されている。
　【００４８】
　図１に戻り、ＬＣＤ（液晶パネル）１９は、このコピーサーバ１０の筐体の上面に填め込まれており、その表面上には、送信先設定部及びコピー条件指定部の一部をなすタッチパネル１８が重ねられている。このＬＣＤ１９は、モノクロ２階調のドットマトリックス液晶パネルであり、入出力制御部１２によって駆動され、ＣＰＵ１７が生成した操作画面を表示する。
　【００４９】
　図３５は、初期状態においてこのＬＣＤ１９に表示される操作画面（コピーモード基本操作画面）を示す。この図３５に示されるように、コピーモード基本操作画面は、左，右及び中央の３つのカラムに分かれている。このうち、左側のカラム５０には、主要なパラメータの種類を示すタブ（倍率，用紙種別，出力先，メモリ）が表示されており、中央のカラム５１には、各パラメータの現在における設定内容が表示されている（図３５の例では、ローカルプリンタ，即ち、自コピーシステム１のプリンタ２１にセットされているＡ４の普通紙へ等倍の倍率で出力するように、各パラメータが設定されている）。なお、このコピーモード基本操作画面の左上隅には、コピーモードボタン５２及びスキャンモードボタン５３が表示されている。このコピーモード基本操作画面はコピーサーバ１０がコピーモードに設定されている時に表示されるため、コピーモードボタン５２は、現在コピーモードに設定されている旨を示すために網掛け表示状態となっている。
　【００５０】
　図３６は、コピーサーバ１０がスキャンモードに設定されている時に最初にＬＣＤ１９上に表示される操作画面（スキャンモード基本操作画面）を示す。この図３６に示されるように、スキャンモード基本操作画面は、左，右及び中央の３つのカラムに分かれている。このうち、左側のカラム５０には、主要なパラメータの種類を示すタブ（ユーザ，原稿，解像度，モード，プリセット）が表示されており、中央のカラム５１には、各パラメータの現在における設定内容が表示されている（図３６の例では、解像度が３６０［ｄｐｉ］でＡ４の原稿をカラーモードで読み取って自コピーシステム１のハードディスク１３に格納するように、各パラメータが設定されている）。なお、このスキャンモード基本操作画面の左上隅には、コピーモードボタン５２及びスキャンモードボタン５３が表示されているが、スキャンモードボタン５３は、現在スキャンモードに設定されている旨を示すために網掛け表示状態となっている。
　【００５１】
　図１に戻り、タッチパネル１８は、ＬＣＤ１９に重ねられた感圧エリアセンサであり、オペレータの指によって押圧された位置に対応する信号を、入力制御部１２に入力する。なお、このタッチパネルにおけるＬＣＤ１９上の各表示項目に重なる部分を押圧することを、以下、単に、その表示項目を「押下する」と表記する。このようにして、基本操作画面における各タブが押下されると、ＣＰＵ１７の制御により、そのタブが示すパラメータについての選択枝が、コピーモード基本操作画面中の中央カラム５１に一覧表示される。また、コピーモード基本操作画面中のスキャンモードボタン５３が押下されると、ＣＰＵ１７の制御により、コピーサーバ１０がスキャンモードに設定されるとともに、ＬＣＤ１９上にスキャンモード基本操作画面が表示される。逆に、スキャンモード基本操作画面中のコピーモードボタン５２が押下されると、ＣＰＵ１７の制御により、コピーサーバ１０がコピーモードに設定されるとともに、ＬＣＤ１９上にコピーモード基本操作画面が表示される。
　【００５２】
　キーボード２３は、このコピーサーバ１０の筐体の上面においてタッチパネル１８に隣接して設けられたスタートキー，テンキー，等からなり、オペレータによって押下されたキーに対応した信号を、入力制御部１２に入力する。
　【００５３】
　入出力制御部１２は、ＣＰＵ１７から受け取った画像データに基づいてＬＣＤ１９を適宜駆動するとともに、タッチパネル１８からの入力信号を解析することによって対応する位置信号をＣＰＵ１７に入力したり、キーボード２３からの入力信号を解析することによって対応するコード信号をＣＰＵ１７に入力する。
　【００５４】
　次に、各クライアント端末２のハードウェア構成を、図２に基づいて説明する。図２に示されるように、各クライアント端末２は、互いにバスＢによって接続されたＣＰＵ３０，ＲＯＭ３１，ＲＡＭ３２，通信デバイス３３，バスコントローラ３４，ディスクドライブコントローラ（ＤＤＣ）３５，ディスプレイコントローラ３６及び入力インタフェース３７と、ディスクドライブコントローラ（ＤＤＣ）３５に接続されたハードディスク３８及びフロッピーディスクドライブ３９と、ディスプレイコントローラ３６に接続されたディスプレイ４０と、入力インタフェース３７に接続されたキーボード４１及びマウス４２とから、構成されている。
　【００５５】
　バスコントローラ３４は、バスＢの状態を管理して、バスＢ経由で各回路間のデータ授受を可能にする装置である。ディスクドライブコントローラ（ＤＤＣ）３５は、ＣＰＵ３０からの制御に応じて各ディスクドライブ３８，３９を駆動することによって、各ディスク（ハードディスク３８，フロッピーディスク４３）へのデータ書き込み及びディスク（ハードディスク３８，フロッピーディスク４３）からのデータ読み出しを行う。
　【００５６】
　ハードディスク３８には、固有のドライブ名が与えられており、ＣＰＵ３０によって実行されるオペレーションシステムプログラム（マイクロソフト社製ウィンドウズ９５（商標））や通信プログラム及びウェッブブラウザが、格納されている。このハードディスク３８内も、コピーサーバ１０のハードディスク１３内と同様に、論理的に、ツリー状に構成された多数のディレクトリに区分されている。そして、各ディレクトリに、何れかのコピーシステム１，１’のコピーサーバ１０，１０’からダウンロードした画像ファイルや他のクライアント端末２から受信した画像ファイルを格納することが、可能となっている。なお、マルチページＴＩＦＦ対応のビューワであれば、図４０のフォーマットを有する本実施形態によるマルチページＴＩＦＦファイル内からＴＩＦＦ　Ｈｅａｄｅｒ＋Ｐａｇｅ１Ｄａｔａ領域７０−１及びＴＩＦＦ　Ｐａｇｅ　ｎ　Ｄａｔａ領域７０−ｎのみを認識することができるので、図４０及び図３９に示すＴＩＦＦファイルがそのままハードディスク３８に格納される。しかしながら、図３７及び図３８のフォーマットを有する本実施形態によるＪＰＥＧファイルは、一般のＪＰＥＧ対応のビューワからは読めないので、Ｔｏｔａｌ　ＪＰＥＧ　ｄａｔａ領域６０のみが抽出されてハードディスク３８内に格納される。
　【００５７】
　表示部としてのディスプレイコントローラ３６は、ＣＰＵ３０による制御に従って、ＣＰＵ３０が生成した表示データに基づいてディスプレイ４０に各種画像を表示する。
　【００５８】
　入力部としての入力インタフェース３７は、マウス４２及びキーボード４１から入力された信号をエンコードすることによって、ユーザが入力した情報（押下されたキーを示す信号、マウス４２によって入力されたベクトル情報，マウス４２によって入力されたクリック信号）を、ＣＰＵ３０に入力する。
　【００５９】
　ＣＰＵ３０は、このクライアント装置２全体の制御を行うプロセッサ（コンピュータ）であり、管理情報要求部，概略画像用ＪＰＥＧファイル要求部，画像ファイル送信要求部として機能する。また、ＲＡＭ３２は、ＣＰＵ３０の作業領域として用いられるメモリであり、ＣＰＵ３０がハードディスク３８から読み出したオペレーションシステムプログラムやウェッブブラウザ３０１が展開される。このＣＰＵ３０は、電源投入時にＲＯＭ３１からＢＩＯＳプログラムを読み出して実行することによって、ハードディスク３８からオペレーションシステムプログラム及びウェッブブラウザを読み出してＲＡＭ３２に展開し、このオペレーションプログラムを実行することによってクライアント端末１０全体を制御するとともに、各コピーシステム１のコピーサーバ１０との間でパケットベースの通信を行う。
　【００６０】
　なお、このオペレーションシステムを実行することによって、ＣＰＵ３０は、入力インタフェース３７から入力されたベクトル情報に従って、ディスプレイ４０上にカーソルを表示して移動させ、クリック信号が入力された時には、その時点においてカーソルと重なっている画面中の項目を特定し、その項目の選択（その項目がコマンドである場合にはそのコマンドの入力）がなされたものと認識する（入力部の一部に相当）。以下、ある項目にカーソルが重ねられた状態でクリック信号が入力されることを、単に、その項目が「クリックされた」と称する。また、クリック信号が継続的に入力されている間にベクトル情報が入力された場合にはクリック信号が入力され初めた時点でカーソルに重なっていたオブジェクトがドラッグされているものと認識し、クリック信号が切れた時点でカーソルに重なった項目にドロップされたものと認識する。
　【００６１】
　また、ＣＰＵ３０は、ウェッブブラウザを実行することによって、サーバ１０に格納されているハイパーテキストデータ（“ＷｅｂＥｘｐｌｏｒｅ．ｈｔｍｌ”１３２）及びＪａｖａアプレット１３３のクラスファイルをＲＡＭ３２上にダウンロードして、このハイパーテキストデータ（“ＷｅｂＥｘｐｌｏｒｅ．ｈｔｍｌ”１３２）の内容を表示するための表示データを生成するとともに、Ｊａｖａアプレットを実行する。
　【００６２】
　通信デバイス３３としては、ネットワークＮＷがＬＡＮ（Ｌｏｃａｌ　Ａｒｅａ　Ｎｅｔｗｏｒｋ）である場合にはＬＡＮカードが用いられ、ネットワークＮＷがインターネットである場合にはシリアルインタフェース及びモデム，ＬＡＮカード又はＤＳＵが用いられる。
　【００６３】
　図３は、各コピーシステム１，１’のコピーサーバ１０のＣＰＵ１７がハードディスク１３から制御プログラム１３１を読み出してＲＡＭ１１に展開するとともに、各クライアント端末２がハードディスク３８からオペレーションシステム及びウェッブブラウザをＲＡＭ３２に展開した状態における各タスクやプログラムの関係を示す、ソフトウェア構成図である。この図３に示されるように、コピーサーバ１０のＣＰＵ１７が実行するタスクは、ネットワーク受信部１１１，２５個並存する制御部１１２，ＨＤＤ制御１１３，マネジメント部１１４，スキャナ部１１５，印刷部１１６及びオペレーションパネル部１１８である。また、各クライアント端末２のＣＰＵ３０が実行するタスクは、ウェッブブラウザ３０１及び通信部３０２である。なお、これら各コピーサーバ１０と各クライアント端末２との間の通信は、ＴＣＰ／ＩＰプロトコルに従ってなされるので、これら各コピーサーバ１０及び各クライアント端末２には、夫々、一意のＩＰアドレスが予め付与されている。
　【００６４】
　上述したコピーサーバ１０のネットワーク受信部１１１は、ネットワークアダプタ１４を制御するとともにＴＣＰ／ＩＰプロトコル，ＨＴＴＰ（ハイパーテキスト転送プロトコル）を終端するインターネットサーバとしてのタスクであり、パケットに格納されてネットワークＮＷから送信されてきたデータ（ＵＲＬ，各種メッセージ）を受信すると、空状態にある何れかの制御部１１２を起動して、その制御部１１２にこれらデータを渡す。図４１は、各制御部１１２が空状態にあるかビジー状態（他の処理を実行中である状態）にあるかを管理するためにＲＡＭ１１内に構築されたテーブルである。ネットワーク受信部１１１は、このテーブルを参照することにより、空状態にある制御部１１２を探し出すのである。
　【００６５】
　制御部１１２は、ネットワークインタフェース部１１１から受け取ったデータの種類に従って、クライアント端末２に対してＪａｖａアプレット１３３のクラスファイルを送信したり（プログラム送信部に相当）、クライアント端末２や他のコピーシステム１’に対してハードディスク１３内の画像ファイルの管理情報を応答したり（管理情報応答部に相当）、ＨＤＤ制御部１１３に対してハードディスク１３内の画像ファイルのダウンロード，コピー，検索，削除，リネーム，読み出しを依頼したり、他のコピーシステム１’からの画像ファイルをＨＤＤ１１３内に格納したり、クライアント端末２や他のコピーシステム１’に対して画像ファイルを送信したり（画像ファイル送信部に相当）、クライアント端末２や他のコピーシステムへ画像ファイル中のＪＰＥＧサムネイルデータを格納したＪＰＥＧサムネイルファイルを送信したり（概略画像用ＪＰＥＧファイル応答部に相当）、他のコピーシステム１’に対して画像ファイルのダウンロード，コピー，検索，削除，リネーム，読み出しの依頼を送信する。
　【００６６】
　オペレーションパネル部１１８は、入出力制御部１２を制御し、ＬＣＤ１９に表示させる操作画面のデータを作成して、データに基づいた操作画面のＬＣＤ１９への表示を入出力制御部１２に命じる。また、入出力制御部１２からタッチパネル１８の押圧位置を示す位置データを受信した時には、その時点でＬＣＤ１９に表示させている操作画面中における当該押圧位置に重なる表示項目を特定し、この操作キーに応じた処理を実行する（即ち、押下された表示項目に対応する処理を実行する。）。また、入出力制御部１２からキーボード２３中の押下されたキーを示す信号を受信した時には、そのキーの種類に対応する処理を実行する。例えば、オペレーションパネル部１１８は、コピーモードボタン５２，スキャンモードボタン５３が押下された場合にはその旨をマネジメント部１４に通知し、何れかのタブが押下された場合には、そのタブに対応するパラメータを選択するための画面を表示し、何れかのパラメータが押下された時にはそのパラメータを決定して保持する。そして、スタートキーが押下された時には、その旨及び保持している各パラメータをマネジメント部１１４に通知する。また、オペレーションパネル部１１８は、マネジメント部１１４からのメッセージに応じて、そのメッセージ内で指定された表示番号に対応する表示画面（コピーモード基本画面，スキャンモード基本画面，等）をＬＣＤ１９上に表示する。
　【００６７】
　マネジメント部１１４は、オペレーションパネル部１１８からのコピーモードボタン５２又はスキャンモードボタン５３の押下通知に従って動作モードをコピーモード又はスキャンモードに切り換え、コピーモードにおいては、スキャナ部１１５及び印刷部１１６を制御してコピー動作を実行する。また、スキャンモードにおいては、スキャナ部１１５を制御して画像データを獲得し、この画像データをＪＰＥＧファイル又はＴＩＦＦファイルに変換し、ハードディスク１３への格納をＨＤＤ制御部１１３に依頼する。
　【００６８】
　画像読取部としてのスキャナ部１１５は、ＳＣＳＩインタフェース１５を制御するためのＳＣＳＩドライバ及びスキャナ２０を制御するためのスキャナドライバを含んでおり、マネジメント部１１４からの指示に応じて、スキャナ２０を動作させ、原稿を読み取って得られた画像データを受信する。そして、コピーモードにおいてはこの画像データを印刷部１１６へ転送し、スキャンモードにおいてはこの画像データをＨＤＤ制御部１１３へ転送する。
　【００６９】
　画像ファイル保存部としてのＨＤＤ制御部１１３は、マネジメント部１１４及び制御部１１２からの依頼に応じてハードディスク１３にアクセスして、画像ファイルの格納，読み出し，コピー，移動，検索，削除を行うタスクである。
　【００７０】
　一方、クライアント端末２の通信部３０２は、ネットワークアダプタ３３を制御するとともにＴＣＰ／ＩＰプロトコル，ＨＴＴＰ（ハイパーテキスト転送プロトコル）を終端するタスクであり、パケットに格納されてネットワークＮＷから送信されてきたデータ（ハイパーテキストデータ［“ＷｅｂＥｘｐｌｏｒｅ．ｈｔｍｌ”１３２等］，Ｊａｖａアプレットのクラスファイル，画像ファイルを受信してウェッブブラウザ３０１（又はウェッブブラウザ３０１上に起動されたＪａｖａアプレット１３３）に渡すとともに、ウェッブブラウザ３０１（又はウェッブブラウザ３０１上に起動されたＪａｖａアプレット１３３）からサーバ１０宛に送出されたデータ（ＵＲＬ，各種メッセージ）をパケットに格納してネットワークＮＷへ送出する。
　【００７１】
　ウェッブブラウザ３０１は、マウス４２及びキーボード４１を介してオペレータから入力された指示に従って、通信部３０２に対し、各種データ（ＵＲＬ，各種メッセージ）の送信を依頼する。また、ＵＲＬに従って何れかのサーバからダウンロードしたハイパーテキスト（“ＷｅｂＥｘｐｌｏｒｅ．ｈｔｍｌ”１３２等）に従って、ディスプレイ４０上に画像を表示する。また、要求に応じてサーバ１０が送信してきたＪａｖａアプレットの各クラスファイルをＲＡＭ３２に展開して、Ｊａｖａアプレット（プログラム）１３３を再現するとともに、このＪａｖａアプレット１３３が生成した画像を表示する。
　【００７２】
　なお、ハイパーテキストデータのうち、特に“ＷｅｂＥｘｐｌｏｒｅ．ｈｔｍｌ”１３２には、Ｊａｖａアプレット１３３のクラスファイルを特定するアプレットクラスファイル名称，Ｊａｖａアプレット１３３によって生成された画像を表示する領域を確保するための情報，及び、このＪａｖａアプレット１３３に与えられる各種パラメータの定義（例えば、この“ＷｅｂＥｘｐｌｏｒｅ．ｈｔｍｌ”１３２を送信したコピーシステム１のコピーサーバ１０に画像ファイルの送受信相手として登録されている他のコピーシステム１’やクライアント端末２の名称及びＩＰアドレス，等）を、含んでいる。ウェッブブラウザ３０１が何れかのコピーシステム１，１’のコピーサーバ１０内の“ＷｅｂＥｘｐｌｏｒｅ．ｈｔｍｌ”１３２に対応したＵＲＬを送信し、このコピーサーバ１０内から“ＷｅｂＥｘｐｌｏｒｅ．ｈｔｍｌ”１３２及びＪａｖａアプレット１３３のクラスファイルをダウンロードした場合、起動されたＪａｖａアプレット１３３は、このダウンロード元のコピーサーバ１０との間で通信を行って、このダウンロード元のコピーサーバ１０に対してのみ直接的なメッセージ送信を行う。
　【００７３】
　図４２は、ウェッブブラウザ３０１が“ＷｅｂＥｘｐｌｏｒｅ．ｈｔｍｌ”１３２及びＪａｖａアプレット１３３に従ってディスプレイ４０上に表示する画像（ＷｅｂＥｘｐｌｏｒｅの初期画面８０）を示す。この初期画面８０は、ウインドウズ９５（マイクロソフト社の商標）による標準のアプリケーションウインドウの構成を有している。即ち、この初期画面８０の最上行にはタイトルバー８１が表示され、次の行にはメニューバー８２が表示され、次の行にはツールバー８３が表示される。また、初期画面の最下行には、ステータスバー８４が表示されている。ツールバー８３とステータスバー８４との間の領域は、左右二つの窓８５，８６に分割されている。
　【００７４】
　タイトルバー８１には、Ｊａｖａアプレット１３３のタイトル「ＷｅｂＥｘｐｌｏｒｅ」，及び、通常のコントロールボックス，最小化ボタン，最大化ボタン，閉じるボタンが描かれている。
　【００７５】
　また、メニューバー８２には、「ファイル」，「編集」，「表示」，「ツール」，「ヘルプ」の各項目が表記されている。この「ファイル」がクリックされると、「削除」，「リネーム」等の項目からなるプルダウンメニューがさらに表示される。同様に、「編集」がクリックされると、「コピー」，「貼り付け」等の項目からなるプルダウンメニューが表示される。同様に、「表示」がクリックされると、図４３に拡大して示すように、「ファイルリスト」及び「サムネイル」の項目からなるプルダウンメニューが表示される。さらに、このプルダウンメニューから「サムネイル」がクリックされると、「３」「６」「９」の何れかの数を選択するためのメニューが表示される。また、「ツール」がクリックされると、「検索」等の項目からなるプルダウンメニューが表示される。
　【００７６】
　また、ツールバー８３には、切り取りボタン８３ａ，コピーボタン８３ｂ，検索ボタン８３ｃ，削除ボタン８３ｄ等が、描画されている。
　【００７７】
　また、ステータスバー８４には、選択されたディレクトリに使用可能な空ディスク容量が表示される。
　【００７８】
　また、左の窓８５には、このＪａｖａアプレット１３３から参照可能なディレクトリのディレクトリ名が、「ネットワーク」を頂点としてツリー構造をなすように表示されている。なお、この窓においては、自クライアント端末２も、“ＷｅｂＥｘｐｌｏｒｅ．ｈｔｍｌ”１３２及びＪａｖａアプレット１３３のクラスファイルの送信元のコピーサーバ１０も、このコピーサーバ１０に登録されている他のコピーシステム１’のコピーサーバ１０やクライアント端末２も、夫々が一つのディレクトリをなすものとして扱われるので、オペレータは、装置の異同を意識することなく常に同じ動作でファイルの操作を行うことができる。この左の窓８５には、初期状態においては、“ＷｅｂＥｘｐｌｏｒｅ．ｈｔｍｌ”１３２の送信元コピーサーバ１０の名称，このコピーサーバ１０に登録されている他のコピーシステム１’のコピーサーバ１０やクライアント端末２の名称，及び、自クライアント端末を意味する「Ｍｙ　Ｃｏｍｐｕｔｅｒ」が、「Ｎｅｔｗｏｒｋ」の下階層のディレクトリとして表示されている。図４２の例では、“ＷｅｂＥｘｐｌｏｒｅ．ｈｔｍｌ”１３２の送信元コピーサーバ１０の名称「ＯＤＡＥ２４１」，このＯＤＡＥ２４１に登録されている他のコピーシステム１’のコピーサーバ１０の名称「ＯＤＡＥ２４０」及び「ＯＤＡＥ１４５」，並びに、「Ｍｙ　Ｃｏｍｐｕｔｅｒ」が、表示されている。
　【００７９】
　また、右の窓８６には、左の窓８５においてクリックされることによって選択されたディレクトリ内のファイル及びサブディレクトリに対応したアイコン及びその名称が、列挙されて表示される。なお、この右の窓８６の下方には、前頁ボタン８６ａ及び次頁ボタン８６ｂが表示されている。これらのボタンについての説明は、後で行う。
　【００８０】
（各タスクによる処理）以下、上述した各タスク及び各プログラムの動作を、順番に説明する。
　【００８１】
＜オペレーションパネル部＞最初に、オペレーションパネル部１１８による処理を、図４のフローチャートを参照して説明する。このオペレーションパネル部１１８は、起動直後のＳ００２において、図３５に示すコピーモード基本操作画面を、ＬＣＤ１９上に表示する。
　【００８２】
　次のＳ００２では、オペレーションパネル部１１８は、マネジメント部１１４から何らかのメッセージを受信したか否かをチェックする。そして、何らメッセージを受信していない場合には、Ｓ００３において、画面中の何れかのボタン又はキーボード２３中の何れかのキーが押下されたか否かをチェックする。そして、全く押下がなされていない場合には、処理をＳ００２に戻す。
　【００８３】
　以上のＳ００２及びＳ００３のループ処理を繰り返している間に画面中の何れかのボタン又はキーボード２３中の何れかのキーが押下された場合には、オペレーションパネル部１１８は、Ｓ００４において、何が押下されたのかを判定する。そして、キーボード２３中のスタートキー，画面中のコピーモードボタン５２又はスキャンモードボタン５３が押下された場合には、処理をＳ００６に進め、それ以外のキー又はボタンが押下された場合には、処理をＳ００５に進める。このＳ００５では、押下されたキー又はボタンに対応する処理が実行される。例えば、図３５に示すコピーモード基本操作画面又は図３６に示すスキャンモード基本画面中の何れかのタブが押下された場合には、そのタブに対応するパラメータの選択肢の一覧を中央カラム５１に表示をし、その中央カラム５１中の何れかの具体的設定値が押下された場合には、その選択肢がそのパラメータの値としてＲＡＭ１１内に設定される。このＳ００５を完了すると、オペレーションパネル部１１８は、処理をＳ００２に戻す。
　【００８４】
　一方、Ｓ００６では、オペレーションパネル部１１８は、押下されたキー又はボタンに応じたキー情報メッセージをマネジメント部１１４に対して送信する。具体的には、オペレーションパネル部１１８は、コピーモードボタン５２又はスキャンモードボタン５３が押下された場合には、押下されたボタンの種類を示すキー情報メッセージをマネジメント部１１４へ送信する。また、スタートキーが押下された場合には、スタートキーが押下された旨及び、現在ＲＡＭ１１に設定されている各パラメータの設定値を格納したキー情報メッセージをマネジメント部１１４へ送信する。このＳ００６を完了すると、オペレーションパネル部１１８は、処理をＳ００２に戻す。
　【００８５】
　これに対して、マネジメント部１１４から何れかのメッセージを受信したとＳ００２にて判定した場合には、オペレーションパネル部１１８は、Ｓ００７において、受信したメッセージの内容をチェックする。そして、受信したメッセージが表示切換メッセージ（Ｓ１０５，Ｓ１０９，Ｓ１１１，Ｓ１２２，Ｓ１２４参照）であったら、オペレーションパネル部１１８は、Ｓ００８において、受信した表示切換メッセージ内の表示番号に対応した表示を実行する。例えば、スキャンモード基本操作画面に対応した表示番号が表示切換メッセージ内に記載されていた場合には、スキャンモード基本操作画面をＬＣＤ１９上に表示する。また、コピーモード基本操作画面に対応した表示番号が表示切換メッセージ内に記載されていた場合には、コピーモード基本操作画面をＬＣＤ１９上に表示する。このＳ００８を完了すると、オペレーションパネル部１１８は、処理をＳ００２に戻す。
　【００８６】
　一方、Ｓ００９では、オペレーションパネル部１１８は、受信したメッセージに応じたその他の処理を実行する。このＳ００９を完了すると、オペレーションパネル部１１８は、処理をＳ００２に戻す。
　【００８７】
＜マネジメント部＞次に、マネジメント部１１４による処理を、図５及び図６に基づいて説明する。このマネジメント部１１４は、Ｓ１０１では、オペレーションパネル部１１８，ＨＤＤ制御部１１３，スキャナ部１１５又は印刷部１１６からのメッセージの受信を待つ。
　【００８８】
　何れかのメッセージを受信すると、マネジメント部１１４は、次のＳ１０２において、受信したメッセージの種類をチェックする。そして、マネジメント部１１４は、オペレーションパネル部１１８からのキー情報メッセージを受信した場合（Ｓ００６参照）には処理をＳ１０７へ進め、スキャナ部１１５又はＨＤＤ制御部１１３からの処理終了メッセージを受信した場合（Ｓ２１９，Ｓ３６３，Ｓ３７４参照）には処理をＳ１０３へ進め、スキャナ部１１５からのスキャナ動作状態通知メッセージを受信した場合（Ｓ２０３参照）には処理をＳ１２１へ進め、スキャナ部１１５からのエラーメッセージを受信した場合（Ｓ２０７参照）には処理をＳ１１７へ進め、その他のメッセージを受信した場合には、処理をＳ１２０へ進める。
　【００８９】
　Ｓ１０７では、マネジメント部１１４は、キー情報メッセージに含まれる押下されたキー又はボタンの種類をチェックする。そして、コピーモードボタン５２が押下された旨が含まれている場合には、マネジメント部１１４は、Ｓ１０８において、現在の設定モードをコピーモードとする。次のＳ１０９では、マネジメント部１１４は、コピーモード基本操作画面（図３５）を表示させるための表示番号を設定した表示切替メッセージを、オペレーションパネル部１１８に対して送信する。このＳ１０９を完了すると、マネジメント部１１４は、処理をＳ１０１に戻す。
　【００９０】
　これに対して、スキャンモードボタン５３が押下された旨が含まれているとＳ１０７にて判定した場合には、マネジメント部１１４は、Ｓ１１０において、現在の設定モードをスキャンモードとする。次のＳ１１１では、マネジメント部１１４は、スキャンモード基本操作画面（図３６）を表示させるための表示番号を設定した表示切替メッセージを、オペレーションパネル部１１８に対して送信する。このＳ１１１を完了すると、マネジメント部１１４は、処理をＳ１０１に戻す。
　【００９１】
　これに対して、スタートキーが押下された旨が含まれているとＳ１０７にて判定した場合には、マネジメント部１１４は、Ｓ１１２において、現在設定されているモードがコピーモードであるかスキャンモードであるかをチェックする。そして、スキャンモードが設定されている場合には、マネジメント部１１４は、Ｓ１１４において、スキャナ部１１５に対して、スキャナ動作確認メッセージを送信する。一方、コピーモードが設定されている場合には、マネジメント部１１４は、Ｓ１１３において、スキャナ部１１５及び印刷部１１６に対してコピー実行依頼を行い、スキャナ部１１５に対してスキャナ２０から獲得した画像データ（スキャンデータ）を印刷部１１６へ転送させるとともに、印刷部１１６に対してこのスキャンデータに基づいた印字をプリンタ２１に行わさせる。何れの場合においても、マネジメント部１１４は、処理完了後に処理をＳ１０１に戻す。
　【００９２】
　一方、スキャナ部１１５からのスキャナ動作状態通知メッセージ（Ｓ２０３参照）を受信した場合に実行されるＳ１２１では、マネジメント部１１４は、このスキャナ動作状態通知情報メッセージに含まれるスキャナの状態がビジー状態を示すかアイドル状態を示すかをチェックする。そして、ビジー状態を示す場合には、マネジメント部１１４は、Ｓ１２２において、ビジーを示す表示を行うための表示番号を設定した表示切替メッセージを、オペレーションパネル部１１８に対して送信する。このＳ１２２の完了後、マネジメント部１１４は、処理をＳ１０１に戻す。
　【００９３】
　これに対して、アイドル状態を示す場合には、マネジメント部１１４は、Ｓ１２３において、ＨＤＤ制御部１１３に対して、「スキャン及びＨＤＤ格納依頼」メッセージを送信する。「スキャン及びＨＤＤ格納依頼」メッセージには、パラメータとして、キー情報メッセージに格納されていた原稿サイズパラメータ，解像度パラメータ，格納形式パラメータ（二値画像データであるか、２５６階調グレースケール画像データであるか、２４ビットＲＧＢ画像データであるか、ＴＩＦＦファイルに格納するか、ＪＰＥＧファイルに格納するか），濃度調整パラメータ，ＲＧＢ調整パラメータ，彩度及び色相調整パラメータ，給紙位置パラメータ（スキャナ２０上で原稿がフラットベットにセットされているか、ＡＤＦにセットされているか），片面スキャン又は両面スキャンの指定パラメータが、含まれている。
　【００９４】
　次のＳ１２４では、マネジメント部１１４は、スキャン中を示す表示を行うための表示番号を設定した表示切替メッセージを、オペレーションパネル部１１８に対して送信する。このＳ１２４の完了後、マネジメント部１１４は、処理をＳ１０１に戻す。
　【００９５】
　一方、スキャナ部１１５又はＨＤＤ制御部１１３からの処理終了メッセージ（Ｓ２１９，Ｓ３６３，Ｓ３７４参照）を受信した場合に実行されるＳ１０３では、マネジメント部１１４は、現在スキャンモードに設定されているか否かをチェックする。そして、スキャンモードに設定されていない場合（即ち、コピーモードに設定されている場合）には、マネジメント部１１４は、Ｓ１０６において、コピーモードに対応した処理を実行した後に、処理をＳ１０１に戻す。
　【００９６】
　これに対して、現在スキャンモードに設定されている場合には、マネジメント部１１４は、Ｓ１０４において、スキャナ部１１５及びＨＤＤ制御部１１３の双方から処理終了メッセージを受信したか否かをチェックする。そして、マネジメント部１１４は、未だ双方から受信していない場合には、処理をそのままＳ１０１に戻すが、双方から受信している場合には、Ｓ１０５に進める。このＳ１０５では、マネジメント部１１４は、通常のスキャンモード基本操作画面（図３６）を表示させるための表示番号を設定した表示切替メッセージを、オペレーションパネル部１１８に対して送信する。Ｓ１０５の完了後、マネジメント部１１４は、処理をＳ１０１に戻す。
　【００９７】
　一方、スキャナ部１１５からのエラーメッセージを受信した場合（Ｓ２０７参照）に実行されるＳ１１７では、マネジメント部１１４は、現在スキャンモードに設定されているか否かをチェックする。そして、スキャンモードに設定されていない場合（即ち、コピーモードに設定されている場合）には、マネジメント部１１４は、Ｓ１１９において、コピーモードに対応した処理を実行した後に、処理をＳ１０１に戻す。
　【００９８】
　これに対して、現在スキャンモードに設定されている場合には、マネジメント部１１４は、Ｓ１１８において、スキャナ部１１５及びＨＤＤ制御部１１３に対して、キャンセルメッセージを送信する。このＳ１１８を完了すると、マネジメント部１１４は、処理をＳ１０１に戻す。
　【００９９】
　一方、その他のメッセージを受信した場合に実行されるＳ１２０では、マネジメント部１１４は、そのメッセージに対応した処理を実行する。そして、このＳ１２０を完了すると、マネジメント部１１４は、処理をＳ１０１に戻す。
　【０１００】
＜スキャナ部＞次に、スキャナ部１１５による処理を、図７及び図８に基づいて説明する。このスキャナ部１１５は、Ｓ２０１では、マネジメント部１１４又はＨＤＤ制御部１１３からのメッセージの受信を待っている。
　【０１０１】
　何れかのメッセージを受信すると、スキャナ部１１５は、Ｓ２０２において、受信したメッセージの種類をチェックする。そして、マネジメント部１１４からのスキャナ動作確認要求メッセージを受信した場合（Ｓ１１４参照）には処理をＳ２０３へ進め、ＨＤＤ制御部１１３からのスキャン要求メッセージを受信した場合（Ｓ３０３参照）には処理をＳ２０４へ進め、マネジメント部１１４からのキャンセルメッセージを受信した場合（Ｓ１１８参照）には処理をＳ２０８へ進め、マネジメント部１１４からのコピー実行依頼を受信した場合（Ｓ１１３）には処理をＳ２０９へ進め、その他のメッセージを受信した場合には処理をＳ２１０へ進める。
　【０１０２】
　Ｓ２０３では、マネジメント部１１４は、スキャナ２０が現在動作中（ビジー状態）であるか待機中（アイドル状態）であるかを調査し、その調査結果をセットしたスキャナ動作状態通知メッセージを、マネジメント部１１４に対して送信する。このＳ２０３を完了すると、スキャナ部１１５は、処理をＳ２０１に戻す。
　【０１０３】
　一方、ＨＤＤ制御部１１３からのスキャン要求メッセージを受信した場合（Ｓ３０３参照）に実行されるＳ２０４では、スキャナ部１１５は、スキャナ２１の給紙位置がフラットベットであるかＡＤＦ（オートドキュメントフィーダー）であるかをチェックする。そして、給紙位置がフラットベットである場合には、スキャナ部１１５は、処理をそのままＳ２１１へ進める。これに対して、給紙位置がＡＤＦである場合には、スキャナ部１１５は、Ｓ２０５において、ＡＤＦに原稿がセットされているか否かをチェックする。そして、ＡＤＦに原稿がセットされていない場合には、スキャナ部１１５は、Ｓ２０７において、理由（原稿無し）を付したエラーメッセージを、マネジメント部１１４に対して送信する。このＳ２０７を完了すると、マネジメント部１１４は、処理をＳ２０１に戻す。これに対して、ＡＤＦに原稿がセットされている場合には、マネジメント部１１４は、スキャナ２０を制御して、ＡＤＦにセットされた原稿を読み取り位置へ給紙させる。このＳ２０６の完了後、マネジメント部１１４は、処理をＳ２１１へ進める。
　【０１０４】
　Ｓ２１１では、マネジメント部１１４は、スキャナ２０を制御して、ＨＤＤ制御部１１３から受信したスキャン要求メッセージ中の各パラメータに従ったスキャンを実行する。
　【０１０５】
　次のＳ２１２では、マネジメント部１１４は、スキャナ２０からｎライン分のスキャンデータ（二値画像データ，２５６階調グレースケール画像データ，又は２４ビットＲＧＢ画像データ）を獲得するのを待つ。そして、ｎライン分のスキャンデータを獲得すると、マネジメント部１１４は、処理をＳ２１３へ進める。
　【０１０６】
　Ｓ２１３では、マネジメント部１１４は、スキャナ２０から獲得したｎライン分のスキャンデータを、メッセージに格納してＨＤＤ制御部１１３へ送信する。
　【０１０７】
　次のＳ２１４では、スキャナ部１１５は、一枚の原稿の全ライン分のスキャンを終了したか否かをチェックする。そして、未だ全ライン分のスキャンを終了していない場合には、スキャナ部１１５は、処理をＳ２１２に戻す。これに対して全ライン分のスキャンを終了した場合には、スキャナ部１１５は、処理をＳ２１５に進める。
　【０１０８】
　Ｓ２１５では、スキャナ部１１５は、Ｓ２０４と同様に、スキャナ２１の給紙位置がフラットベットであるかＡＤＦ（オートドキュメントフィーダー）であるかをチェックする。そして、給紙位置がフラットベットである場合には、スキャナ部１１５は、処理をＳ２１８へ進める。これに対して、給紙位置がＡＤＦである場合には、スキャナ部１１５は、Ｓ２１６において、ＡＤＦにセットされている原稿が残っているか否かをチェックする。そして、ＡＤＦに原稿が残ってる場合には、スキャナ部１１５は、Ｓ２１７において、ＨＤＤ制御部１１３に対して、「残り頁有り」と設定したスキャン終了メッセージを送信した後に、処理をＳ２０１に戻す。これに対して、ＡＤＦに原稿が残っていない場合には、処理をＳ２１８に進める。
　【０１０９】
　Ｓ２１８では、スキャナ部１１５は、ＨＤＤ制御部１１３に対して、「残り頁無し」と設定したスキャン終了メッセージを送信する。次のＳ２１９では、スキャナ部１１５は、マネジメント部１１４に対して、処理終了メッセージを送信する。このＳ２１９を完了すると、スキャナ部１１５は、処理をＳ２０１に戻す。
　【０１１０】
　一方、マネジメント部１１４からのキャンセルメッセージを受信した場合（Ｓ１１８参照）には実行されるＳ２０８では、スキャナ部１１５は、スキャナ２０の動作を中止させ、アイドル状態に戻す。このＳ２０８を完了すると、スキャナ部１１５は、処理をＳ２０１に戻す。
　【０１１１】
　一方、マネジメント部１１４からのコピー実行依頼を受信した場合（Ｓ１１３）に実行されるＳ２０９では、スキャナ部１１５は、スキャナ２０を制御して原稿を読み取らせ、スキャンデータを獲得するとともに、獲得したスキャンデータを印刷部１１６へ転送して、コピー動作を実行させる。このＳ２０９を完了すると、スキャナ部１１５は、処理をＳ２０１に戻す。
　【０１１２】
　一方、その他のメッセージを受信した場合に実行されるＳ２１０では、スキャナ部１１５は、そのメッセージに対応した処理を実行する。このＳ２１０を完了すると、スキャナ部１１５は、処理をＳ２０１に戻す。
　【０１１３】
＜ＨＤＤ制御部＞次に、ＨＤＤ制御部１１３による処理を、図９乃至図１５に基づいて説明する。このＨＤＤ制御部１１３は、Ｓ３０１では、マネジメント部１１４又はスキャナ部１１５からのメッセージの受信を待つ。
　【０１１４】
　何れかのメッセージを受信すると、ＨＤＤ制御部１１３は、次のＳ３０２において、受信したメッセージの種類をチェックする。そして、ＨＤＤ制御部１１３は、マネジメント部１１４からの「スキャン及びＨＤＤ格納依頼」メッセージを受信した場合（Ｓ１２３参照）には処理をＳ３０３へ進め、スキャナ部１１５からのスキャンデータを受信した場合（Ｓ２１３）には処理をＳ３０４へ進め、スキャナ部１１５からのスキャン終了メッセージを受信した場合（Ｓ２１７，Ｓ２１８参照）には処理をＳ３０５へ進め、マネジメント部１１４からのキャンセルメッセージを受信した場合（Ｓ１１８参照）には処理をＳ３０６へ進め、その他のメッセージを受信した場合には、処理をＳ３０７へ進める。
　【０１１５】
　Ｓ３０３では、ＨＤＤ制御部１１３は、スキャナ部１１５に対してスキャン要求メッセージを送信する。このスキャン要求メッセージには、パラメータとして、「スキャン及びＨＤＤ格納依頼」メッセージに格納されていた原稿サイズパラメータ，解像度パラメータ，格納形式パラメータ，濃度調整パラメータ，ＲＧＢ調整パラメータ，彩度及び色相調整パラメータ，給紙位置パラメータ，片面スキャン又は両面スキャンの指定パラメータが、そのまま格納される。このＳ３０３を完了すると、ＨＤＤ制御部１１３は、処理をＳ３０１に戻す。
　【０１１６】
　一方、スキャナ部１１５からのスキャンデータを受信した場合（Ｓ２１３参照）に実行されるＳ３０４では、ＨＤＤ制御部１１３は、マネジメント部１１４からの「スキャン及びＨＤＤ格納依頼」メッセージに格納されていた格納形式パラメータによって、ＪＰＥＧファイルが指定されているかＴＩＦＦファイルが指定されているかをチェックする。そして、ＪＰＥＧファイルが指定されている場合には処理をＳ３０８へ進め、ＴＩＦＦファイルが指定されている場合には処理をＳ３３１へ進める。
　【０１１７】
　Ｓ３０８では、ＨＤＤ制御部１１３は、受信したスキャンデータが、何れかの頁の先頭行を含むスキャンデータであるか否かをチェックする。そして、受信したスキャンデータが何れかの頁の先頭行を含むスキャンデータである場合には、ＨＤＤ制御部１１３は、処理をＳ３０９に進める。
　【０１１８】
　Ｓ３０９では、ＨＤＤ制御部１１３は、Ｓ３０３にてスキャン要求メッセージをスキャナ部１１５へ送信してから最初の頁のスキャンデータを受信したのか否かをチェックする。そして、ＨＤＤ制御部１１３は、２頁以降のスキャンデータを受信したのである場合には、処理をＳ３１４へ進め、最初の頁のスキャンデータを受信したのである場合には、処理をＳ３１０へ進める。
　【０１１９】
　Ｓ３１０では、ＨＤＤ制御部１１３は、ＲＡＭ１１上に用意された作業エリア中、原稿の総頁数分のＯｆｆｓｅｔ　ｏｆ　Ｔｏｔａｌ　ＪＰＥＧ　Ｄａｔａ領域６３−１〜Ｘに相当するエリアを、０クリアする（即ち、数値に０をセットする）。
　【０１２０】
　次のＳ３１１では、ＨＤＤ制御部１１３は、ＲＡＭ１１上に用意された作業エリア中、原稿の総頁数分のＯｆｆｓｅｔ　ｏｆ　ＪＰＥＧ　Ｔｈｕｍｂｎａｉｌ領域６４−１〜Ｘに相当するエリアを、０クリアする（即ち、数値に０をセットする）。
　【０１２１】
　次のＳ３１２では、ＨＤＤ制御部１１３は、ＲＡＭ１１上に用意された作業エリア中、Ｎｏ．ｏｆ　Ｐａｇｅｓ領域６５に相当するエリアを、０クリアする（即ち、数値に０をセットする）。
　【０１２２】
　次のＳ３１３では、ＨＤＤ制御部１１３は、ＲＡＭ１１上に用意された作業エリア中、Ｍａｒｋｅｒ領域６６に相当するエリアに、“Ｃｏｌｏｒ　Ｃｏｐｙ　Ｓｔａｔｉｏｎ”をセットする。このＳ３１３を完了すると、ＨＤＤ制御部１１３は、処理をＳ３１４へ進める。
　【０１２３】
　Ｓ３１４では、ＨＤＤ制御部１１３は、ＲＡＭ１１上に用意された作業エリア中、受信したスキャンデータに対応する頁用のＳｉｚｅ　ｏｆ　ＪＰＥＧ　ｔｈｕｍｂｎａｉｌ領域６１に相当するエリアを、０クリアする（即ち、数値に０をセットする）。
　【０１２４】
　次のＳ３１５では、ＨＤＤ制御部１１３は、受信したスキャンデータに対応する頁用のＴｏｔａｌ　ＪＰＥＧ　Ｄａｔａ領域６０に格納すべきヘッダ部を作成する。
　【０１２５】
　次のＳ３１６では、ＨＤＤ制御部１１３は、受信したスキャンデータをＪＰＥＧ圧縮する。
　【０１２６】
　次のＳ３１７では、ＨＤＤ制御部１１３は、Ｓ３１６にてＪＰＥＧ圧縮して得られたＪＰＥＧデータに基づいて、受信したスキャンデータに対応する頁用のＴｏｔａｌ　ＪＰＥＧ　Ｄａｔａ領域６０に格納すべきデータ部を作成する。
　【０１２７】
　次のＳ３１８では、ＨＤＤ制御部１１３は、Ｓ３１５にて作成したヘッダ部とＳ３１７にて作成したデータ部とをＪＰＥＧファイルとしてまとめ、仮のテンポラリーファイル名“ＡｃｔｕａｌＤａｔａ．ＪＰＧ”を付して、ハードディスク１３の画像ファイル領域１３４のルートに格納する。
　【０１２８】
　次のＳ３１９では、ＨＤＤ制御部１１３は、受信したスキャンデータに対応する頁用のＪＰＥＧ　ｔｈｕｍｂｎａｉｌ領域６２に格納すべきヘッダ部を作成する。
　【０１２９】
　次のＳ３２０では、ＨＤＤ制御部１１３は、受信したスキャンデータをサムネイル用に解像度を落としつつＪＰＥＧ圧縮する。
　【０１３０】
　次のＳ３２１では、ＨＤＤ制御部１１３は、Ｓ３１９にて作成したヘッダ部とＳ３２０にてＪＰＥＧ圧縮して得られたＪＰＥＧデータとをＪＰＥＧファイルとしてまとめ、仮にテンポラリーファイル名“ＴｈｕｍｂＤａｔａ．ＪＰＧ”を付して、ハードディスク１３の画像ファイル領域１３４のルートに格納する。
　【０１３１】
　次のＳ３２２では、ＨＤＤ制御部１１３は、ＲＡＭ１１上に用意された作業エリア中、受信したスキャンデータに対応する頁用のＳｉｚｅ　ｏｆ　ＪＰＥＧ　ｔｈｕｍｂｎａｉｌ領域６１に相当するエリアに、Ｓ３２１に作成したサムネイル用のＪＰＥＧファイルのデータ長を設定する。このＳ３２２が完了すると、ＨＤＤ制御部１１３は、処理をＳ３０１に戻す。
　【０１３２】
　これに対して、受信したスキャンデータが何れかの頁の先頭行を含むスキャンデータでないとＳ３０８にて判定した場合には、ＨＤＤ制御部１１３は、処理をＳ３２３に進める。このＳ３２３では、ＨＤＤ制御部１１３は、受信したスキャンデータをＪＰＥＧ圧縮する。
　【０１３３】
　次のＳ３２４では、ＨＤＤ制御部１１３は、ハードディスク１３の画像ファイル領域１３４に格納されているＪＰＥＧファイル“ＡｃｔｕａｌＤａｔａ．ＪＰＧ”を読み出して、そのデータ部に、Ｓ３２３にてＪＰＥＧ圧縮して得られたＪＰＥＧデータを追加する。
　【０１３４】
　次のＳ３２５では、ＨＤＤ制御部１１３は、Ｓ３２４での追加後のＪＰＥＧファイル“ＡｃｔｕａｌＤａｔａ．ＪＰＧ”を、ハードディスク１３内に上書する。
　【０１３５】
　次のＳ３２６では、ＨＤＤ制御部１１３は、受信したスキャンデータをサムネイル用に解像度を落としつつＪＰＥＧ圧縮する。
　【０１３６】
　次のＳ３２７では、ＨＤＤ制御部１１３は、ハードディスク１１３の画像ファイル領域１３４に格納されているＪＰＥＧファイル“ＴｈｕｍｂＤａｔａ．ＪＰＧ”を読み出して、そのデータ部に、Ｓ３２６にてＪＰＥＧ圧縮して得られたＪＰＥＧデータを追加する。
　【０１３７】
　次のＳ３２８では、ＨＤＤ制御部１１３は、Ｓ３２６での追加後のＪＰＥＧファイル“ＴｈｕｍｂＤａｔａ．ＪＰＧ”を、ハードディスク１３内に上書する。
　【０１３８】
　次のＳ３２９では、ＨＤＤ制御部１１３は、ＲＡＭ１１上に用意された作業エリア中、受信したスキャンデータに対応する頁用のＳｉｚｅ　ｏｆ　ＪＰＥＧ　ｔｈｕｍｂｎａｉｌ領域６１に相当するエリアに、Ｓ３２８に上書したサムネイル用ＪＰＥＧファイルのデータ長を設定する。このＳ３２９が完了すると、ＨＤＤ制御部１１３は、処理をＳ３０１に戻す。
　【０１３９】
　一方、Ｓ３３１では、ＨＤＤ制御部１１３は、受信したスキャンデータが、何れかの頁の先頭行を含むスキャンデータであるか否かをチェックする。そして、受信したスキャンデータが何れかの頁の先頭行を含むスキャンデータである場合には、ＨＤＤ制御部１１３は、処理をＳ３３２に進める。
　【０１４０】
　Ｓ３３２では、ＨＤＤ制御部１１３は、Ｓ３０３にてスキャン要求メッセージをスキャナ部１１５へ送信してから最初の頁のスキャンデータを受信したのか否かをチェックする。そして、ＨＤＤ制御部１１３は、２頁以降のスキャンデータを受信したのである場合には、処理をＳ３４０へ進め、最初の頁のスキャンデータを受信したのである場合には、処理をＳ３３３へ進める。
　【０１４１】
　Ｓ３３３では、ＨＤＤ制御部１１３は、ＲＡＭ１１上に用意された作業エリア中、原稿の総頁数分のＯｆｆｓｅｔ　ｏｆ　ＴＩＦＦ　Ｄａｔａ領域７３−１〜Ｘに相当するエリアを、０クリアする（即ち、数値に０をセットする）。
　【０１４２】
　次のＳ３３４では、ＨＤＤ制御部１１３は、ＲＡＭ１１上に用意された作業エリア中、原稿の総頁数分のＯｆｆｓｅｔ　ｏｆ　ＪＰＥＧ　Ｔｈｕｍｂｎａｉｌ領域７４−１〜Ｘに相当するエリアを、０クリアする（即ち、数値に０をセットする）。
　【０１４３】
　次のＳ３３５では、ＨＤＤ制御部１１３は、ＲＡＭ１１上に用意された作業エリア中、Ｎｏ．ｏｆ　Ｐａｇｅｓ領域７５に相当するエリアを、０クリアする（即ち、数値に０をセットする）。
　【０１４４】
　次のＳ３３６では、ＨＤＤ制御部１１３は、ＲＡＭ１１上に用意された作業エリア中、Ｍａｒｋｅｒ領域６６に相当するエリアに、“Ｃｏｌｏｒ　Ｃｏｐｙ　Ｓｔａｔｉｏｎ”をセットする。
　【０１４５】
　次のＳ３３７では、ＨＤＤ制御部１１３は、ＲＡＭ１１上に用意された作業エリア中、第１頁用のＳｉｚｅ　ｏｆ　Ｐａｇｅ１ＪＰＥＧ　ｔｈｕｍｂｎａｉｌ領域７１−１に相当するエリアを、０クリアする（即ち、数値に０をセットする）。
　【０１４６】
　次のＳ３３８では、ＨＤＤ制御部１１３は、第１頁用のＴＩＦＦ　Ｈｅａｄｅｒ＋Ｐａｇｅ１Ｄａｔａ領域７０−１に格納すべきヘッダ部を作成する。
　【０１４７】
　次のＳ３３９では、ＨＤＤ制御部１１３は、受信したスキャンデータ及びＳ３３８にて作成したヘッダ部をＴＩＦＦファイルとしてまとめ、仮にテンポラリーファイル名“ＡｃｔｕａｌＤａｔａ．Ｔｉｆ”を付して、ハードディスク１３の画像ファイル領域１３４のルートに格納する。このＳ３３９を完了すると、ＨＤＤ制御部１１３は、処理をＳ３４２に進める。
　【０１４８】
　これに対して、Ｓ３４０では、ＨＤＤ制御部１１３は、ＲＡＭ１１上に用意された作業エリア中、受信したスキャンデータに対応する頁用のＳｉｚｅ　ｏｆ　ｐａｇｅ　ｎ　ＪＰＥＧ　ｔｈｕｍｂｎａｉｌ領域７１−ｎに相当するエリアを、０クリアする（即ち、数値に０をセットする）。
　【０１４９】
　次のＳ３４１では、ＨＤＤ制御部１１３は、受信したスキャンデータをＴＩＦＦファイルのフォーマットに変換し、歌詞にテンポラリーファイル名“ＡｃｔｕａｌＤａｔａ．Ｔｉｆ”を付して、ハードディスク１３の画像ファイル領域１３４のルートに格納する。このＳ３４１を完了すると、ＨＤＤ制御部１１３は、処理をＳ３４２に進める。
　【０１５０】
　Ｓ３４２では、ＨＤＤ制御部１１３は、受信したスキャンデータに対応する頁用のＪＰＥＧ　ｔｈｕｍｂｎａｉｌ領域７２−１〜Ｘに格納すべきヘッダ部を作成する。
　【０１５１】
　次のＳ３４３では、ＨＤＤ制御部１１３は、受信したスキャンデータをサムネイル用に解像度を落としつつＪＰＥＧ圧縮する。
　【０１５２】
　次のＳ３４４では、ＨＤＤ制御部１１３は、Ｓ３４２にて作成したヘッダ部とＳ３４２にてＪＰＥＧ圧縮して得られたＪＰＥＧデータとをＪＰＥＧファイルとしてまとめ、仮にテンポラリーファイル名“ＴｈｕｍｂＤａｔａ．ＪＰＧ”を付して、ハードディスク１３の画像ファイル領域１３４のルートに格納する。
　【０１５３】
　次のＳ３４５では、ＨＤＤ制御部１１３は、ＲＡＭ１１上に用意された作業エリア中、受信したスキャンデータに対応する頁用のＳｉｚｅ　ｏｆ　ＪＰＥＧ　ｔｈｕｍｂｎａｉｌ領域７１−１〜Ｘに相当するエリアに、Ｓ３４４に作成したサムネイル用ＪＰＥＧファイルのデータ長を設定する。このＳ３４５が完了すると、ＨＤＤ制御部１１３は、処理をＳ３０１に戻す。
　【０１５４】
　これに対して、受信したスキャンデータが何れかの頁の先頭行を含むスキャンデータでないとＳ３３１にて判定した場合には、ＨＤＤ制御部１１３は、処理をＳ３４６に進める。このＳ３４６では、ＨＤＤ制御部１１３は、ハードディスク１３の画像ファイル領域１３４に格納されているＴＩＦＦファイル“ＡｃｔｕａｌＤａｔａ．Ｔｉｆ”を読み出して、そのデータ部に、受信したスキャンデータを追加する。
　【０１５５】
　次のＳ３４７では、ＨＤＤ制御部１１３は、Ｓ３４６での追加後のＴＩＦＦファイル“ＡｃｔｕａｌＤａｔａ．Ｔｉｆ”を、ハードディスク１３内に上書する。
　【０１５６】
　次のＳ３４８では、ＨＤＤ制御部１１３は、受信したスキャンデータをサムネイル用に解像度を落としつつＪＰＥＧ圧縮する。
　【０１５７】
　次のＳ３４９では、ＨＤＤ制御部１１３は、ハードディスク１３の画像ファイル領域１３４に格納されているＪＰＥＧファイル“ＴｈｕｍｂＤａｔａ．ＪＰＧ”を読み出して、そのデータ部に、Ｓ３４８にてＪＰＥＧ圧縮して得られたＪＰＥＧデータを追加する。
　【０１５８】
　次のＳ３５０では、ＨＤＤ制御部１１３は、Ｓ３４９での追加後のＪＰＥＧファイル“ＴｈｕｍｂＤａｔａ．ＪＰＧ”を、ハードディスク１３内に上書する。
　【０１５９】
　次のＳ３５１では、ＨＤＤ制御部１１３は、ＲＡＭ１１上に用意された作業エリア中、受信したスキャンデータに対応する頁用のＳｉｚｅ　ｏｆ　ＪＰＥＧ　ｔｈｕｍｂｎａｉｌ領域７１−１〜Ｘに相当するエリアに、Ｓ３５０に上書したサムネイル用ＪＰＥＧファイルのデータ長を設定する。このＳ３５１が完了すると、ＨＤＤ制御部１１３は、処理をＳ３０１に戻す。
　【０１６０】
　一方、スキャナ部１１５からのスキャン終了メッセージを受信した場合（Ｓ２１７，Ｓ２１８参照）に実行されるＳ３０５では、ＨＤＤ制御部１１３は、マネジメント部１１４からの「スキャン及びＨＤＤ格納依頼」メッセージに格納されていた格納形式パラメータによって、ＪＰＥＧファイルが指定されているかＴＩＦＦファイルが指定されているかをチェックする。そして、ＪＰＥＧファイルが指定されている場合には処理をＳ３５２へ進め、ＴＩＦＦファイルが指定されている場合には処理をＳ３６４へ進める。
　【０１６１】
　Ｓ３５２では、ＨＤＤ制御部１１３は、ＲＡＭ１１上に用意された作業エリア中、スキャン終了がなされた頁用のＯｆｆｓｅｔ　ｏｆ　Ｔｏｔａｌ　ＪＰＥＧ　Ｄａｔａ領域６３に相当するエリアに、その頁用のＴｏｔａｌ　ＪＰＥＧ　Ｄａｔａ領域６０のオフセット量の適正値（即ち、その頁より前の全頁分のＴｏｔａｌ　ＪＰＥＧ　Ｄａｔａ領域６０，Ｓｉｚｅ　ｏｆ　ＪＰＥＧ　ｔｈｕｍｂｎａｉｌ領域６１及びＪＰＥＧ　ｔｈｕｍｂｎａｉｌ領域６２のデータ長総和）をセットする。
　【０１６２】
　次のＳ３５３では、ＨＤＤ制御部１１３は、ＲＡＭ１１上に用意された作業エリア中、スキャン終了がなされた頁用のＯｆｆｓｅｔ　ｏｆ　ＪＰＥＧ　Ｔｈｕｍｂｎａｉｌ領域６４に相当するエリアに、その頁用のＪＰＥＧ　ｔｈｕｍｂｎａｉｌ領域６２のオフセット量の適正値（即ち、その頁より前の全頁分のＴｏｔａｌ　ＪＰＥＧ　Ｄａｔａ領域６０，Ｓｉｚｅ　ｏｆ　ＪＰＥＧ　ｔｈｕｍｂｎａｉｌ領域６１及びＪＰＥＧ　ｔｈｕｍｂｎａｉｌ領域６２のデータ長総和＋その頁用のＴｏｔａｌ　ＪＰＥＧ　Ｄａｔａ領域６０及びＳｉｚｅ　ｏｆ　ＪＰＥＧ　ｔｈｕｍｂｎａｉｌ領域６１のデータ長総和）をセットする。
　【０１６３】
　次のＳ３５４では、ＨＤＤ制御部１１３は、ＲＡＭ１１上に用意された作業エリア中、Ｎｏ．ｏｆ　Ｐａｇｅｓ領域６５に相当するエリアの値を、一つインクリメントする。
　【０１６４】
　次のＳ３５６では、ＨＤＤ制御部１１３は、受信したスキャン終了メッセージに「残り頁有り」が設定されているか「残り頁無し」が設定されているかを、チェックする。そして、「残り頁有り」が設定されている場合には処理をＳ３５７へ進め、「残り頁無し」が設定されている場合には処理をＳ３６０へ進める。
　【０１６５】
　Ｓ３５７では、ＨＤＤ制御部１１３は、スキャン終了がなされた頁が最初の頁であるか否かをチェックする。そして、最初の頁であった場合には、ＨＤＤ制御部１１３は、Ｓ３５８において、ハードディスク１３内のＪＰＥＧファイル“ＡｃｔｕａｌＤａｔａ．ＪＰＧ”及びＪＰＥＧファイル“ＴｈｕｍｂＤａｔａ．ＪＰＧ”をコンバインし、仮にテンポラリーファイル名“ＰｒｅｖｉｏｕｓＤａｔａ．ＪＰＧ”を付して、ハードディスク１３の画像ファイル領域１３４のルートに格納する。このＳ３５８の完了後、ＨＤＤ制御部１１３は、処理をＳ３０１に戻す。
　【０１６６】
　これに対して、最初の頁でない場合には、ＨＤＤ制御部１１３は、Ｓ３５９において、ハードディスク１３内のＪＰＥＧファイル“ＰｒｅｖｉｏｕｓＤａｔａ．ＪＰＧ”に、同じくハードディスク１３内のＪＰＥＧファイル“ＡｃｔｕａｌＤａｔａ．ＪＰＧ”及びＪＰＥＧファイル“ＴｈｕｍｂＤａｔａ．ＪＰＧ”を順番に繋げることによって、ハードディスク１３内のＪＰＥＧファイル“ＰｒｅｖｉｏｕｓＤａｔａ．ＪＰＧ”を更新する。Ｓ３５９の完了後、ＨＤＤ制御部１１３は、処理をＳ３０１に戻す。
　【０１６７】
　一方、「残り頁無し」に設定されている場合（最終頁のスキャンが終了した場合）に実行されるＳ３６０では、ＨＤＤ制御部１１３は、原稿が単一頁からなるか否かをチェックする。そして、原稿が単一頁からなると判定した場合（即ち、スキャン終了がなされた頁が最初の頁である場合）には、ＨＤＤ制御部１１３は、Ｓ３６１において、ハードディスク１３内のＪＰＥＧファイル“ＡｃｔｕａｌＤａｔａ．ＪＰＧ”及びＪＰＥＧファイル“ＴｈｕｍｂＤａｔａ．ＪＰＧ”とＲＡＭ１１上の各ファイル管理データ（即ち、Ｓｉｚｅ　ｏｆ　ＪＰＥＧ　ｔｈｕｍｂｎａｉｌ領域６１，Ｏｆｆｓｅｔ　ｏｆ　Ｔｏｔａｌ　ＪＰＥＧ　Ｄａｔａ領域６３，Ｏｆｆｓｅｔ　ｏｆ　ＪＰＥＧ　Ｔｈｕｍｂｎａｉｌ領域６４，Ｎｏ．ｏｆ　ｐａｇｅｓ領域６５及びＭｒｅｋｅｒ領域６６に相当するエリアに設定されているデータ）とを所定のフォーマット（図３７に示すＪＰＥＧシングルページファイルのフォーマット）に従ってコンバインする。そして、マネジメント部１１４からの「スキャン及びＨＤＤ格納依頼」メッセージ中の格納形式パラメータによって指定されたファイル形式（この場合はＪＰＥＧファイル）に対応したファイル名を付して、ハードディスク１３の画像ファイル領域１３４のルートに格納する。このＳ３６１を完了すると、ＨＤＤ制御部１１３は、処理をＳ３６３へ進める。
　【０１６８】
　これに対して、原稿が複数頁からなるとＳ３６０にて判定した場合（即ち、スキャン終了がなされた頁が最初の頁でない場合）には、ＨＤＤ制御部１１３は、Ｓ３６２において、ハードディスク１３内のＪＰＥＧファイル“ＰｒｅｖｉｏｕｓＤａｔａ．ＪＰＧ”，ＪＰＥＧファイル“ＡｃｔｕａｌＤａｔａ．ＪＰＧ”及びＪＰＥＧファイル“ＴｈｕｍｂＤａｔａ．ＪＰＧ”とＲＡＭ１１上の各ファイル管理データ（即ち、各頁用のＳｉｚｅ　ｏｆ　ＪＰＥＧ　ｔｈｕｍｂｎａｉｌ領域６１−１〜Ｘ，各頁用のＯｆｆｓｅｔ　ｏｆ　Ｔｏｔａｌ　ＪＰＥＧ　Ｄａｔａ領域６３−１〜Ｘ，各頁用のＯｆｆｓｅｔ　ｏｆ　ＪＰＥＧ　Ｔｈｕｍｂｎａｉｌ領域６４−１〜Ｘ，Ｎｏ．ｏｆ　ｐａｇｅｓ領域６５，及びＭｒｅｋｅｒ領域６６に相当するエリアに設定されているデータ）とを所定のフォーマット（図３８に示すＪＰＥＧマルチページファイルのフォーマット）に従ってコンバインする。そして、マネジメント部１１４からの「スキャン及びＨＤＤ格納依頼」メッセージ中の格納形式パラメータによって指定されたファイル形式（この場合はＪＰＥＧファイル）に対応したファイル名を付して、ハードディスク１３の画像ファイル領域１３４のルートに格納する。このＳ３６２を完了すると、ＨＤＤ制御部１１３は、処理をＳ３６３へ進める。
　【０１６９】
　Ｓ３６３では、ＨＤＤ制御部１１３は、マネジメント部１１４に対して、処理終了メッセージを送信する。このＳ３６３を完了すると、ＨＤＤ制御部１１３は、処理をＳ３０１に戻す。
　【０１７０】
　一方、Ｓ３６４では、ＨＤＤ制御部１１３は、ＲＡＭ１１上に用意された作業エリア中、スキャン終了がなされた頁用のＯｆｆｓｅｔ　ｏｆ　ＴＩＦＦ　Ｄａｔａ領域７３に相当するエリアに、その頁用のＴＩＦＦ　Ｈｅａｄｅｒ＋Ｄａｔａ領域７０（７０−１）又はＴＩＦＦ　ｐａｇｅ　ｎ　ｄａｔａ領域７０−ｎのオフセット量の適正値（即ち、その頁より前の全頁分のＴＩＦＦ　Ｈｅａｄｅｒ＋Ｄａｔａ領域７０（７０−１）又はＴＩＦＦ　ｐａｇｅ　ｎ　ｄａｔａ領域７０−ｎ，Ｓｉｚｅ　ｏｆ　ＪＰＥＧ　ｔｈｕｍｂｎａｉｌ領域７１及びＪＰＥＧ　ｔｈｕｍｂｎａｉｌ領域７２のデータ長総和）をセットする。
　【０１７１】
　次のＳ３６５では、ＨＤＤ制御部１１３は、ＲＡＭ１１上に用意された作業エリア中、スキャン終了がなされた頁用のＯｆｆｓｅｔ　ｏｆ　ＪＰＥＧ　Ｔｈｕｍｂｎａｉｌ領域７４に相当するエリアに、その頁用のＪＰＥＧ　ｔｈｕｍｂｎａｉｌ領域７２のオフセット量の適正値（即ち、その頁より前の全頁分のＴＩＦＦ　Ｈｅａｄｅｒ＋Ｄａｔａ領域７０（７０−１）又はＴＩＦＦ　ｐａｇｅ　ｎ　ｄａｔａ領域７０−ｎ，Ｓｉｚｅ　ｏｆ　ＪＰＥＧ　ｔｈｕｍｂｎａｉｌ領域７１及びＪＰＥＧ　ｔｈｕｍｂｎａｉｌ領域７２のデータ長総和＋その頁用のＴＩＦＦ　Ｈｅａｄｅｒ＋Ｄａｔａ領域７０（７０−１）又はＴＩＦＦ　ｐａｇｅ　ｎ　ｄａｔａ領域７０−ｎ及びＳｉｚｅ　ｏｆ　ＪＰＥＧ　ｔｈｕｍｂｎａｉｌ領域７１のデータ長総和）をセットする。
　【０１７２】
　次のＳ３６６では、ＨＤＤ制御部１１３は、ＲＡＭ１１上に用意された作業エリア中、Ｎｏ．ｏｆ　Ｐａｇｅｓ領域７５に相当するエリアの値を、一つインクリメントする。
　【０１７３】
　次のＳ３６７では、ＨＤＤ制御部１１３は、受信したスキャン終了メッセージに「残り頁有り」が設定されているか「残り頁無し」が設定されているかを、チェックする。そして、「残り頁有り」が設定されている場合には処理をＳ３５８へ進め、「残り頁無し」が設定されている場合には処理をＳ３７１へ進める。
　【０１７４】
　Ｓ３６８では、ＨＤＤ制御部１１３は、スキャン終了がなされた頁が最初の頁であるか否かをチェックする。そして、最初の頁であった場合には、ＨＤＤ制御部１１３は、Ｓ３６９において、ハードディスク１３内のＴＩＦＦファイル“ＡｃｔｕａｌＤａｔａ．Ｔｉｆ”及びＪＰＥＧファイル“ＴｈｕｍｂＤａｔａ．ＪＰＧ”をコンバインし、仮にテンポラリーファイル名“ＰｒｅｖｉｏｕｓＤａｔａ．Ｔｉｆ”を付して、ハードディスク１３の画像ファイル領域１３４のルートに格納する。このＳ３６９の完了後、ＨＤＤ制御部１１３は、処理をＳ３０１に戻す。
　【０１７５】
　これに対して、最初の頁でない場合には、ＨＤＤ制御部１１３は、Ｓ３７０において、ハードディスク１３内のＴＩＦＦファイル“ＰｒｅｖｉｏｕｓＤａｔａ．Ｔｉｆ”に、同じくハードディスク１３内のＴＩＦＦファイル“ＡｃｔｕａｌＤａｔａ．Ｔｉｆ”及びＪＰＥＧファイル“ＴｈｕｍｂＤａｔａ．ＪＰＧ”を順番に繋げることによって、ハードディスク１３内のＴＩＦＦファイル“ＰｒｅｖｉｏｕｓＤａｔａ．Ｔｉｆ”を更新する。Ｓ３７０の完了後、ＨＤＤ制御部１１３は、処理をＳ３０１に戻す。
　【０１７６】
　一方、「残り頁無し」に設定されている場合（最終頁のスキャンが終了した場合）に実行されるＳ３７１では、ＨＤＤ制御部１１３は、原稿が単一頁からなるか否かをチェックする。そして、原稿が単一頁からなると判定した場合（即ち、スキャン終了がなされた頁が最初の頁である場合）には、ＨＤＤ制御部１１３は、Ｓ３７２において、ハードディスク１３内のＴＩＦＦファイル“ＡｃｔｕａｌＤａｔａ．Ｔｉｆ”及びＪＰＥＧファイル“ＴｈｕｍｂＤａｔａ．ＪＰＧ”とＲＡＭ１１上の各ファイル管理データ（即ち、Ｓｉｚｅ　ｏｆ　ＪＰＥＧ　ｔｈｕｍｂｎａｉｌ領域７１，Ｏｆｆｓｅｔ　ｏｆ　ＴＩＦＦ　Ｄａｔａ領域７３，Ｏｆｆｓｅｔ　ｏｆ　ＪＰＥＧ　Ｔｈｕｍｂｎａｉｌ領域７４，Ｎｏ．ｏｆ　ｐａｇｅｓ領域７５及びＭｒｅｋｅｒ領域７６に相当するエリアに設定されているデータ）とを所定のフォーマット（図３９に示すシングルページＴＩＦＦファイルのフォーマット）に従ってコンバインする。そして、マネジメント部１１４からの「スキャン及びＨＤＤ格納依頼」メッセージ中の格納形式パラメータによって指定されたファイル形式（この場合はＴＩＦＦファイル）に対応したファイル名を付して、ハードディスク１３の画像ファイル領域１３４のルートに格納する。このＳ３７２を完了すると、ＨＤＤ制御部１１３は、処理をＳ３７４へ進める。
　【０１７７】
　これに対して、原稿が複数頁からなるとＳ３７１にて判定した場合（即ち、スキャン終了がなされた頁が最初の頁でない場合）には、ＨＤＤ制御部１１３は、Ｓ３７３において、ハードディスク１３内のＴＩＦＦファイル“ＰｒｅｖｉｏｕｓＤａｔａ．Ｔｉｆ”，ＴＩＦＦファイル“ＡｃｔｕａｌＤａｔａ．Ｔｉｆ”及びＪＰＥＧファイル“ＴｈｕｍｂＤａｔａ．ＪＰＧ”とＲＡＭ１１上の各ファイル管理データ（即ち、各頁用のＳｉｚｅ　ｏｆ　ＪＰＥＧ　ｔｈｕｍｂｎａｉｌ領域７１−１〜Ｘ，各頁用のＯｆｆｓｅｔ　ｏｆ　ＴＩＦＦ　Ｄａｔａ領域７３−１〜Ｘ，各頁用のＯｆｆｓｅｔ　ｏｆ　ＪＰＥＧ　Ｔｈｕｍｂｎａｉｌ領域７４−１〜Ｘ，Ｎｏ．ｏｆ　ｐａｇｅｓ領域７５，及びＭｒｅｋｅｒ領域７６に相当するエリアに設定されているデータ）とを所定のフォーマット（図４０に示すＪＰＥＧマルチページファイルのフォーマット）に従ってコンバインする。そして、マネジメント部１１４からの「スキャン及びＨＤＤ格納依頼」メッセージ中の格納形式パラメータによって指定されたファイル形式（この場合はＪＰＥＧファイル）に対応したファイル名を付して、ハードディスク１３の画像ファイル領域１３４のルートに格納する。このＳ３７３を完了すると、ＨＤＤ制御部１１３は、処理をＳ３７４へ進める。
　【０１７８】
　Ｓ３７４では、ＨＤＤ制御部１１３は、マネジメント部１１４に対して、処理終了メッセージを送信する。このＳ３７４を完了すると、ＨＤＤ制御部１１３は、処理をＳ３０１に戻す。
　【０１７９】
　一方、マネジメント部１１４からのキャンセルメッセージを受信した場合に実行されるＳ３０６では、ＨＤＤ制御部１１３は、スキャン中だった原稿に関連するファイル（即ち、ＪＰＥＧファイル“ＰｒｅｖｉｏｕｓＤａｔａ．ＪＰＧ”又はＴＩＦＦファイル“ＰｒｅｖｉｏｕｓＤａｔａ．Ｔｉｆ”，ＪＰＥＧファイル“ＡｃｔｕａｌＤａｔａ．ＪＰＧ”又はＴＩＦＦファイル“ＡｃｔｕａｌＤａｔａ．Ｔｉｆ”及びＪＰＥＧファイル“ＴｈｕｍｂＤａｔａ．ＪＰＧ”）をハードディスク１３から消去する。このＳ３０６を完了すると、ＨＤＤ制御部１１３は、処理をＳ３０１に戻す。
　【０１８０】
　一方、その他のメッセージを受信した場合に実行されるＳ３０７では、ＨＤＤ制御部１１３は、そのメッセージに対応する処理を実行する。このＳ３０７を完了すると、ＨＤＤ制御部１１３は、処理をＳ３０１に戻す。
　【０１８１】
＜ウェッブブラウザ＞次に、各クライアント端末２内でウェッブブラウザ３０１が実行する処理を、図１６のフローチャートを参照して、“ＷｅｂＥｘｐｌｏｒｅ”のＵＲＬが入力された場合に絞って説明する。このウェッブブラウザ３０１は、オペレータによって“ＷｅｂＥｘｐｌｏｒｅ”のＵＲＬが入力されると、Ｓ４０１において、このＵＲＬを通信部３０２経由で何れかのコピーシステム１のコピーサーバ１０へ送信する。このＵＲＬの送信先のコピーシステム１を、以下、プライマリコピーシステムという。
　【０１８２】
　このＵＲＬの送信に対応して、プライマリコピーシステム１のコピーサーバ１０がハイパーテキスト“ＷｅｂＥｘｐｌｏｒｅ．ｈｔｍｌ”を送信して来ると、ウェッブブラウザ３０１は、Ｓ３０２において、このハイパーテキストデータ“ＷｅｂＥｘｐｌｏｒｅ．ｈｔｍｌ”を受信する。
　【０１８３】
　次に、ウェッブブラウザ３０１は、Ｓ４０３において、受信したハイパーテキストデータ“ＷｅｂＥｘｐｌｏｒｅ．ｈｔｍｌ”に従って、Ｊａｖａアプレットによる画像の表示領域を確保するとともに、ハイパーテキストデータ“ＷｅｂＥｘｐｌｏｒｅ．ｈｔｍｌ”内でそのアプレットクラスファイル名称が指定されたＪａｖａアプレットのクラスファイルを、通信部３０２経由で、プライマリコピーシステム１のコピーサーバ１０に要求する。
　【０１８４】
　次に、ウェッブブラウザ３０１は、Ｓ４０４において、要求したＪａｖａアプレットの全クラスファイルの受信完了を待つ。そして、全クラスファイルを受信し終わると、ウェッブブラウザ３０１は、Ｓ４０５において、受信した全クラスファイルからＪａｖａアプレット１３３を復元し、このＪａｖａアプレット１３３を起動する。以上の後に、ウェッブブラウザ３０１は、通常の処理を続ける。
　【０１８５】
＜Ｊａｖａアプレット＞次に、本実施形態においてハイパーテキストデータ“ＷｅｂＥｘｐｌｏｒｅ．ｈｔｍｌ”内でそのアプレットクラスファイル名称が指定されたＪａｖａアプレット１３３による処理を、図１７乃至図２５のフローチャートを参照して、説明する。
　【０１８６】
　Ｓ４０５にて起動されたＪａｖａアプレット１３３は、Ｓ１０１において、図４２に示す初期画面８０を表示する。但し、この時点においては、初期画面８０の左右の窓８５，８６は空欄のままとなっている。
　【０１８７】
　次のＳ５０２では、Ｊａｖａアプレット１３３は、Ｓ４０２にて受信したハイパーテキストデータ“ＷｅｂＥｘｐｌｏｒｅ．ｈｔｍｌ”に記載されている各種パラメータに従い、初期画面８０の左側の窓８５に、プライマリコピーシステム１，セカンダリコピーシステム１’及び他のクライアント端末２の名称及びアイコンを、ツリー表示する。また、自クライアント端末２のハードディスク３８にアクセスして、Ｍｙ　Ｃｏｍｐｕｔｅｒの文字及びアイコンを、当該窓８５に追加表示する。
　【０１８８】
　次のＳ５０３では、Ｊａｖａアプレット１３３は、入力インタフェース３７からの入力信号に基づいて、何らかの操作イベントが発生したか否かを判定する。そして、何らかの操作イベントが発生したと判定できた場合には、Ｊａｖａアプレット１３３は、Ｓ５０４において、発生した操作イベントの種類をチェックする。
　【０１８９】
　このＳ５０４にて表示タイプの選択オペレーションが発生したと判定できた場合，即ち、初期画面８０のメニューバー８２中の「表示」がクリックされ、その後で表示されるプルダウンメニュー中の「ファイルリスト」又は「サムネイル」がクリックされた場合、Ｊａｖａアプレット１３３は、処理をＳ５０５へ進める。このＳ５０５では、Ｊａｖａアプレット１３３は、選択された表示タイプ，即ち、クリックされた名称に対応した“ファイルリスト表示”又は“サムネイル表示”を記憶する。このＳ５０５を完了すると、Ｊａｖａアプレット１３３は、処理をＳ５０３に戻す。
　【０１９０】
　一方、Ｓ５０４にて表示サムネイル数変更オペレーションが発生したと判定できた場合，初期画面８０のメニューバー８２中の「表示」がクリックされ、その後で表示されるプルダウンメニュー中の「サムネイル」がクリックされ、その後で表示されるメニューから「３」，「６」又は「９」がクリックされた場合、Ｊａｖａアプレット１３３は、処理をＳ５０６へ進める。このＳ５０６では、Ｊａｖａアプレット１３３は、選択されたサムネイル数，即ち、クリックされた数を記憶する。このＳ５０６を完了すると、Ｊａｖａアプレット１３３は、処理をＳ５０３に戻す。
　【０１９１】
　一方、Ｓ５０４にて何れかのディレクトリのクリックオペレーションが発生したと判定できた場合，即ち、初期画面８０の左側の窓８５に現在表示されている何れかのアイコン又は文字（以下、単に、ディレクトリと称する）がクリックされた場合、Ｊａｖａアプレット１３３は、処理をＳ５０８に進める。Ｓ５０８では、Ｊａｖａアプレット１３３は、プライマリコピーシステム１とリンクを行い、クリックされたディレクトリに対応するパス名を指定したファイルリスト要求パケットを送信する（管理情報要求部に相当）。
　【０１９２】
　次のＳ５０９では、Ｊａｖａアプレット１３３は、Ｓ５０８にて送信したファイルリスト要求パケットに対するファイル情報の応答（Ｓ７１５参照）を待つ。このファイル情報（ファイル管理情報）には、ファイルリスト要求パケット中のパス名が示すディレクトリ内の各サブディレクトリのディレクトリ名，当該パス名が示すディレクトリ内に格納されている各ファイルのファイル名，ファイルサイズ，ファイル属性，タイムスタンプ及び頁数，並びに、当該パス名が示すディレクトリに使用可能な空きディスク容量が、含まれている。
　【０１９３】
　このファイル情報が応答された場合、Ｊａｖａアプレット１３３は、処理をＳ５０９からＳ５１０へ進める。このＳ５１０では、Ｊａｖａアプレット１３３は、ファイル情報に含まれる空きディスク容量に基づいて初期画面８０のステータスバー８４に空きディスク容量を表示するとともに、ファイル情報に含まれるサブディレクトリ名に基づいて、初期画面８０の左側の窓８５内に表示されているツリー中の更新を行う。即ち、図４４及び図４５に示すように、クリックされたディレクトリの下の階層に、各サブディレクトリ名とそのアイコンをツリー表示する。
　【０１９４】
　次のＳ５１１では、Ｊａｖａアプレット１３３は、Ｓ５０５にて記憶した表示タイプがファイルリスト表示であるかサムネイル表示であるかをチェックする。そして、ファイルリスト表示が記憶されている場合には、Ｓ５１２において、Ｓ５０９にて応答されたファイル情報に基づいて、ファイルリスト表示を行う。即ち、図４４に示すように、初期画面の右側の窓８６に、ファイル情報に含まれる各ファイルのファイル名，ファイルサイズ，ファイル属性，タイムスタンプ及び頁数を、上から順に一覧表示する（表示部に相当）。このＳ５１２を完了すると、Ｊａｖａアプレット１３３は、処理をＳ５０３に戻す。
　【０１９５】
　これに対して、サムネイル表示が記憶されているとＳ５１１にて判定した場合には、Ｊａｖａアプレット１３３は、Ｓ５１３において、Ｓ５０９にて応答されたファイル情報中に含まれている最初のファイル名を特定する。このＳ５０９を完了すると、Ｊａｖａアプレット１３３は、処理をＳ５１０に進める。
　【０１９６】
　５１０では、Ｊａｖａアプレット１３３は、変数ｎを初期化して“０”とする。続いてＪａｖａアプレット１３３は、ファイル情報中に含まれる各ファイル名毎に対応するＪＰＥＧサムネイルデータを受信するために、Ｓ５１５乃至Ｓ５２０のループ処理を実行する。
　【０１９７】
　このループ処理に入って最初のＳ５１５では、Ｊａｖａアプレット１３３は、プライマリコピーシステム１とリンクを行い、Ｓ５１３，Ｓ５２１，Ｓ５２４又はＳ５２５にて特定したファイル名，そのパス名及び要求対象ファイルタイプ（ここではＪＰＥＧサムネイルファイル）を指定したファイルダウンロード要求パケットを送信する（概略画像用ＪＰＥＧファイル要求部に相当）。
　【０１９８】
　次のＳ５１６では、Ｊａｖａアプレット１３３は、Ｓ５１５にて送信したファイルダウンロード要求パケットに対するＪＰＥＧサムネイルファイル（概略画像用ＪＰＥＧファイル）の応答（Ｓ７２７参照）を待つ。
　【０１９９】
　ＪＰＥＧサムネイルファイルが応答された場合、Ｊａｖａアプレット１３３は、処理をＳ５１６からＳ５１７へ進める。このＳ５１７では、Ｊａｖａアプレット１３３は、受信したサムネイルＪＰＥＧファイルを、ＲＡＭ３２にセーブする。
　【０２００】
　次のＳ５１８では、Ｊａｖａアプレット１３３は、変数ｎを一つインクリメントする。
　【０２０１】
　次のＳ５１９では、Ｓ５０９にて受信したファイル情報に含まれる全ファイル名に関して、Ｓ５１５のファイルダウンロード要求パケット送信を行ったか否かをチェックする。そして、未だ全ファイル名に関してファイルダウンロード要求パケット送信を行っていない場合には、Ｊａｖａアプレット１３３は、処理をＳ５２０へ進める。
　【０２０２】
　Ｓ５２０では、Ｊａｖａアプレット１３３は、変数ｎとＳ５０６にて記憶したサムネイル数とが一致しているか否かをチェックする。そして、未だ変数ｎがサムネイル数に達していない場合には、Ｊａｖａアプレット１３３は、Ｓ５２１にてファイル情報中の次のファイル名を特定した後に、新たに特定したファイル名に関するファイルダウンロード要求パケット送信を行うために、処理をＳ５１５に戻す。
　【０２０３】
　以上のＳ５１５乃至Ｓ５２１のループ処理を繰り返した結果、ファイル情報中の全ファイル名に関してファイルダウンロード要求パケット送信を完了した場合には、Ｊａｖａアプレット１３３は、処理をＳ５１９からＳ５２２へ進める。また、変数ｎがサムネイル数と一致した場合には、Ｊａｖａアプレット１３３は、処理をＳ５２０からＳ５２２へ進める。
　【０２０４】
　Ｓ５２２では、Ｊａｖａアプレット１３３は、ＲＡＭ３２にセーブされているＪＰＥＧサムネイルファイルに基づいて、図４５に示すように、初期画面８０の右側の窓８６中にサムネイルの表示を行う（表示部に相当）。この場合、ファイル情報中の頁数が“１”であるファイル名については、図４５中のＡに示すように、そのファイル名に関して応答されたＪＰＥＧサムネイルファイル中のＪＰＥＧサムネイルデータに基づくサムネイル画像（概略画像）８７，１頁中の１頁目である旨（Ｐａｇｅ１ＯＦ１）８８，そのファイル名８９，ファイルサイズ９０が、縦に並べられて表示される。これに対して、ファイル情報中の頁数が複数頁（仮にＸ頁とする）であるファイル名については、図４５中のＢに示すように、サムネイル画像８７の上縁及び右側縁に、画像が重なっているように見せる縁取り８７ａが付加される。また、サムネイル画像８７とファイル名８９との間に、Ｘ頁中のＹ頁目（初期においては“１”）頁目である旨（Ｐａｇｅ　Ｙ　ｏｆ　Ｘ）９１が表示される。但し、「頁目」を示すＹは、スクロールバー８８ａが添付されたテキストボックス８８ｂ内に表示される。従って、このスクロールバー８８ａをマウスで操作することにより、このテキストボックス８８ｂ内に表示されたＹの値を、Ｘの値の範囲内で増減することが可能となっている。このＳ５２２を完了すると、Ｊａｖａアプレット１３３は、処理をＳ５０３に戻す。
　【０２０５】
　一方、Ｓ５０４にて前頁又は次頁ボタンクのクリックオペレーションが発生したと判定できた場合，即ち、図４５に示すようにサムネイル表示中の右側の窓８６内に表示されている前頁ボタン８６ａ又は次頁ボタン８６ｂがクリックされた場合、Ｊａｖａアプレット１３３は、処理をＳ５２３に進める。
　【０２０６】
　Ｓ５２３では、Ｊａｖａアプレット１３３は、前頁ボタン８６ａがクリックされたのか次頁ボタン８６ｂがクリックされたのかを、チェックする。そして、Ｊａｖａアプレット１３３は、前頁ボタン８６ａがクリックされた場合には処理をＳ５２４に進め、次頁ボタン８６ｂがクリックされた場合には処理をＳ５２５に進める。Ｓ５２４では、Ｊａｖａアプレット１３３は、現在のディレクトリに関して最新のＳ５０９にて応答されたファイル情報内から、現在窓８６にサムネイルが表示されている最後尾のファイル名の次のファイル名を、特定する。これに対して、Ｓ５２５では、Ｊａｖａアプレット１３３は、現在のディレクトリに関して最新のＳ５０９にて応答されたファイル情報内から、現在窓８６にサムネイルが表示されている先頭のファイル名よりも、Ｓ５０６にて記憶したサムネイル数分だけ前のファイル名を、特定する。何れの場合においても、Ｊａｖａアプレット１３３は、次に処理をＳ５１４へ進める。このＳ５１４以下の処理は、既に説明したので、ここではその説明を省略する。
　【０２０７】
　一方、Ｓ５０４にて複数ページファイルの表示頁ＮＯ．更新オペレーションが発生したと認識できた場合，即ち、右側の窓８６に表示されている何れかのサムネイルのスクロールバー８８ａがマウス４２によって操作されたためにテキストボックス８８ｂ内に表示されている頁数Ｙが増減された場合、Ｊａｖａアプレット１３３は、処理をＳ５２６に進める。
　【０２０８】
　Ｓ５２６では、Ｊａｖａアプレット１３３は、プライマリコピーシステム１とリンクを行い、更新を求めるファイル名（即ち、頁数Ｙが増減されたテキストボックス８８ｂの下に記載されたファイル名），そのパス名，ファイルタイプ（ここでは、ＪＰＥＧサムネイルファイル）及び、要求対象頁数（即ち、増減後の頁数Ｙ）を指定したファイルダウンロード要求パケットを送信する（概略画像用ＪＰＥＧファイル要求部に相当）。
　【０２０９】
　次のＳ５２７では、Ｊａｖａアプレット１３３は、Ｓ５２６にて送信したファイルダウンロード要求パケットに対するＪＰＥＧサムネイルファイル（概略画像用ＪＰＥＧファイル）の応答（Ｓ７２７参照）を待つ。
　【０２１０】
　ＪＰＥＧサムネイルファイルが応答された場合、Ｊａｖａアプレット１３３は、処理をＳ５２７からＳ５２８へ進める。このＳ５２８では、Ｊａｖａアプレット１３３は、受信したサムネイルＪＰＥＧファイルを、ＲＡＭ３２にセーブする。
　【０２１１】
　次のＳ５２９では、Ｊａｖａアプレット１３３は、ＲＡＭ３２にセーブされているＪＰＥＧサムネイルファイルに基づいて、頁数Ｙが増減されたテキストボックス８８ｂの上に表示されているサムネイル画像８７を、更新する。この結果、増減後の頁数Ｙに対応したサムネイル画像（概略画像）８７が表示されるようになる。このＳ５２９を完了すると、Ｊａｖａアプレット１３３は、処理をＳ５０３に戻す。
　【０２１２】
　一方、Ｓ５０４にてファイルドロップオペレーションが発生したと認識できた場合，即ち、右側の窓８６に表示されている何れかのファイル名（及びそれに対応するアイコン又はサムネイル画像８７）がドラッグされて、左側の窓８５に表示されている何れかのディレクトリ名（又はそのアイコン）上にドロップされた場合、Ｊａｖａアプレット１３３は、処理をＳ５３０に進める。
　【０２１３】
　Ｓ５３０では、Ｊａｖａアプレット１３３は、ドロップ先がマイコンピュータ（又はその下階層に属するディレクトリ）であれば処理をＳ５３１へ進め、ドロップ先が他のディレクトリ名であれば処理をＳ５３５へ進める。
　【０２１４】
　Ｓ５３１では、Ｊａｖａアプレット１３３は、プライマリコピーシステム１とリンクを行い、コピー元ファイル名（即ち、ドラッグされたファイル名）及びそのパス名，コピー先ドライブ名（即ち、ファイル名がドロップされたディレクトリの属する自クライアント端末２のハードディスク３８のドライブ名）及びそのパス名，ファイルタイプ（ここでは、全データを含む画像ファイル）とを指定したファイルダウンロード要求パケットを送信する。
　【０２１５】
　次のＳ５３２では、Ｊａｖａアプレット１３３は、Ｓ５３１にて送信したファイルダウンロード要求パケットに対する画像ファイル（ＪＰＥＧファイル又はＴＩＦＦファイル）の応答（Ｓ７２７参照）を待つ。
　【０２１６】
　画像ファイルが応答された場合、Ｊａｖａアプレット１３３は、処理をＳ５３２からＳ５３３へ進める。このＳ５３３では、Ｊａｖａアプレット１３３は、受信した画像ファイルを、コピー先ドライブにおけるコピー先パス名によって示されるディレクトリへ、書き込む。
　【０２１７】
　次のＳ５３４では、Ｊａｖａアプレット１３３は、Ｓ５３１でのファイルダウンロード要求に対する全ての画像ファイルを受信したか否かをチェックする。そして、未だ全ての画像ファイルを受信終了していない場合には、処理をＳ５３２に戻す。これに対して、全ての画像ファイルを受信終了した場合には、Ｊａｖａアプレット１３３は、処理をＳ５０３に戻す。
　【０２１８】
　これに対してＳ５３５では、Ｊａｖａアプレット１３３は、プライマリコピーシステム１とリンクを行い、コピー元ファイル名（即ち、ドラッグされたファイル名）及びそのパス名とコピー先ドライブ名（即ち、ファイル名がドロップされたディレクトリの属するコピーサーバ１０又は他のクライアント端末２のハードディスク１３，３８のドライブ名）及びそのパス名とを指定したファイルコピー要求パケットを送信する（ファイル送信要求部に相当）。
　【０２１９】
　次のＳ５３６では、Ｊａｖａアプレット１３３は、Ｓ５３５にて送信したファイルダウンロード要求パケットに対する応答を待つ。応答があった場合には、Ｊａｖａアプレット１３３は、次のＳ５３７において、正常にコピーを受け付けた旨（Ｓ７３０，Ｓ７３３，Ｓ７３６，Ｓ７４０参照）が応答されたのかエラーが応答されたのかを、チェックする。そして、エラーが応答された場合には、Ｊａｖａアプレット１３３は、Ｓ５４２において、画面上にエラー表示を行った後に、処理をＳ５０３へ戻す。これに対して、正常にコピーを受け付けた旨が応答された場合には、Ｊａｖａアプレット１３３は、処理をＳ５３８へ進める。このＳ５３８では、Ｊａｖａアプレット１３３は、プライマリコピーシステム１とリンクを行い、コピー終了を確認するためのコピー状況確認パケットを送信する。なお、このコピー状況確認パケットには、パラメータとして、処理番号，コピー元ファイル名及びそのパス名とコピー先ドライブ名及びそのパス名が格納されている。
　【０２２０】
　次のＳ５３９では、Ｊａｖａアプレット１３３は、Ｓ５３８でのコピー状況確認パケットに対する応答（Ｓ７４２，Ｓ７４６参照）の内容をチェックする。そして、Ｊａｖａアプレット１３３は、エラーが応答されていた場合には、Ｓ５４２において、画面上にエラー表示を行った後に、処理をＳ５０３へ戻す。これに対して、継続中である旨（即ち、処理プログレス＜１００％）が応答された場合には、Ｊａｖａアプレット１３３は、Ｓ５４０において、画面上にコピー継続中である旨及び処理プログレスを表示した後に、処理をＳ５３８に戻す。これに対して、終了した旨（即ち、処理プログレス＝１００％）が応答された場合には、Ｊａｖａアプレット１３３は、Ｓ５４１において、画面上にコピーが終了した旨を表示した後に、処理をＳ５０３に戻す。
　【０２２１】
　一方、Ｓ５０４にてファイル検索オペレーションが発生したと判定できた場合，即ち、初期画面８０のメニューバー８２中の「編集」がクリックされ、その後で表示されるプルダウンメニュー中の「検索」がクリックされることにより、若しくはツールバー８３中の検索ボタン８３ｃがクリックされることにより表示される検索ダイアログ（図示略）内に、検索パス及び検索対象ファイル名又は検索対象ディレクトリ名が入力された場合、Ｊａｖａアプレット１３３は、処理をＳ５４２へ進める。
　【０２２２】
　Ｓ５４２では、Ｊａｖａアプレット１３３は、図示せぬ検索ダイアログ内に入力された検索パスが自クライアント端末２内のドライブ名を含むか否かを、チェックする。そして、検索パスが自クライアント端末２内のドライブ名を含まない場合には、Ｊａｖａアプレット１３３は、処理をそのままＳ５４４へ進める。これに対して、検索パスが自クライアント端末２内のドライブ名を含む場合には、Ｊａｖａアプレット１３３は、Ｓ５４３において、自クライアント端末２のハードディスク３８内でファイル検索を実行した後に、処理をＳ５４４へ進める。
　【０２２３】
　このＳ５４４では、Ｊａｖａアプレット１３３は、プライマリコピーシステム１とリンクを行い、図示せぬ検索ダイアログ内に入力された検索範囲（検索を行うパスの範囲）及び検索対象ファイル名又は検索対象ディレクトリ名をパラメータとして含んだファイル検索要求パケットを送信する。
　【０２２４】
　次のＳ５４５では、Ｊａｖａアプレット１３３は、Ｓ５４４にて送信したファイル検索要求パケットに対する応答（Ｓ７５１参照）を待つ。応答があった場合には、Ｊａｖａアプレット１３３は、次のＳ５４６において、応答内容に基づいて、検索が正常に終了したか否かをチェックする。そして、検索が正常に終了しなかった場合には、Ｊａｖａアプレット１３３は、Ｓ５４８において、画面上にエラー表示を行った後に、処理をＳ５０３に戻す。
　【０２２５】
　これに対して、検索が正常に終了した場合には、Ｊａｖａアプレット１３３は、全ての検索結果（Ｓ５４３での検索結果，並びに、応答に含まれている検索結果）を、画面上に表示する。このＳ５４７を完了すると、Ｊａｖａアプレット１３３は、処理をＳ５０３に戻す。
　【０２２６】
　一方、Ｓ５０４にてファイル削除オペレーションが発生したと判定できた場合，即ち、右側の窓８６に表示されている何れかのファイル名又は左側の窓８５に表示されている何れかのディレクトリ名がクリックされた後で、初期画面８０のメニューバー８２中の「ファイル」がクリックされ、その後で表示されるプルダウンメニュー中の「削除」がクリックされた場合，若しくは、何れかのファイル名又はディレクトリ名がクリックされた後に、ツールバー８３中の削除ボタン８３ｄがクリックされた場合、Ｊａｖａアプレット１３３は、処理をＳ５４９へ進める。
　【０２２７】
　Ｓ５４２では、Ｊａｖａアプレット１３３は、削除パス（即ち、クリックされたファイル名又はディレクトリ名に対応するパス）が自クライアント端末２内のドライブ名を含むか否かを、チェックする。そして、削除パスが自クライアント端末２内のドライブ名を含む場合には、Ｊａｖａアプレット１３３は、Ｓ５５２において、削除対象ファイル（クリックされたファイル名が示すファイル）又は削除対象ディレクトリ（クリックされたディレクトリ名が示すディレクトリ）を、自クライアント端末２のハードディスク３８から削除する。このＳ５５２を完了すると、Ｊａｖａアプレット１３３は、処理をＳ５５３へ進める。
　【０２２８】
　これに対して、削除パスが自クライアント端末２内のドライブ名を含まない場合には、Ｊａｖａアプレット１３３は、Ｓ５５０において、プライマリコピーシステム１とリンクを行い、検索対象ファイル名又は検索対象ディレクトリ名及びそのパス名をパラメータとして含んだファイル削除要求パケットを送信する。次のＳ５５１では、Ｊａｖａアプレット１３３は、Ｓ５５０にて送信したファイル削除要求パケットに対する応答（Ｓ７５６参照）を待つ。応答があった場合には、Ｊａｖａアプレット１３３は、処理をＳ５５３へ進める。
　【０２２９】
　Ｓ５５３では、ＨＤＤ制御部１１３は、Ｓ５５２でのファイル削除処理の実行結果，若しくはＳ５５１にてプライマリコピーシステム１から受信した応答に基づいて、ファイル削除が正常になされたか否かをチェックする。そして、ファイル削除が正常になされなかった場合には、Ｊａｖａアプレット１３３は、Ｓ５５５において、画面上にエラー表示を行った後に、処理をＳ５０３に戻す。
　【０２３０】
　これに対して、ファイル削除が正常になされた場合には、Ｊａｖａアプレット１３３は、Ｓ５５４において、Ｓ５５２でのファイル削除処理の実行結果，若しくはＳ５５１にてプライマリコピーシステム１から受信した応答に含まれるパラメータに基づいて、ステータスバー８４に表示されているディスク空き容量を、ファイル削除後のものに書き換える。このＳ５５４を完了すると、Ｊａｖａアプレット１３３は、処理をＳ５０３に戻す。
　【０２３１】
　一方、Ｓ５０４にてファイルリネームオペレーションが発生したと判定できた場合，即ち、右側の窓８６に表示されている何れかのファイル名又は左側の窓８５に表示されている何れかのディレクトリ名がクリックされた後で、初期画面８０のメニューバー８２中の「ファイル」がクリックされ、その後で表示されるプルダウンメニュー中の「リネーム」がクリックされ、更に、新たなファイル名又はディレクトリ名がキーボード４１からの入力された場合、Ｊａｖａアプレット１３３は、処理をＳ５５６へ進める。
　【０２３２】
　Ｓ５５６では、Ｊａｖａアプレット１３３は、リネームパス（即ち、クリックされたファイル名又はディレクトリ名に対応するパス）が自クライアント端末２内のドライブ名を含むか否かを、チェックする。そして、リネームパスが自クライアント端末２内のドライブ名を含む場合には、Ｊａｖａアプレット１３３は、Ｓ５５９において、リネーム対象ファイル（クリックされたファイル名が示すファイル）又はリネーム対象ディレクトリ（クリックされたディレクトリ名が示すディレクトリ）のハードディスク３８内における実際の名称を、キーボード４１から入力された名称に変更する。このＳ５５９を完了すると、ＨＤＤ制御部１１３は、処理をＳ５６０へ進める。
　【０２３３】
　これに対して、リネームパスが自クライアント端末２内のドライブ名を含まない場合には、Ｊａｖａアプレット１３３は、Ｓ５５７において、プライマリコピーシステム１とリンクを行い、リネーム対象ファイル名又はリネーム対象ディレクトリ名，そのパス名及びキーボード４１から入力された名称をパラメータとして含んだファイルリネーム要求パケットを、送信する。次のＳ５５８では、Ｊａｖａアプレット１３３は、Ｓ５５７にて送信したファイルリネーム要求パケットに対する応答（Ｓ７６１参照）を待つ。応答があった場合には、Ｊａｖａアプレット１３３は、処理をＳ５６０へ進める。
　【０２３４】
　Ｓ５６０では、ＨＤＤ制御部１１３は、Ｓ５５９でのファイルリネーム処理の実行結果，若しくはＳ５５８にてプライマリコピーシステム１から受信した応答に基づいて、ファイルリネームが正常になされたか否かをチェックする。そして、ファイルリネームが正常になされなかった場合には、Ｊａｖａアプレット１３３は、Ｓ５６２において、画面上にエラー表示を行った後に、処理をＳ５０３に戻す。
　【０２３５】
　これに対して、ファイルリネームが正常になされた場合には、Ｊａｖａアプレット１３３は、Ｓ５６１において、クリックされたファイル名又はディレクトリ名の表示を、キーボード４１から入力された名称に変更する。このＳ５６１を完了すると、Ｊａｖａアプレット１３３は、処理をＳ５０３に戻す。
　【０２３６】
　一方、Ｓ５０４にてその他のイベントが発生したと場合、Ｊａｖａアプレット１３３は、Ｓ５０７において、そのイベントに対応した処理を実行した後に、処理をＳ５０３に戻す。
　【０２３７】
＜ネットワーク受信部＞次に、コピーサーバ１０上で実行されるネットワーク受信部１１１による処理を、図２６のフローチャートを用いて説明する。図２６に示されるように、ネットワーク受信部１１１は、Ｓ６０１において、ネットワークＮＷを介して何れかのクライアント端末２又は他のコピーシステム１’のコピーサーバ１０（制御部１１２）からパケットを受信するのを待つ。そして、何れかのパケットを受信すると、Ｓ６０２において、ＲＡＭ１１に格納されている制御部管理テーブル（図４１）に基づいて、空状態にある何れかの制御部１１２を選択する。
　【０２３８】
　次のＳ６０３では、ネットワーク受信部１１１は、Ｓ６０２にて選択した制御部１１２について、制御部管理テーブルに記録されている情報を「空状態」から「ビジー状態」に変更する。
　【０２３９】
　次のＳ６０４では、ネットワーク受信部１１１は、Ｓ６０１にて受信したパケットからメッセージを取り出して、Ｓ６０２にて選択した制御部１１２に対して通知する。Ｓ６０４を完了すると、ネットワーク受信部１１１は、Ｓ６０１に処理を戻し、次のパケットを待つ。
　【０２４０】
＜制御部＞次に、各制御部１１２による処理を、図２７乃至図３４のフローチャートを参照して説明する。各制御部１１２は、Ｓ７０１においてネットワークインタフェース部１１１からのメッセージ（Ｓ６０４参照）の受信を待つ。ネットワークインタフェース部１１１からメッセージを受け取ると、制御部１１２は、Ｓ７０２において、受け取ったメッセージの種類をチェックする。そして、受け取ったメッセージが“ＷｅｂＥｘｐｌｏｒｅ”のＵＲＬ（Ｓ４０１参照）であった場合には、制御部１１２は、処理をＳ７０２からＳ７０３へ進める。
　【０２４１】
　Ｓ７０３では、制御部１１２は、自システムのコピーサーバ１０内に記憶されている内容（即ち、画像ファイルの送受信先として予め登録されている他のコピーシステム１’やクライアント端末２の名称及びＩＰアドレス，Ｊａｖａアプレット１３３のクラスファイル名，その他のパラメータ）に基づいて、ハイパーテキストデータ“ＷｅｂＥｘｐｌｏｒｅ．ｈｔｌｍ”をダイナミックに作成する。
　【０２４２】
　次のＳ７０４では、制御部１１２は、Ｓ７０３にて作成したハイパーテキストデータ“ＷｅｂＥｘｐｌｏｒｅ．ｈｔｌｍ”を、要求元のクライアント端末２（ウェッブブラウザ３０１）へ送信する。その後、制御部１１２は、Ｓ７１０において、制御部管理テーブルに記録されている自らの情報（即ち、ネットワークインタフェース部１１１から渡された使用制御部番号に対応した情報）を「ビジー状態」から「空状態」に書き換えた後に、処理をＳ７０１に戻す。
　【０２４３】
　一方、ネットワークインタフェース部１１１から受け取ったメッセージがＪａｖａアプレットのクラスファイル要求メッセージ（Ｓ４０３参照）」であった場合には、制御部１１２は、処理をＳ７０２からＳ７０５へ進める。
　【０２４４】
　Ｓ７０５では、クラスファイル要求メッセージにおいて要求されているクラスファイルをＨＤＤ制御部１１３から受け取り、順次、これを要求しているクライアント端末２（ウェッブブラウザ３０１）へ送信する（プログラム送信部に相当）。その後、制御部１１２は、Ｓ７１０において、制御部管理テーブルに記録されている自らの情報を「ビジー状態」から「空状態」に書き換えた後に、処理をＳ７０１に戻す。
　【０２４５】
　一方、ネットワークインタフェース部１１２から受け取ったメッセージがＪａｖａアプレット１３３又は他のコピーシステム１’からのファイルリスト要求（Ｓ５０８，Ｓ７１２参照）であった場合には、制御部１１２は、処理をＳ７０２からＳ７１１へ進める。
　【０２４６】
　Ｓ７１１では、制御部１１２は、ファイルリスト要求に指定されたパス名が自システム内のドライブ名を含んでいるか否かをチェックする。そして、自システム内のドライブ名を含んでいない場合には、制御部１１２は、Ｓ７１２において、当該パス名によって示される要求先コピーシステム（セカンダリコピーシステム）１’とリンクを行い、ファイルリスト要求パケットを転送する。制御部１１２は、次のＳ７１３において、Ｓ７１２にて転送されたファイルリスト要求パケットに対するファイル情報の応答（Ｓ７１５参照）を待ち、応答があると、処理をＳ７１５へ進める。
　【０２４７】
　これに対して、ファイルリスト要求に指定されたパス名が自システム内のドライブ名を含んでいる場合には、制御部１１２は、Ｓ７１４において、ハードディスク１３から、当該パス名によって示されるディレクトリのファイル情報を読み出した後に、処理をＳ７１５に進める。
　【０２４８】
　Ｓ７１５では、制御部１１２は、Ｓ７１４にて自ら読み出したファイル情報をファイルリスト要求元のＪａｖａアプレット１３３又はプライマリコピーシステム１’へ送信する（管理情報応答部に相当）。若しくは、Ｓ７１３にてセカンダリコピーシステム１’から受信したファイル情報を、ファイルリスト要求元のＪａｖａアプレット１３３へ送信する（管理情報応答部に相当）。その後、制御部１１２は、Ｓ７１０において、制御部管理テーブルに記録されている自らの情報を「ビジー状態」から「空状態」に書き換えた後に、処理をＳ７０１に戻す。
　【０２４９】
　一方、ネットワークインタフェース部１１２から受け取ったメッセージがＪａｖａアプレット１３３又は他のコピーシステム１’からのファイルダウンロード要求（Ｓ５１５，Ｓ５２６，Ｓ５３１，Ｓ７１７参照）であった場合には、制御部１１２は、処理をＳ７０２からＳ７１６へ進める。
　【０２５０】
　Ｓ７１６では、制御部１１２は、ファイルダウンロード要求に指定されたパス名（Ｓ５３１にて送信されたファイルダウンロード要求の場合にはコピー元として指定されたパス名）が自システム内のドライブ名を含んでいるか否かをチェックする。そして、自システム内のドライブ名を含んでいない場合には、制御部１１２は、Ｓ７１７において、当該パス名によって示される要求先コピーシステム（セカンダリコピーシステム）１’とリンクを行い、ファイルダウンロード要求パケットを転送する。制御部１１２は、次のＳ７１８において、Ｓ７１７にて転送されたファイルダウンロード要求パケットに対する画像ファイルの応答（Ｓ７２７参照）を待ち、応答があると、処理をＳ７２７へ進める。
　【０２５１】
　これに対して、ファイルダウンロード要求に指定されたパス名が自システム内のドライブ名を含んでいる場合には、制御部１１２は、Ｓ７１９において、ファイルダウンロード要求に指定されたファイルタイプがＪＰＥＧサムネイルファイルであるか全データを含む画像ファイルであるかをチェックする。そして、ＪＰＥＧサムネイルファイルが指定されている場合（Ｓ５１５，Ｓ５２６，Ｓ７１７参照）には、処理をＳ７２０へ進める。
　【０２５２】
　Ｓ７２０では、制御部１１２は、ファイルダウンロード要求にページ番号の指定があるか否かをチェックする。そして、ページ番号の指定がない場合（Ｓ５１５，Ｓ７１７参照）には、制御部１１２は、Ｓ７２１において、ファイルダウンロード要求に指定されたファイル名に対応したＪＰＥＧファイル又はＴＩＦＦファイルをハードディスク１３から読み出し、先頭の頁用のＪＰＥＧ　Ｔｈｕｍｂｎａｉｌ領域６２，７２から、ＪＰＥＧサムネイルデータを抽出して、これをＪＰＥＧファイル（ＪＰＥＧサムネイルファイル）（概略画像用ＪＰＥＧファイル）に格納する。このＳ７２１を完了すると、制御部１１２は、処理をＳ７２７へ進める。
　【０２５３】
　これに対してファイルダウンロード要求にページ番号の指定がある場合（Ｓ５２６，Ｓ７１７参照）には、制御部１１２は、Ｓ７２２において、ファイルダウンロード要求に指定されたファイル名に対応したＪＰＥＧファイル又はＴＩＦＦファイルをハードディスク１３から読み出し、指定されたページ番号の頁用のＪＰＥＧ　Ｔｈｕｍｂｎａｉｌ領域６２，７２から、ＪＰＥＧサムネイルデータを抽出して、これをＪＰＥＧファイル（ＪＰＥＧサムネイルファイル）（概略画像用ＪＰＥＧファイル）に格納する。このＳ７２２を完了すると、制御部１１２は、処理をＳ７２７へ進める。
　【０２５４】
　一方、ファイルダウンロード要求に指定されたファイルタイプが全データを含む画像ファイルであった場合（Ｓ５３１，Ｓ７１７参照）には、制御部１１２は、処理をＳ７１９からＳ７２３へ進める。このＳ７２３では、制御部１１２は、ファイルダウンロード要求においてコピー元として指定されたパス名及びファイル名に対応したＪＰＥＧファイル又はＴＩＦＦファイルを、ハードディスク１３から読み出す。
　【０２５５】
　次のＳ７２４では、制御部１１２は、Ｓ７２３にて読み出した画像ファイルがＪＰＥＧファイルであるかＴＩＦＦファイルであるかをチェックする。そして、ＴＩＦＦファイルであった場合には、処理をそのままＳ７２７へ進める。これに対して、ＪＰＥＧファイルであった場合には、制御部１１２は、Ｓ７２５において、それがＪＰＥＧマルチページファイル（図３８参照）であるかＪＰＥＧシングルページファイル（図３７参照）であるかをチェックする。そして、ＪＰＥＧシングルページファイルである場合には、制御部１１２は、処理をそのままＳ７２７へ進める。これに対して、ＪＰＥＧマルチページファイルである場合には、制御部１１２は、処理をＳ７２６へ進める。
　【０２５６】
　Ｓ７２６では、制御部１１２は、Ｓ７２３にて読み出したＪＰＥＧマルチページファイルを分解し、個々の頁用のＴｏｔａｌ　ＪＰＥＧ　ｄａｔａ領域６０−１〜Ｘのみからなる複数のＪＰＥＧファイルに分割する。このＳ７２６を完了すると、制御部１１２は、処理をＳ７２７へ進める。
　【０２５７】
　Ｓ７２７では、制御部１１２は、Ｓ７２１又はＳ７２２にて抽出したＪＰＥＧサムネールデータを格納したＪＰＥＧファイル，Ｓ７２３にて読み出したＪＰＥＧファイル又はＴＩＦＦファイル，若しくはＳ７２６にて分割した複数のＪＰＥＧファイルを、ファイルダウンロード要求元のＪａｖａアプレット１３３又はプライマリコピーシステム１’へ送信する（概略画像用ＪＰＥＧファイル応答部に相当）。若しくは、Ｓ７１８にてセカンダリコピーシステム１’から受信したＪＰＥＧファイル又はＴＩＦＦファイルを、ファイルダウンロード要求元のＪａｖａアプレット１３３へ送信する（概略画像用ＪＰＥＧファイル応答部に相当）。その後、制御部１１２は、Ｓ７１０において、制御部管理テーブルに記録されている自らの情報を「ビジー状態」から「空状態」に書き換えた後に、処理をＳ７０１に戻す。
　【０２５８】
　一方、ネットワークインタフェース部１１２から受け取ったメッセージがＪａｖａアプレット１３３又は他のコピーシステム１’からのファイルコピー要求（Ｓ５３５，Ｓ７３９参照）であった場合には、制御部１１２は、処理をＳ７０２からＳ７２８へ進める。
　【０２５９】
　Ｓ７２８では、制御部１１２は、ファイルコピー要求に指定されているコピー元パス名及びコピー先パス名が共に自システム内のドライブ名を含んでいるか否かをチェックする。そして、コピー元パス名及びコピー先パス名が共に自システム内のドライブ名を含んでいる場合には、制御部１１２は、Ｓ７２９において、ファイルコピー要求に指定されているコピー元パス名及びファイル名によって特定されるコピー元ファイル（ＪＰＥＧファイル又はＴＩＦＦファイル）を読み出し、これをコピー先パス名によって特定されるハードディスク１３内のディレクトリへ、書き込む。次のＳ７３０では、制御部１１２は、Ｊａｖａアプレット１３３よって直接要求された場合に限り、このＪａｖａアプレット１３３に対して、コピーを正常に受け付けた旨を応答する。
　【０２６０】
　これに対して、ファイルコピー要求に指定されているコピー元パス名及びコピー先パス名の何れかが他システム内のドライブを含んでいる場合には、制御部１１２は、処理をＳ７３１へ進める。Ｓ７３１では、制御部１１２は、ファイルコピー要求に指定されているコピー元パス名が自システム内のドライブ名を含んでおり且つコピー先パス名が他システム内のドライブ名を含んでいるか否かをチェックする。そして、コピー元パス名が自システム内のドライブ名を含んでおり且つコピー先パス名が他システム内のドライブ名を含んでいる場合には、制御部１１２は、Ｓ７３２において、コピー先システム（セカンダリコピーシステム）１’とリンクを行い、ファイルコピー要求に指定されているコピー元パス名及びファイル名によって特定されるコピー元ファイル（ＪＰＥＧファイル又はＴＩＦＦファイル）をハードディスク１３から読み出し、コピー先パスを指定して送信先システムへ送信する（画像ファイル送信部に相当）。次のＳ７３３では、制御部１１２は、Ｊａｖａアプレット１３３よって直接要求された場合に限り、このＪａｖａアプレット１３３に対して、コピーを正常に受け付けた旨を応答する。
　【０２６１】
　これに対して、ファイルコピー要求に指定されているコピー元パス名が他システム内のドライブ名を含んでいる場合には、制御部１１２は、処理をＳ７３４へ進める。Ｓ７３４では、制御部１１２は、ファイルコピー要求に指定されているコピー元パス名が他システム内のドライブ名を含んでおり且つコピー先パス名が自システム内のドライブ名を含んでいるか否かをチェックする。そして、コピー元パス名が他システム内のドライブ名を含んでおり且つコピー先パス名が自システム内のドライブ名を含んでいる場合には、制御部１１２は、Ｓ７３５において、コピー元システム（セカンダリコピーシステム）１’とリンクを行い、コピー元ファイル名及びパス名とコピー先パス名を指定したファイル転送要求パケットを転送する。次のＳ７３６では、制御部１１２は、Ｊａｖａアプレット１３３に対して、コピーを正常に受け付けた旨を応答する。次のＳ７３７では、制御部１１２は、Ｓ７３６にて送信したファイル転送要求パケットに対してコピー元システムが画像ファイル（ＪＰＥＧファイル又はＴＩＦＦファイル）の応答してくるのを待つ。そして、画像ファイルの応答（Ｓ７０８参照）があると、制御部１１２は、次のＳ７３８において、受信した画像ファイルのデータを、ファイルコピー要求において指定されていたコピー先パス名に対応するディレクトリに書き込む。
　【０２６２】
　これに対して、ファイルコピー要求に指定されているコピー先パス名が他システム内のドライブ名を含んでいる場合には、制御部１１２は、処理をＳ７３９へ進める。Ｓ７３９では、制御部１１２は、コピー元システム（セカンダリコピーシステム）１’とリンクを行い、ファイルコピー要求パケットを転送する。次のＳ７４０では、制御部１１２は、Ｊａｖａアプレット１３３に対して、コピーを正常に受け付けた旨を応答する。
　【０２６３】
　Ｓ７３０，Ｓ７３３，Ｓ７３８，Ｓ７４０の何れかを終了すると、制御部１１２は、Ｓ７１０において、制御部管理テーブルに記録されている自らの情報を「ビジー状態」から「空状態」に書き換えた後に、処理をＳ７０１に戻す。
　【０２６４】
　一方、ネットワークインタフェース部１１２から受け取ったメッセージが他のコピーシステム１’から送信された画像ファイル（Ｓ７３２参照）であった場合には、制御部１１２は、処理をＳ７０２からＳ７０６へ進める。
　【０２６５】
　Ｓ７０６では、制御部１１２は、受信した画像ファイルのデータを、指定されたコピー先パスに対応するディレクトリに書き込む。次のＳ７０７では、制御部１１２は、画像ファイルのデータ受信を終了したか否かをチェックする。そして、未だデータ受信を終了していない場合には処理をＳ７０６に戻し、データ受信を終了した場合には、Ｓ７１０において、制御部管理テーブルに記録されている自らの情報を「ビジー状態」から「空状態」に書き換えた後に、処理をＳ７０１に戻す。
　【０２６６】
　一方、ネットワークインタフェース部１１２から受け取ったメッセージが他のコピーシステム１’から送信されたファイル転送要求（Ｓ７３５参照）であった場合には、制御部１１２は、処理をＳ７０２からＳ７０８へ進める。
　【０２６７】
　Ｓ７０８では、制御部１１２は、ファイル転送要求に指定されているコピー元パス名及びファイル名によって特定されるコピー元ファイル（ＪＰＥＧファイル又はＴＩＦＦファイル）を読み出し、要求元であるコピー先システム（プライマリコピーシステム）へ送信する。次のＳ７０９では、制御部１１２は、ファイルの全データを送信し終えたか否かをチェックする。そして、未だ全データを送信し終えていない場合には処理をＳ７０８に戻し、全データを送信し終えた場合には、Ｓ７１０において、制御部管理テーブルに記録されている自らの情報を「ビジー状態」から「空状態」に書き換えた後に、処理をＳ７０１に戻す。
　【０２６８】
　一方、ネットワークインタフェース部１１２から受け取ったメッセージがＪａｖａアプレット１３３又は他のコピーシステム１’からのコピー状況確認であった場合（Ｓ５３８，Ｓ７４４参照）には、制御部１１２は、処理をＳ７０２からＳ７４１へ進める。
　【０２６９】
　Ｓ７４１では、制御部１１２は、コピー状況確認に指定されているコピー元パス名及びコピー先パス名が共に自システム内のドライブ名を含んでいるか否かをチェックする。そして、コピー元パス名及びコピー先パス名が共に自システム内のドライブ名を含んでいる場合には、制御部１１２は、Ｓ７４２において、コピー状況確認に指定されている処理番号，コピー元パス名及びファイル名，並びにコピー先パス名に基づいて、コピー動作の進捗状況をチェックし、その処理プログレス（％）を、Ｊａｖａアプレット１３３に対して返送する。
　【０２７０】
　これに対して、ファイルコピー状況確認に指定されているコピー元パス名及びコピー先パス名の何れかが他システム内のドライブを含んでいる場合には、制御部１１２は、処理をＳ７４３へ進める。Ｓ７４３では、制御部１１２は、コピー状況確認の要求元がＪａｖａアプレット１３３であるか他のコピーシステム１’であるかをチェックする。そして、要求元がＪａｖａアプレット１３３であった場合には、制御部１１２は、Ｓ７４４において、コピー先又はコピー元である他のコピーシステム１’に対して、更に、コピー状況確認パケットを送信する。次のＳ７４５では、制御部１１２は、Ｓ７４４にて送信したコピー状況確認パケットを受信したコピーシステム１’からの応答（Ｓ７４７参照）を待つ。そして応答があった場合には、制御部１１２は、処理をＳ７４６へ進める。
　【０２７１】
　Ｓ７４６では、制御部１１２は、コピー状況確認に指定されている処理番号，コピー元パス名及びファイル名，並びにコピー先パス名に基づいて、自システム内部におけるコピー動作の進捗状況，及び、Ｓ７４５にて他のシステムから応答されたコピー状況（処理プログレス）をチェックし、その処理プログレス（％）を、Ｊａｖａアプレット１３３に対して返送する。
　【０２７２】
　これに対して、コピー状況確認の要求元が他のコピーシステム（プライマリコピーシステム）１’であった場合には、制御部１１２は、Ｓ７４７において、コピー状況確認に指定されている処理番号，コピー元パス名及びファイル名，並びにコピー先パス名に基づいて、コピー動作の進捗状況をチェックし、その処理プログレス（％）を、要求元のプライマリコピーシステム１’に対して返送する。
　【０２７３】
　Ｓ７４２，Ｓ７４６，Ｓ７４７の何れかを終了すると、制御部１１２は、Ｓ７１０において、制御部管理テーブルに記録されている自らの情報を「ビジー状態」から「空状態」に書き換えた後に、処理をＳ７０１に戻す。
　【０２７４】
　一方、ネットワークインタフェース部１１２から受け取ったメッセージがＪａｖａアプレット１３３又は他のコピーシステム１’からのファイル検索要求であった場合（Ｓ５４４，Ｓ７５２参照）であった場合には、制御部１１２は、処理をＳ７０２からＳ７４８へ進める。
　【０２７５】
　Ｓ７４８では、制御部１１２は、ファイル検索要求に指定されている検索範囲が自システム内のものであるか他システム内のものであるかをチェックする。そして、検索範囲が他システム内のものである場合には、制御部１１２は、Ｓ７４９において、他システム（セカンダリコピーシステム）とリンクを行い、ファイル検索要求パケットを転送する。制御部１１２は、次のＳ７５０において、Ｓ７４９にて転送したファイル検索要求パケットに対する検索結果の応答（Ｓ７５１参照）を待ち、応答があると、処理をＳ７５１へ進める。
　【０２７６】
　これに対して、ファイル検索要求に指定されている検索範囲が自システム内のものである場合には、制御部１１２は、Ｓ７５２において、ファイル検索要求において指定された検索範囲及び検索対象ファイル名又検索対象ディレクトリ名に従って、自システム内のハードディスク１３内でファイル検索を実行する。このＳ７５２の実行後、制御部１１２は、処理をＳ７５１へ進める。
　【０２７７】
　Ｓ７５１では、制御部１１２は、Ｓ７５２でのファイル検索によって獲得した検索結果をファイル検索要求元のＪａｖａアプレット１３３又はプライマリコピーシステム１’へ送信する。若しくは、Ｓ７５０にてセカンダリコピーシステム１’から受信したファイル検索結果を、ファイル検索要求元のＪａｖａアプレット１３３へ送信する。その後、制御部１１２は、Ｓ７１０において、制御部管理テーブルに記録されている自らの情報を「ビジー状態」から「空状態」に書き換えた後に、処理をＳ７０１に戻す。
　【０２７８】
　一方、ネットワークインタフェース部１１２から受け取ったメッセージがＪａｖａアプレット１３３又は他のコピーシステム１’からのファイル削除要求であった場合（Ｓ５５０，Ｓ７５４参照）であった場合には、制御部１１２は、処理をＳ７０２からＳ７５３へ進める。
　【０２７９】
　Ｓ７５３では、制御部１１２は、ファイル削除要求に指定されている削除対象ファイル又はディレクトリのパス名が自システム内のドライブ名を含むか他システム内のドライブ名を含むかをチェックする。そして、パス名が他システム内のドライブ名を含む場合には、制御部１１２は、Ｓ７５４において、他システム（セカンダリコピーシステム）とリンクを行い、ファイル削除要求パケットを転送する。制御部１１２は、次のＳ７５５において、Ｓ７５４にて転送したファイル削除要求パケットに対する削除結果の応答（Ｓ７５６参照）を待ち、応答があると、処理をＳ７５６へ進める。
　【０２８０】
　これに対して、ファイル削除要求に指定されている削除対象ファイル又はディレクトリのパス名が自システム内のドライブ名を含む場合には、制御部１１２は、Ｓ７５７において、ファイル削除要求において指定されたパス名及び削除対象ファイル名又はディレクトリ名に従って、削除対象ファイル又は削除対象ディレクトリを削除する。このＳ７５７の実行後、制御部１１２は、処理をＳ７５６へ進める。
　【０２８１】
　Ｓ７５６では、制御部１１２は、Ｓ７５７での削除の結果（削除されたファイル又はディレクトリが格納されているドライブの空きディスク容量及び総ディスク容量の情報を含む）をファイル削除要求元のＪａｖａアプレット１３３又はプライマリコピーシステム１’へ送信する。若しくは、Ｓ７５５にてセカンダリコピーシステム１’から受信したファイル削除結果を、ファイル削除要求元のＪａｖａアプレット１３３へ送信する。その後、制御部１１２は、Ｓ７１０において、制御部管理テーブルに記録されている自らの情報を「ビジー状態」から「空状態」に書き換えた後に、処理をＳ７０１に戻す。
　【０２８２】
　一方、ネットワークインタフェース部１１２から受け取ったメッセージがＪａｖａアプレット１３３又は他のコピーシステム１’からのファイルリネーム要求であった場合（Ｓ５５７，Ｓ７５９参照）であった場合には、制御部１１２は、処理をＳ７０２からＳ７５８へ進める。
　【０２８３】
　Ｓ７５８では、制御部１１２は、ファイルリネーム要求に指定されているリネーム対象ファイル又はディレクトリのパス名が自システム内のドライブ名を含むか他システム内のドライブ名を含むかをチェックする。そして、パス名が他システム内のドライブ名を含む場合には、制御部１１２は、Ｓ７５９において、他システム（セカンダリコピーシステム）とリンクを行い、ファイルリネーム要求パケットを転送する。制御部１１２は、次のＳ７６０において、Ｓ７５９にて転送したファイルリネーム要求パケットに対するリネーム結果の応答（Ｓ７６１参照）を待ち、応答があると、処理をＳ７６１へ進める。
　【０２８４】
　これに対して、ファイルリネーム要求に指定されているリネーム対象ファイル又はディレクトリのパス名が自システム内のドライブ名を含む場合には、制御部１１２は、Ｓ７６２において、ファイルリネーム要求において指定されたパス名及びリネーム対象ファイル名又はディレクトリ名に従って、リネーム対象ファイル又はリネーム対象ディレクトリを特定し、その名称をファイルリネーム要求に指定された新名称に変更する。このＳ７６２の実行後、制御部１１２は、処理をＳ７６１へ進める。
　【０２８５】
　Ｓ７６１では、制御部１１２は、Ｓ７６２でのリネームの結果（正常にリネームが完了した旨）をファイルリネーム要求元のＪａｖａアプレット１３３又はプライマリコピーシステム１’へ送信する。若しくは、Ｓ７６０にてセカンダリコピーシステム１’から受信したファイルリネーム結果を、ファイルリネーム要求元のＪａｖａアプレット１３３へ送信する。その後、制御部１１２は、Ｓ７１０において、制御部管理テーブルに記録されている自らの情報を「ビジー状態」から「空状態」に書き換えた後に、処理をＳ７０１に戻す。
　【０２８６】
（動作例）次に、上述した構成を有する本実施例によるネットワークコピーファイル管理システムの動作例を、具体的に行う。なお、以下の説明においては、オペレータの操作するクライアント端末２の近所に第１のコピーシステム１が設置されており、遠隔地に第２のコピーシステム１’が設置されているものとする。そのため、オペレータは、第１のコピーシステム１のスキャナ２０に原稿をセットしてそのタッチパネル１８及びキーボード２３を操作することになるので、この第１のコピーシステム１が「プライマリコピーシステム」となり、第２のコピーシステム１’が「セカンダリコピーシステム」となるものとする。
　【０２８７】
＜スキャンモードでの画像ファイルの格納＞最初に、プライマリコピーシステム１をスキャンモードに設定して原稿を読み込んだ場合の動作を、図４６のタイムチャートを参照して説明する。この場合、動作の前提として、オペレータは、タッチパネル１８に表示されているスキャンモードボタン５３を押下し、その結果として表示されるスキャンモード基本操作画面（図３６）上で各種のパラメータを設定するとともに、スキャナ２０のフラットベット又はＡＤＦに原稿をセットする。
　【０２８８】
　このような準備を行った後でオペレータがキーボード２３中のスタートキーを押下すると、オペレーションパネル部１１８は、これらのパラメータ及びスタートキーが押下された旨を含んだキー情報メッセージを、マネジメント部１１４対して送信する（Ｓ００６）。このキー情報メッセージを受け取ったマネジメント部１１４は、このキー情報メッセージに含まれていた各パラメータを保持しつつ、スキャナ部１１５に対して、スキャナ動作確認要求メッセージを送信する（Ｓ１１４）。このスキャナ動作確認要求メッセージを受信したスキャナ部１１５は、スキャナ２０がビジー状態であるかアイドル状態であるをか、マネジメント部１１４に対して応答する（Ｓ２０３）。この応答を受け取ったマネジメント部１１４は、応答がビジー状態であった場合にはビジーを表示するための表示番号を設定した表示切替メッセージを、また、応答がアイドル状態であった場合にはスキャン中を表示するための表示番号を設定した表示切替メッセージを、オペレーションパネル部１１８へ送信する（Ｓ１２２，Ｓ１２４）。この表示切替メッセージを受信したオペレーションパネル部１１８は、ＬＣＤ１９上に、表示番号に従った表示を行う（Ｓ００８）。
　【０２８９】
　また、スキャナ部１１５からの応答がアイドル状態であった場合には、マネジメント部１１４は、ＨＤＤ制御部１１３に対して、キー情報メッセージに含まれていた各種パラメータを付した「スキャン及びＨＤＤ格納依頼メッセージ」を送信する（Ｓ１２３）。マネジメント部１１４から「スキャン及びＨＤＤ格納依頼メッセージ」を受け取ったＨＤＤ制御部１１３は、スキャナ部１１５に対して、「スキャン及びＨＤＤ格納依頼メッセージ」に付されていた各種パラメータを付したスキャン要求メッセージを送信する（Ｓ３０３）。すると、スキャナ部１１５は、スキャン要求メッセージに付されていた各種パラメータに従って、スキャナ２０のフラットベット又はＡＤＦにセットされている原稿の一頁毎に、スキャンの実行をスキャナ２０に指示する（Ｓ２１１）。
　【０２９０】
　そして、スキャナ部１１５は、スキャナ２０から所定ライン分のスキャンデータを受信する毎に、受信したスキャンデータをＨＤＤ制御部１１３へ送信する（Ｓ２１３）。そして、各頁の最終ラインを含むスキャンデータを送信し終わると、スキャナ部１１５は、ＨＤＤ制御部１１３に対してスキャン終了メッセージを送信するとともに（Ｓ２１７，Ｓ２１８）、残頁がない場合には、マネジメント部１１４に対して処理終了メッセージを送信する（Ｓ２１９）。ＨＤＤ制御部１１３は、「スキャン及びＨＤＤ格納依頼メッセージ」中のファイルタイプパラメータに応じて、ＪＰＥＧファイル又はＴＩＦＦファイルを作成する。何れの画像ファイルにおいても、原稿が複数頁である場合には、スキャナ部１１５から受信したスキャンデータに基づいて各頁についての画像データ（ＪＰＥＧデータ又は２４ビットＲＧＢデータ）を作成して、画像ファイル内に格納する。さらに、各頁について、夫々、スキャンデータの解像度を落としてＪＰＥＧ圧縮したＪＰＥＧサムネイルデータを作成しして、画像ファイル内に格納する。このようにして画像ファイルを作成すると、ＨＤＤ制御部１１３は、マネジメント部１１４に対して処理終了メッセージを送信する（Ｓ３６３，Ｓ３７４）。
　【０２９１】
　スキャナ部１１５及びＨＤＤ制御部１１３の双方から処理終了メッセージを受信したマネジメント部１１４は、通常のスキャンモード基本操作画面を表示するための表示番号を設定した表示切替メッセージを、オペレーションパネル部１１８へ送信する（Ｓ１０５）。この表示切替メッセージを受信したオペレーションパネル部１１８は、ＬＣＤ１９上に、元のスキャンモード基本操作画面を表示する（Ｓ００８）。
　【０２９２】
＜クライアント端末からのファイル操作＞次に、クライアント端末のウェッブブラウザ３０１からプライマリコピーシステム１へのファイル操作の場合の動作を説明する。この場合、オペレータは、クライアント端末２上にウェッブブラウザ３０１を立ち上げ、このウェッブブラウザ３０１上でプライマリコピーシステム１の“ＷｅｂＥｘｐｌｏｒｅ”のＵＲＬを入力して、通信部３０２を介して、ネットワークＮＷへ送出する（Ｓ４０１）。すると、プライマリコピーシステム１のコピーサーバ１０内で実行されているネットワークインタフェース部１１１がこのＵＲＬを受信して、制御部管理テーブルにおいて空状態として管理されている何れかの制御部１１２に対して、このＵＲＬを渡す（Ｓ６０１〜Ｓ６０４）。
　【０２９３】
　すると、この制御部１１２は、自システム１に画像ファイルの送受信先として登録されている他のコピーシステム（セカンダリコピーシステム）１’及び他のクライアント端末２のＩＰアドレス及び名称についての情報やＪａｖａアプレットのクラスファイル名称等を含むハイパーテキストデータ“ＷｅｂＥｘｐｌｏｒｅ．ｈｔｍｌ”をダイナミックに作成し（Ｓ７０３）、このハイパーテキストデータ“ＷｅｂＥｘｐｌｏｒｅ．ｈｔｍｌ”をクライアント端末２のウェッブブラウザ３０１に送信する（Ｓ７０４）。
　【０２９４】
　このハイパーテキストデータ“ＷｅｂＥｘｐｌｏｒｅ．ｈｔｍｌ”を受信したウェッブブラウザ３０１は、このハイパーテキストデータ“ＷｅｂＥｘｐｌｏｒｅ．ｈｔｍｌ”内にそのアプレットクラスファイル名称が記載されているＪａｖａアプレットのクラスファイルを、サーバ１０に要求する（Ｓ４０３）。この要求を受信したネットワークインタフェース部１１１は、待ち状態にある何れかの制御部１１２に、その要求を渡す（Ｓ６０１〜Ｓ６０４）。このクラスファイルの要求を受け取った制御部１１２は、指定されたアプレットクラスファイル名称に従って、要求されたクラスファイルを順次ハードディスク１３から読み出して、クライアント端末２のウェッブブラウザ３０１に送信する（Ｓ７０５）。
　【０２９５】
　このようにして起動に必要な全クラスファイルがクライアント端末２のＲＡＭ３２上に揃うと、ウェッブブラウザ３０１は、そのＪａｖａアプレット１３３を起動する（Ｓ４０５）。このＪａｖａアプレット１３３は、ウェッブブラウザ３０１による表示画面中の指定された領域に、図４２に示す初期画面８０を表示する。
　【０２９６】
〔ファイルリスト表示〕次に、初期画面が表示されている状態下、ファイルリスト表示が選択されて（Ｓ５０５）、何れかのディレクトリ名がクリックされた場合における動作を、説明する。
　【０２９７】
　・プライマリコピーシステム１内のディレクトリ名がクリックされた場合初期画面８０の左側の窓８５中に表示されているプライマリコピーシステム１又はその下層のディレクトリ名をオペレータがクリックすると、図４７に示されるように、Ｊａｖａアプレット１３３は、プライマリコピーシステム１に対して、クリックされたディレクトリ名に対応したパス名を指定したファイルリスト要求パケットを、送信する（Ｓ５０８）。このファイルリスト要求パケットを受信したプライマリコピーシステム１の制御部１１２は、ハードディスク１３から、ファイルリスト要求パケット内において指定されたパス名に対応するディレクトリ内のファイル情報（サブディレクトリ名，並びに、各画像ファイルのファイル名，ファイルサイズ，タイムスタンプ，ファイル属性及び頁数）を読み出して（Ｓ７１４）、このファイル情報を要求元のＪａｖａアプレット１３３へ応答する（Ｓ７１５）。このファイル情報を受信したＪａｖａアプレット１３３は、初期画面の左側の窓８５におけるオペレータによってクリックされたディレクトリ名の下階層に、受信したファイル情報に基づいたサブディレクトリ名のツリー表示を行う（Ｓ５１０）。同時に、ＨＤＤ制御部１１３は、図４４に示されるように、初期画面の右側の窓８６内に、受信したファイル情報の一覧表示（ファイルリスト表示）を行う（Ｓ５１２）。
　【０２９８】
　・セカンダリコピーシステム１’内のディレクトリ名がクリックされた場合初期画面８０の左側の窓８５中に表示されている何れかのセカンダリコピーシステム１’又はその下層のディレクトリ名をオペレータがクリックすると、図４８に示されるように、Ｊａｖａアプレット１３３は、プライマリコピーシステム１に対して、クリックされたディレクトリ名に対応したパス名を指定したファイルリスト要求パケットを、送信する（Ｓ５０８）。
　【０２９９】
　このファイルリスト要求パケットを受信したプライマリコピーシステム１の制御部１１２は、ファイルリスト要求パケット内において指定されたパス名に対応するセカンダリコピーシステム１’に対して、ファイルリスト要求パケットを転送する（Ｓ７１２）。
　【０３００】
　このファイルリスト要求パケットを受信したセカンダリコピーシステム１’の制御部１１２は、ハードディスク１３から、ファイルリスト要求パケット内において指定されたパス名に対応するディレクトリ内のファイル情報（サブディレクトリ名，並びに、各画像ファイルのファイル名，ファイルサイズ，タイムスタンプ，ファイル属性及び頁数）を読み出して（Ｓ７１４）、このファイル情報を要求元のプライマリコピーシステム１へ応答する（Ｓ７１５）。
　【０３０１】
　このファイル情報の応答を受信したプライマリコピーシステム１の制御部１１２は、受信したファイル情報を、要求元のＪａｖａアプレット１３３へ応答する（Ｓ７１５）。このファイル情報を受信したＪａｖａアプレット１３３は、初期画面の左側の窓８５におけるオペレータによってクリックされたディレクトリ名の下階層に、受信したファイル情報に基づいたサブディレクトリ名のツリー表示を行う（Ｓ５１０）。同時に、ＨＤＤ制御部１１３は、図４４に示されるように、初期画面の右側の窓８６内に、受信したファイル情報の一覧表示（ファイルリスト表示）を行う（Ｓ５１２）。
　【０３０２】
〔サムネイル表示〕次に、初期画面が表示されている状態下、サムネイル表示が選択されて（Ｓ５０５）、何れかのディレクトリ名がクリックされた場合における動作を、説明する。
　【０３０３】
　・プライマリコピーシステム１内のディレクトリ名がクリックされた場合初期画面８０の左側の窓８５中に表示されているプライマリコピーシステム１又はその下層のディレクトリ名をオペレータがクリックすると、図４９に示されるように、ファイルリスト表示の場合と同様にして、ファイル情報がＪａｖａアプレット１３３へ応答され、初期画面８０の左側の窓８５中にツリー表示がなされる（Ｓ５０８，Ｓ７１４，Ｓ７１５、Ｓ５０９，Ｓ５１０）。
　【０３０４】
　次に、Ｊａｖａアプレット１３３は、受信したファイル情報中に含まれるファイル名のうち最初のものについて、表示タイプパラメータをサムネイルと設定するとともにパス名及びそのファイル名を設定したファイルダウンロード要求パケットを、プライマリコピーシステム１に対して送信する（Ｓ５１５）。このファイルダウンロード要求パケットを受信したプライマリコピーシステム１の制御部１１２は、ファイルダウンロード要求パケット内において指定されたパス名及びファイル名に対応する画像ファイルをハードディスク１３内から読み出すとともに、その画像ファイル中の最初の頁のＪＰＥＧサムネイルデータを抽出し、そのＪＰＥＧサムネイルデータを格納したＪＰＥＧサムネイルファイルを、要求元のＪａｖａアプレット１３３へ送信する（Ｓ７２１，Ｓ７２７）。なお、ファイル情報中に複数のファイル名が含まれる場合には、最初のファイル名から所定個数（予めオペレータによって設定されている表示サムネイル数と同個数）のファイル名について、夫々、上述したファイルダウンロード要求パケット送信（Ｓ５１５）及びＪＰＥＧサムネイルファイルの送信（Ｓ７２７）が、繰り返される。
　【０３０５】
　所定個数又はファイル情報中の全てのファイル名についてＪＰＥＧサムネイルファイルを受信すると、Ｊａｖａアプレット１３３は、図４５に示すように、受信してセーブしておいた各ＪＰＥＧサムネイルファイルに基づいて、初期画面８０の右側の窓８６内に、サムネイルの表示を行う。
　【０３０６】
　・セカンダリコピーシステム１’内のディレクトリ名がクリックされた場合初期画面８０の左側の窓８５中に表示されている何れかのセカンダリコピーシステム１’又はその下層のディレクトリ名をオペレータがクリックすると、図５０に示されるように、ファイルリスト表示の場合と同様にして、ファイル情報がＪａｖａアプレット１３３へ応答され、初期画面８０の左側の窓８５中にツリー表示がなされる（Ｓ５０８，Ｓ７１２，Ｓ７１４，Ｓ７１５、Ｓ５０９，Ｓ５１０）。
　【０３０７】
　次に、Ｊａｖａアプレット１３３は、受信したファイル情報中に含まれるファイル名のうち最初のものについて、表示タイプパラメータをサムネイルと設定するとともにパス名及びそのファイル名を設定したファイルダウンロード要求パケットを、プライマリコピーシステム１に対して送信する（Ｓ５１５）。
　【０３０８】
　このファイルダウンロード要求パケットを受信したプライマリコピーシステム１の制御部１１２は、ファイルダウンロード要求パケット内において指定されたパス名に対応するセカンダリコピーシステム１’に対して、ファイルダウンロード要求パケットを転送する（Ｓ７１７）。
　【０３０９】
　このファイルダウンロード要求パケットを受信したセカンダリコピーシステムは、ファイルダウンロード要求パケット内において指定されたパス名及びファイル名に対応する画像ファイルをハードディスク１３内から読み出すとともに、その画像ファイル中の最初の頁のＪＰＥＧサムネイルデータを抽出し、そのＪＰＥＧサムネイルデータを格納したＪＰＥＧサムネイルファイルを、要求元のプライマリコピーシステム１へ送信する（Ｓ７２１，Ｓ７２７）。
　【０３１０】
　このＪＰＥＧサムネイルファイルを受信したプライマリコピーシステム１の制御部１１２は、受信したＪＰＥＧサムネイルファイルを、要求元のＪａｖａアプレット１３３へ送信する（Ｓ７２７）。
　【０３１１】
　なお、ファイル情報中に複数のファイル名が含まれる場合には、最初のファイル名から所定個数（予めオペレータによって設定されている表示サムネイル数と同個数）のファイル名について、夫々、上述したファイルダウンロード要求パケットの送信及び転送（Ｓ５１５，Ｓ７１７）及びＪＰＥＧサムネイルファイルの送信（Ｓ７２７）が、繰り返される。
　【０３１２】
　所定個数又はファイル情報中の全てのファイル名についてＪＰＥＧサムネイルファイルを受信すると、Ｊａｖａアプレット１３３は、図４５に示すように、受信してセーブしておいた各ＪＰＥＧサムネイルファイルに基づいて、初期画面８０の右側の窓８６内に、サムネイルの表示を行う。
　【０３１３】
〔ファイルコピー〕次に、ファイルリスト表示又はサムネイル表示がなされている状態下、何れかのファイル名がドラッグされて、何れかのディレクトリ名上にドロップされた場合における動作を、説明する。
　【０３１４】
　・ドラッグされたファイル名のディレクトリがプライマリコピーシステム１内であり且つドロップされたディレクトリがマイコンピュータ又はその下層のディレクトリであった場合この場合、図５１に示されるように、Ｊａｖａアプレット１３３は、ドラッグされたファイル名及びそのパス名をコピー元として設定するとともにドロップされた自クライアント端末２内のディレクトリに対応するパス名をコピー先として設定したファイルダウンロード要求パケットを、プライマリコピーシステム１に対して送信する（Ｓ５３１）。
　【０３１５】
　このファイルダウンロード要求パケットを受信したプライマリコピーシステム１の制御部１１２は、ファイルダウンロード要求パケット内においてコピー元として指定されたパス名及びファイル名に対応する画像ファイルをハードディスク１３内から読み出して（Ｓ７２３）、要求元のＪａｖａアプレット１３３に対して送信する（Ｓ７２７）。
　【０３１６】
　この画像ファイルを受信したＪａｖａアプレット１３３は、受信した画像ファイルを、ハードディスク３８において、コピー先として指定されたパス名に対応するディレクトリへ書き込む（Ｓ５３３）。
　【０３１７】
　・ドラッグされたファイル名のディレクトリがプライマリコピーシステム１内であり且つドロップされたディレクトリがプライマリコピーシステム１内であった場合この場合、図５２に示されるように、Ｊａｖａアプレット１３３は、ドラッグされたファイル名及びそのパス名をコピー元として設定するとともにドロップされたプライマリコピーシステム１内のディレクトリに対応するパス名をコピー先として設定したファイルダウンロード要求パケットを、プライマリコピーシステム１に対して送信する（Ｓ５３１）。
　【０３１８】
　このファイルダウンロード要求パケットを受信したプライマリコピーシステム１の制御部１１２は、ファイルダウンロード要求パケット内においてコピー元として指定されたパス名及びファイル名に対応する画像ファイルをハードディスク１３内から読み出して、ハードディスク１３内において、コピー先として指定されたパス名に対応するディレクトリへ書き込む（Ｓ７２９）。同時に、制御部１１２は、要求元のＪａｖａアプレット１３３に対してコピーを受け付けた旨を応答する（Ｓ７３０）。
　【０３１９】
　この応答を受信したＪａｖａアプレット１３３は、コピー元のファイル名及びパス名とコピー先のパス名とを設定したコピー状況確認パケットを、プライマリコピーシステム１に対して送信する（Ｓ５３８）。
　【０３２０】
　このコピー状況確認パケットを受信したプライマリコピーシステム１の制御部１１２は、コピー進捗状況（エラー又はプログレス情報）を、要求元のＪａｖａアプレット１３３に対して返送する（Ｓ７４２）。
　【０３２１】
　このコピー進捗状況を受信したＪａｖａアプレット１３３は、コピー進捗状況に従って、エラー表示（Ｓ５４２），継続中表示（Ｓ５４０）又は終了表示（Ｓ５４１）を行う。
　【０３２２】
　・ドラッグされたファイル名のディレクトリがプライマリコピーシステム１内であり且つドロップされたディレクトリがセカンダリコピーシステム１’内であった場合この場合、図５３に示されるように、Ｊａｖａアプレット１３３は、ドラッグされたファイル名及びそのパス名をコピー元として設定するとともにドロップされたセカンダリコピーシステム１’内のディレクトリに対応するパス名をコピー先として設定したファイルダウンロード要求パケットを、プライマリコピーシステム１に対して送信する（Ｓ５３１）。
　【０３２３】
　このファイルダウンロード要求パケットを受信したプライマリコピーシステム１の制御部１１２は、ファイルダウンロード要求パケット内においてコピー元として指定されたパス名及びファイル名に対応する画像ファイルをハードディスク１３内から読み出して、コピー先パス名の情報を付して、コピー先パス名に対応するセカンダリコピーシステム１’に対して送信する（Ｓ７３２）。
　【０３２４】
　この送信ファイルを受信したセカンダリコピーシステム１’の制御部１１２は、受信した画像ファイルを、ハードディスク１３内において、コピー先として指定されたパス名に対応するディレクトリへ書き込む（Ｓ７０６）。
　【０３２５】
　同時に、プライマリコピーシステム１の制御部１１２は、要求元のＪａｖａアプレット１３３に対してコピーを受け付けた旨を応答する（Ｓ７３３）。
　【０３２６】
　この応答を受信したＪａｖａアプレット１３３は、コピー元のファイル名及びパス名とコピー先のパス名とを設定したコピー状況確認パケットを、プライマリコピーシステム１に対して送信する（Ｓ５３８）。
　【０３２７】
　このコピー状況確認パケットを受信したプライマリコピーシステム１の制御部１１２は、コピー先として指定されたパス名に対応するセカンダリコピーシステム１’に対して、コピー状況確認パケットを送信する（Ｓ７４４）。
　【０３２８】
　このコピー状況確認パケットを受信したセカンダリコピーシステム１’の制御部１１２は、コピー進捗状況（エラー又はプログレス情報）を、要求元のプライマリコピーシステム１に対して返送する（Ｓ７４７）。
　【０３２９】
　このコピー進捗状況を受信したプライマリコピーシステム１の制御部１１２は、受信したセカンダリコピーシステム１’のコピー進捗状況及び自システム内におけるコピー進捗状況に基づいてトータルのコピー進捗状況（エラー又はプログレス情報）を決定し、このコピー進捗状況を要求元のＪａｖａアプレット１３３に対して返送する（Ｓ７４６）。
　【０３３０】
　このコピー進捗状況を受信したＪａｖａアプレット１３３は、コピー進捗状況に従って、エラー表示（Ｓ５４２），継続中表示（Ｓ５４０）又は終了表示（Ｓ５４１）を行う。
　【０３３１】
〔ファイル検索〕次に、ファイルリスト表示又はサムネイル表示がなされている状態下、図示せぬ検索ダイアログ中に検索対象ファイル名又はディレクトリ名及び検索範囲が入力された場合における動作を、説明する。
　【０３３２】
　・入力された検索範囲がプライマリコピーシステム１内であった場合この場合、図５４に示されるように、Ｊａｖａアプレット１３３は、入力されたプライマリコピーシステム１内の検索範囲及び検索対象ファイル名又はディレクトリ名を設定したファイル検索要求パケットを、プライマリコピーシステム１に対して送信する（Ｓ５４４）。
　【０３３３】
　このファイル検索要求パケットを受信したプライマリコピーシステム１の制御部１１２は、ファイル検索要求パケット内において指定された検索範囲内で、指定された検索対象ファイル名を有するファイル又は指定された検索対象ディレクトリ名を有するディレクトリを検索する（Ｓ７５２）。そして、その検索結果をＪａｖａアプレット１３３へ応答する（Ｓ７５１）。
　【０３３４】
　この検索結果を受信したＪａｖａアプレット１３３は、受信した検索結果を表示する（Ｓ５４７）。
　【０３３５】
　・入力された検索範囲がセカンダリコピーシステム１’内であった場合この場合、図５５に示されるように、Ｊａｖａアプレット１３３は、入力されたセカンダリコピーシステム１’内の検索範囲及び検索対象ファイル名又はディレクトリ名を設定したファイル検索要求パケットを、プライマリコピーシステム１に対して送信する（Ｓ５４４）。
　【０３３６】
　このファイル検索要求パケットを受信したプライマリコピーシステム１の制御部１１２は、ファイル検索要求パケットをセカンダリコピーシステム１’へ転送する（Ｓ７４９）。
　【０３３７】
　このファイル検索要求パケットを受信したセカンダリコピーシステム１’の制御部１１２は、ファイルダ検索要求パケット内において指定された検索範囲内で、指定された検索対象ファイル名を有するファイル又は指定された検索対象ディレクトリ名を有するディレクトリを検索する（Ｓ７５２）。そして、その検索結果を要求元のプライマリコピーシステム１へ応答する（Ｓ７５１）。
　【０３３８】
　この検索結果を受信したプライマリコピーシステム１の制御部１１２は、その検索結果をＪａｖａアプレット１３３へ転送する（Ｓ７５１）。
　【０３３９】この検索結果を受信したＪａｖａアプレット１３３は、受信した検索結果を表示する（Ｓ５４７）。
　【０３４０】
〔ファイル削除〕次に、ファイルリスト表示又はサムネイル表示がなされている状態下、何れかのファイル名又はサムネイルがクリックされた後に、メニューバー８３から「ファイル」の「削除」がクリックされた場合，若しくは削除ボタン８３ｄがクリックされた場合における動作を、説明する。
　【０３４１】
　・クリックされた削除対象ファイル又は削除対象ディレクトリがプライマリコピーシステム１内であった場合この場合、図５６に示されるように、Ｊａｖａアプレット１３３は、クリックされた削除対象ファイル名又は削除対象ディレクトリ名及びそのパス名を設定したファイル削除要求パケットを、プライマリコピーシステム１に対して送信する（Ｓ５５０）。
　【０３４２】
　このファイル削除要求パケットを受信したプライマリコピーシステム１の制御部１１２は、ハードディスク１３から、ファイルダ削除要求パケットによって指定されたパス名及び削除対象ファイル名又は削除対象ディレクトリ名に対応する削除対象ファイル又は削除対象ディレクトリを削除する（Ｓ７５７）。そして、その削除結果（パス名によって特定されるディレクトリが使用可能な空きディスクスペース及び総ディスクスペースの情報を含む）を、Ｊａｖａアプレット１３３へ応答する（Ｓ７５６）。
　【０３４３】
　この削除結果を受信したＪａｖａアプレット１３３は、受信した削除結果中の空きディスク容量を、ステータスバー８４上に表示する（Ｓ５５４）。
　【０３４４】
　・クリックされた削除対象ファイル又は削除対象ディレクトリがセカンダリコピーシステム１’内であった場合この場合、図５７に示されるように、Ｊａｖａアプレット１３３は、クリックされた削除対象ファイル名又は削除対象ディレクトリ名及びそのパス名を設定したファイル削除要求パケットを、プライマリコピーシステム１に対して送信する（Ｓ５５０）。
　【０３４５】
　このファイル削除要求パケットを受信したプライマリコピーシステム１の制御部１１２は、ファイル削除要求パケットをセカンダリコピーシステム１’へ転送する（Ｓ７５４）。
　【０３４６】
　このファイル削除要求パケットを受信したセカンダリコピーシステム１’の制御部１１２は、ハードディスク１３から、ファイルダ削除要求パケットによって指定されたパス名及び削除対象ファイル名又は削除対象ディレクトリ名に対応する削除対象ファイル又は削除対象ディレクトリを削除する（Ｓ７５７）。そして、その削除結果（パス名によって特定されるディレクトリが使用可能な空きディスクスペース及び総ディスクスペースの情報を含む）を、要求元のプライマリコピーシステム１へ応答する（Ｓ７５６）。
　【０３４７】
　この削除結果を受信したプライマリコピーシステム１の制御部１１２は、その削除結果をＪａｖａアプレット１３３へ転送する（Ｓ７５６）。
　【０３４８】
　この削除結果を受信したＪａｖａアプレット１３３は、受信した削除結果中の空きディスク容量を、ステータスバー８４上に表示する（Ｓ５５４）。
　【０３４９】
〔ファイルリネーム〕次に、ファイルリスト表示又はサムネイル表示がなされている状態下、何れかのファイル名又はサムネイルがクリックされた後に、メニューバー８３から「ファイル」の「削除」がクリックされ，若しくは削除ボタン８３ｄがクリックされ、更に、新たなファイル名又はディレクトリ名が入力された場合における動作を、説明する。
　【０３５０】
　・クリックされたリネーム対象ファイル又はリネーム対象ディレクトリがプライマリコピーシステム１内であった場合この場合、図５８に示されるように、Ｊａｖａアプレット１３３は、クリックされたリネーム対象ファイル名又はリネーム対象ディレクトリ名，そのパス名及び新たなファイル名又はディレクトリ名を設定したファイルリネーム要求パケットを、プライマリコピーシステム１に対して送信する（Ｓ５５７）。
　【０３５１】
　このファイルリネーム要求パケットを受信したプライマリコピーシステム１の制御部１１２は、ハードディスク１３内において、ファイルリネーム要求パケットによって指定されたパス名及びリネーム対象ファイル名又はリネーム対象ディレクトリ名に対応するファイル又はディレクトリの名称を、ファイルリネーム要求パケットによって指定された新たな名称に変更する（Ｓ７６２）。そして、そのリネーム結果を、Ｊａｖａアプレット１３３へ応答する（Ｓ７６１）。
　【０３５２】
　このリネーム結果を受信したＪａｖａアプレット１３３は、受信したリネーム結果に応じて、リネーム対象ファイル又はリネーム対象ディレクトリについて表示されている名称をリニューする（Ｓ５６１）。
　【０３５３】
　・クリックされたリネーム対象ファイル又はリネーム対象ディレクトリがセカンダリコピーシステム１’内であった場合この場合、図５９に示されるように、Ｊａｖａアプレット１３３は、クリックされたリネーム対象ファイル名又はリネーム対象ディレクトリ名，そのパス名及び新たなファイル名又はディレクトリ名を設定したファイルリネーム要求パケットを、プライマリコピーシステム１に対して送信する（Ｓ５５７）。
　【０３５４】
　このファイルリネーム要求パケットを受信したプライマリコピーシステム１の制御部１１２は、ファイルリネーム要求パケットをセカンダリコピーシステム１’へ転送する（Ｓ７５９）。
　【０３５５】
　このファイルリネーム要求パケットを受信したセカンダリコピーシステム１’の制御部１１２は、ハードディスク１３内において、ファイルリネーム要求パケットによって指定されたパス名及びリネーム対象ファイル名又はリネーム対象ディレクトリ名に対応するファイル又はディレクトリの名称を、ファイルリネーム要求パケットによって指定された新たな名称に変更する（Ｓ７６２）。そして、そのリネーム結果を、要求元のプライマリコピーシステム１へ応答する（Ｓ７６１）。
　【０３５６】
　このリネーム結果を受信したプライマリコピーシステム１の制御部１１２は、そのリネーム結果をＪａｖａアプレット１３３へ転送する（Ｓ７６１）。
　【０３５７】
　このリネーム結果を受信したＪａｖａアプレット１３３は、受信したリネーム結果に応じて、リネーム対象ファイル又はリネーム対象ディレクトリについて表示されている名称をリニューする（Ｓ５６１）。
　【０３５８】
＜実施形態による効果＞以上説明したように、本実施形態のネットワークコピーファイル管理システムによると、オペレータがコピーサーバ１０のタッチパネル１８からスキャンモード選択ボタン５３を押下して、キーボード２３中のスタートキーを押下すると、スキャナ２０のフラットベット又はＡＤＦにセットされている原稿が読み取られるが、直ちにプリンタ２１において用紙上に印字されることなく、読み取って得られた画像データが画像ファイル（ＪＰＥＧファイル又はＴＩＦＦファイル）に格納されて、ハードディスク１３内に保存される。そのうえで、オペレータがＪａｖａアプレット１３３のクラスファイルをこのコピーサーバ１０からダウンロードして、Ｊａｖａアプレット１３３を実行することにより、このコピーサーバ１０のハードディスク１３に格納されている各画像ファイルの管理情報（ファイル名，ファイルサイズ，タイムスタンプ，ファイル属性，その画像ファイルに格納されている画像データの頁数）や各画像ファイルに格納されている画像データの概略画像（サムネイル）を、選択的に、クライアント端末２のディスプレイ４０上に表示することができる。更に、クライアント端末２のディスプレイ上に表示されている何れかの画像ファイルのファイル名がドラッグされて、何れかのディレクトリ名上にドロップされると、コピーサーバ１０のハードディスク１３内に格納されている特定の画像ファイルが他のコピーシステム１’のコピーサーバ１０又は他のクライアント端末２へコピーされる。従って、オペレータは、プライマリコピーシステム１のサーバ１０に格納されている画像ファイルを、必要な時に必要な第３のネットワーク装置（セカンダリコピーシステム１’又は他のクライアント端末２）へ任意に送信することができるので、従来のＦＡＸメールサービスよりもはるかに高画質且つ高速に、また、パソコン通信にて画像データを送信する場合よりもはるかに簡単に画像の送信が可能となる。
　【０３５９】
　【発明の効果】
　以上のように構成された本発明によると、原稿を読み取ることによってコピーシステムの画像読取部が得た画像データを画像ファイルとしてコピーシステム内のディスクに保存するとともに、コンピュータネットワークを介してこのコピーシステムに接続された端末からの要求に応じて、要求された範囲内の複数の画像ファイルの管理情報を端末の表示部上に表示させることができる。このように表示された複数の管理情報のうち何れかの管理情報がオペレータによって特定されるとともに、送信先の第３のネットワーク装置が特定されると、特定された管理情報に対応する画像ファイルが特定された第３のネットワーク装置へ送信（コピー，移動）される。従って、必要な時に必要なネットワーク装置へ画像を送信することができる。
【図面の簡単な説明】
　【図１】本発明の実施の形態であるネットワークファイル管理システムの概略構成図。
　【図２】図１に示すクライアント端末の回路構成を示すブロック図。
　【図３】図１に示す各コピーシステムのコピーサーバ上及びクライアント端末上で夫々実行されるタスクを示すプログラム構成図。
　【図４】オペレーションパネル部が実行する処理を示すフローチャート。
　【図５】マネジメント部が実行する処理を示すフローチャート。
　【図６】マネジメント部が実行する処理を示すフローチャート。
　【図７】スキャナ部が実行する処理を示すフローチャート。
　【図８】スキャナ部が実行する処理を示すフローチャート。
　【図９】ＨＤＤ制御部が実行する処理を示すフローチャート。
　【図１０】ＨＤＤ制御部が実行する処理を示すフローチャート。
　【図１１】ＨＤＤ制御部が実行する処理を示すフローチャート。
　【図１２】ＨＤＤ制御部が実行する処理を示すフローチャート。
　【図１３】ＨＤＤ制御部が実行する処理を示すフローチャート。
　【図１４】ＨＤＤ制御部が実行する処理を示すフローチャート。
　【図１５】ＨＤＤ制御部が実行する処理を示すフローチャート。
　【図１６】ウェッブブラウザが実行する処理を示すフローチャート。
　【図１７】Ｊａｖａアプレットが実行する処理を示すフローチャート。
　【図１８】Ｊａｖａアプレットが実行する処理を示すフローチャート。
　【図１９】Ｊａｖａアプレットが実行する処理を示すフローチャート。
　【図２０】Ｊａｖａアプレットが実行する処理を示すフローチャート。
　【図２１】Ｊａｖａアプレットが実行する処理を示すフローチャート。
　【図２２】Ｊａｖａアプレットが実行する処理を示すフローチャート。
　【図２３】Ｊａｖａアプレットが実行する処理を示すフローチャート。
　【図２４】Ｊａｖａアプレットが実行する処理を示すフローチャート。
　【図２５】Ｊａｖａアプレットが実行する処理を示すフローチャート。
　【図２６】ネットワーク受信部が実行する処理を示すフローチャート。
　【図２７】各制御部が実行する処理を示すフローチャート。
　【図２８】各制御部が実行する処理を示すフローチャート。
　【図２９】各制御部が実行する処理を示すフローチャート。
　【図３０】各制御部が実行する処理を示すフローチャート。
　【図３１】各制御部が実行する処理を示すフローチャート。
　【図３２】各制御部が実行する処理を示すフローチャート。
　【図３３】各制御部が実行する処理を示すフローチャート。
　【図３４】各制御部が実行する処理を示すフローチャート。
　【図３５】ＬＣＤ上に表示されるコピーモード基本操作画面を示す図。
　【図３６】ＬＣＤ上に表示されるスキャンモード基本操作画面を示す図。
　【図３７】ＪＰＥＧシングルページファイルのフォーマット図。
　【図３８】ＪＰＥＧマルチページファイルのフォーマット図。
　【図３９】シングルページＴＩＦＦファイルのフォーマット図。
　【図４０】マルチページＴＩＦＦファイルのフォーマット図。
　【図４１】制御部管理テーブルの概念図。
　【図４２】Ｊａｖａアプレットによって表示される初期画面を示す図。
　【図４３】表示タイプの選択及び表示サムネイル数の設定時におけるメニューバーを示す拡大図。
　【図４４】ファイルリスト表示を示す図。
　【図４５】サムネイル表示を示す図。
　【図４６】スキャンデータの格納時におけるメッセージ送信を示すタイムチャート。
　【図４７】プライマリコピーシステム内のディレクトリに対するファイルリスト表示のためのメッセージ送信を示すタイムチャート。
　【図４８】セカンダリコピーシステム内のディレクトリに対するファイルリスト表示のためのメッセージ送信を示すタイムチャート。
　【図４９】プライマリコピーシステム内のディレクトリに対するサムネイル表示のためのメッセージ送信を示すタイムチャート。
　【図５０】セカンダリコピーシステム内のディレクトリに対するサムネイル表示のためのメッセージ送信を示すタイムチャート。
　【図５１】プライマリコピーシステムからの画像ファイルのダウンロード時におけるメッセージ送信を示すタイムチャート。
　【図５２】プライマリコピーシステム内での画像ファイルのコピー時におけるメッセージ送信を示すタイムチャート。
　【図５３】プライマリコピーシステムからセカンダリコピーシステムへの画像ファイルのコピー時におけるメッセージ送信を示すタイムチャート。
　【図５４】プライマリコピーシステム内での検索時におけるメッセージ送信を示すタイムチャート。
　【図５５】セカンダリコピーシステム内での検索時におけるメッセージ送信を示すタイムチャート。
　【図５６】プライマリコピーシステム内での削除時におけるメッセージ送信を示すタイムチャート。
　【図５７】セカンダリコピーシステム内での削除時におけるメッセージ送信を示すタイムチャート。
　【図５８】プライマリコピーシステム内でのリネーム時におけるメッセージ送信を示すタイムチャート。
　【図５９】セカンダリコピーシステム内でのリネーム時におけるメッセージ送信を示すタイムチャート。
　【符号の説明】
　１　コピーシステム（プライマリコピーシステム）
　１’　コピーシステム（セカンダリコピーシステム）
　２　クライアント端末
　１０　コピーサーバ
　１１　ＲＡＭ
　１３　ハードディスク
　１７　ＣＰＵ
　２０　スキャナ
　２１　プリンタ
　３０　ＣＰＵ
　３２　ＲＡＭ
　３８　ハードディスク
　１１２　制御部
　１１３　ＨＤＤ制御部
　１１４　マネジメント部
　１１５　スキャナ部
　１１８　オペレーションパネル部
　１３１　制御プログラム
　１３２　ハイパーテキストデータ
　１３３　Ｊａｖａアプレット